(57)【要約】　　　（修正有）【課題】情報システムへのユーザによるアクセスを許諾する方法を提供する。【解決手段】複数の使用の特定の使用に対して楽曲のライブラリから特定の楽曲をアクセスするための許諾を選択しかつ取得するために情報システムへの複数のクラスのユーザによるアクセスを許諾する方法であり、該情報システムは、ライブラリの各楽曲へのアクセス可能な権利、権利のそれぞれに関連付けられた実施料、及び該権利のそれぞれの権利者の識別としての情報を記憶している。【選択図】図１
2004046794.tif 000002
【特許請求の範囲】
【請求項１】
複数の使用の特定の使用に対して楽曲のライブラリから特定の楽曲をアクセスするための許諾を選択しかつ取得するために情報システムへの複数のクラスのユーザによるアクセスを許諾する方法であり、該情報システムは、前記ライブラリの各楽曲へのアクセス可能な権利、権利のそれぞれに関連付けられた実施料、及び該権利のそれぞれの権利者の識別としての情報を記憶している、該方法であって、
ａ）少なくとも前記現行ユーザのクラスの表示及び候補楽曲の識別を入力することによりユーザに前記情報システムを起動させ；
ｂ）前記ユーザ入力から前記現行ユーザのクラスを識別し；
ｃ）前記情報システムの前記楽曲の利用可能性及び前記識別されたクラスによる一組の潜在的許諾使用を前記現行ユーザの前記識別されたクラス及び前記候補楽曲により前記情報システムから検索し；
ｄ）前記楽曲が前記情報システムで利用可能か否か、利用可能であれば、前記利用可能な候補楽曲の前記選択した組の潜在的許諾使用の表示を前記ユーザに表示し；
ｅ）前記ユーザに前記表示された組の使用から特定の使用を選択させ；
ｆ）前記選択した使用が前記識別された候補楽曲に対して許諾されているか否かを前記情報システムからアクセスし、かつ前記選択した使用が許諾されているならば、前記選択した使用に関する実施料及び権利者を前記選択した使用情報に依り前記情報システムから検索し；かつ
ｇ）前記選択した権利者に関して前記実施料を処理する
段階を具備することを特徴とする方法。
【請求項２】
前記段階ｂ）で決定されたような前記識別された使用は、権利者であり、前記権利者に前記実施料情報を変更させ、かつ前記情報システムの内容を更新するために前記変更された情報を処理することを特徴とする請求項１に記載のアクセスを許諾する方法。
【請求項３】
前記変更された情報を前記現行ユーザに表示し、かつ前記権利者に前記変更された情報が適格か否かを確認させ、適格であれば、前記処理段階ｇ）を終了させる段階を更に具備することを特徴とする請求項２に記載のアクセスを許諾する方法。
【請求項４】
複数の可能な使用の特定の使用に対して楽曲のライブラリから特定の楽曲をアクセスするための許諾を選択しかつ取得するために情報システムへの複数のクラスのユーザによるアクセスを許諾する方法であり、該情報システムは、前記ライブラリの各楽曲の識別及び該ライブラリの各楽曲へのアクセス可能な権利、権利のそれぞれに関連付けられた許諾された潜在的使用及び実施料のセット、及び該権利のそれぞれの権利者としての情報を記憶している、該方法であって、
ａ）現行ユーザの表示及び候補楽曲の識別を入力することによりユーザに前記情報システムを起動させ；
ｂ）少なくとも候補楽曲及び前記選択された楽曲に対する各アクセス可能な権利に関連する許諾された潜在的使用のセットを前記情報システムから検索し；
ｃ）前記楽曲が前記情報システムで利用可能か否かの表示及び、利用可能であれば、前記利用可能な候補楽曲の前記許可された潜在的使用のセットを前記ユーザに対して表示し；
ｄ）前記ユーザに前記ユーザの所望の使用の一つ以上を入力させ；
ｅ）前記ユーザの入力した所望の使用のそれぞれが前記識別された候補楽曲に対して許諾されているか否かを前記情報システムからアクセスし、かつ前記所望の使用の一つ以上が許諾されているならば、前記選択した所望の使用により、前記選択した所望の使用に関する前記実施料及び権利者の情報を前記情報システムから検索し；かつ
ｆ）前記選択した権利者に関して前記実施料を処理する
段階を具備することを特徴とする方法。
【請求項５】
前記ユーザに起動させる段階は、利用可能な候補楽曲の許諾された潜在的使用の前記表示されたセットの中からだけ前記一つ以上の所望の使用選択を前記ユーザに入力させることを含むことを特徴とする請求項４に記載のアクセスを許諾する方法。
【請求項６】
前記楽曲情報の前記許諾された潜在的使用のセットは、演奏、複製、送信、及び分配を含み、送信の可能なフォームは、地表、ケーブル、インターネット又は衛星を含み、かつ複製に対する媒体の可能なフォームは、ストリーム、ローカルＨＤＤ、フラッシュ・メモリ、スティック・メモリ又はＭＤを含むことを特徴とする請求項４に記載のアクセスを許諾する方法。
【請求項７】
その楽曲に対して許諾された前記入力された所望の使用の前記一つ以上に対してだけ前記楽曲情報へのアクセスを前記ユーザに許諾する段階を更に具備することを特徴とする請求項６に記載のアクセスを許諾する方法。
【請求項８】
複数の可能な使用の特定の使用に対して楽曲のライブラリから特定の楽曲をアクセスするための許諾を選択しかつ取得するために情報システムへの複数のクラスのユーザによるアクセスを許諾する方法であり、該情報システムは、前記ライブラリの各楽曲の識別及び該ライブラリの各楽曲へのアクセス可能な権利、権利のそれぞれに関連付けられた実施料、及び該権利のそれぞれの権利者としての情報を記憶している、該方法であって、
ａ）少なくとも現行ユーザのクラスの表示及び候補楽曲の識別を入力することによりユーザに前記情報システムを起動させ；
ｂ）前記入力された表示から現行ユーザの前記クラスを識別しかつ前記入力された識別から前記候補楽曲を識別し；
ｃ）前記現行ユーザの識別されたクラスに従って前記情報システムの前記識別された候補楽曲の利用可能性及び前記識別された候補楽曲の潜在的許諾使用のセットを前記情報システムから検索し；
ｄ）前記識別された候補楽曲が前記情報システムで利用可能か否かの表示及び、利用可能であれば、前記候補楽曲の前記潜在的に許可された使用の前記選択されたセットを前記現行ユーザに表示し；
ｅ）前記現行ユーザに前記表示された潜在的に許可された使用の前記選択されたセットから特定の使用を選択させ；
ｆ）前記選択された特定の使用が前記識別された候補楽曲に対して許諾されているか否かを前記情報システムからアクセスし；
ｇ）前記選択された特定の使用が許諾されているならば、前記選択した特定の使用に従って前記情報システムから前記識別された候補楽曲に関して実施料及び少なくとも一人の権利者の情報を検索し；
ｈ）前記識別された候補楽曲に関して前記権利者に関する前記実施料を処理し；
ｉ）前記段階（ｂ）で決定された前記識別された現行ユーザが前記識別された候補楽曲に関する前記少なくとも一人の権利者である場合には前記識別された候補楽曲の前記潜在的に許諾された使用の前記選択されたセット及び前記実施料の前記情報の変更を許諾し；
ｊ）前記情報システムのコンテンツを更新するために前記変更された情報を処理し；かつ
ｋ）前記変更された情報を前記現行ユーザに表示し、前記少なくとも一人の権利者に前記変更された情報が適格か否かを確認させ、かつ適格であれば、前記段階（ｇ）の処理を終了する
段階を具備することを特徴とする方法。
【発明の詳細な説明】
【０００１】
【産業上の利用分野】
本発明は、一つ以上の楽曲を検索し、検索された楽曲を編集し、編集された楽曲が挿入されたＣＤ、ＭＤ、カセットテープ等の記録媒体を購入することができるパーソナル記録媒体購入システムに関する。
【０００２】
【従来の技術】
従来、需要者は、ＭＤ、ＣＤ、カセットテープ等をレンタルまたは購入し、ＣＤプレイヤー・レコーダ、カセットデッキなどの再生・録音装置を利用して、自分の好きな楽曲を選択し、ＭＤ、ＣＤ、またはカセットテープなどの記録媒体に選択した楽曲を好きな順番に編集・録音して、需要者独自のオリジナル・コンピレーション記録媒体を作成していた。
例えば、一人のミュージシャンやアーティストによる楽曲でも、個人的に好きな曲が必ずしもＭＤ、ＣＤ、カセットテープなどの一つのアルバムに全て収録されているということが殆どない。従って、個人的に好きな楽曲だけから構成されたアルバムを作りたい場合には、一つのアルバムから数曲、他のアルバムから数曲、更に別のアルバムから数曲というように、複数のＭＤ、ＣＤ、カセットテープ、等を購入またはレンタルし、それらから、再生・編集・録音記憶装置を用いて、個人的に好きな楽曲をそれぞれ選択し、編集し、かつ録音して、個人的なオリジナル・コンピレーション記録媒体を作成していた。
【０００３】
また、複数のミュージシャンやアーティストによる場合にも、同様に、それぞれのミュージシャンやアーティストによる複数のアルバムを購入またはレンタルし、再生・編集・録音記憶装置を用いて、個人的なオリジナル・コンピレーション記録媒体を作成していた。
【０００４】
【発明が解決しようとする課題】
上記従来の方法では、需要者は、オリジナル・コンピレーション記録媒体を作成しようとする場合、複数のＭＤ、ＣＤ、カセットテープ、等を購入またはレンタルし、それらから、再生・編集・録音記憶装置を用いて、個人的に好きな楽曲をそれぞれ選択し、編集し、かつ録音しなければならず、一つのＭＤ、ＣＤ、カセットテープ、等を購入するよりも経費が掛かり、かつ再生・編集・録音にも時間が掛かるという問題点があった。
【０００５】
更に、楽曲の著作権の存否に係わりなく、需要者が複数のＭＤ、ＣＤ、カセットテープ、等から自分勝手に楽曲をコピーして個人的なオリジナル・コンピレーション記録媒体を作成してしまうので、著作権者は、自分の楽曲に関する著作権料を徴収することができず、音楽業界、楽曲作製者に対して何らの還元もされないという問題点があった。
【０００６】
本発明の課題は、上記従来の技術における問題点に鑑み、需要者が好きなミュージシャンやアーティストを任意に選択または指定し、それらの選択されたミュージシャンやアーティストによる楽曲を任意に選択または指定して、それらの選択または指定された楽曲で構成されている個人的なオリジナル・コンピレーション記録媒体を購入することができるパーソナル記録媒体購入システム、パーソナル記録媒体購入方法、及びパーソナル記録媒体購入プログラムを記録する記録媒体を提供することである。
【０００７】
更に、本発明の課題は、上記従来の技術における問題点に鑑み、需要者が個人的なオリジナル・コンピレーション記録媒体を購入する際に、その記録媒体に編入された楽曲に係わる著作権料、等を自動的に徴収することができ、著作権者、等に対して楽曲の使用に係わる還元を行うことができるパーソナル記録媒体購入システム、パーソナル記録媒体購入方法、及びパーソナル記録媒体購入プログラムを記録する記録媒体を提供することである。
【０００８】
【課題を解決するための手段】
本発明の上記課題は、マルチメディアのライブラリの選択されたものへのアクセスを許諾するシステムであって、ａ）マルチメディアのライブラリを記憶するメモリ、ｂ）メモリに記憶されるマルチメディアに対する一組の情報属性を入力するデータ入力装置、ｃ）入力された属性に従ってライブラリの特定のメディアについての情報を検索するデータ検索装置、及びｄ）検索した情報を供給する出力装置を備えているシステムによって達成される。
【０００９】
本発明のシステムでは、マルチメディアのライブラリは、音楽のライブラリであってもよい。
【００１０】
本発明のシステムでは、マルチメディアのライブラリは、印刷物のライブラリであり、印刷物は、書籍、雑誌、新聞、あらゆるタイプのジャーナルを含んでもよい。
【００１１】
本発明のシステムでは、マルチメディアのライブラリは、放送産業で用いられる放送情報のライブラリであり、放送産業は、ＴＶ局、ラジオ局、衛星局を含んでもよい。
【００１２】
本発明の上記課題は、楽曲に関する情報をアクセスするシステムであって、ａ）現行ユーザのクラス及びアクセスする候補楽曲に対する情報を入力する、ユーザにより操作可能なデータ入力装置、ｂ）楽曲のライブラリ及び記憶された楽曲の少なくとも選択されたものに関する一組の情報項目を記憶するメモリ、ｃ）候補楽曲に関する選択された情報を現行ユーザに表示するディスプレイ、ｄ）候補楽曲関連情報に以下の動作を実行する、データ入力装置に接続されたプロセッサ：１）現行ユーザのクラス及び候補楽曲を判別し、かつそれに依存して、入力された候補楽曲の特定の組の情報項目から現行ユーザの入力されたクラスに対応する情報項目をディスプレイに表示し、２）更なる処理に対して現行ユーザに少なくとも一つの表示された情報項目を選択させ、かつ３）選択した情報項目を更に処理するシステムによって達成される。
【００１３】
本発明のシステムでは、メモリに記憶される情報項目は、知的財産権の権利を含みかつ更なる処理は、入力された候補楽曲及び入力されたユーザ・クラスに関する料金を計算するように構成してもよい。
【００１４】
本発明のシステムでは、メモリに記憶される情報項目は、情報をアクセスするための許諾を含み、かつ更なる処理は、情報をアクセスするための許諾及びユーザ・クラスに基づき、選択した候補楽曲に関するどの情報が、もしあれば、該現行ユーザにアクセク可能であるかということを決定するように構成してもよい。
【００１５】
本発明の上記課題は、複数の使用の特定の使用に対して楽曲のライブラリから特定の楽曲をアクセスするための許諾を選択しかつ取得するために情報システムへの複数のクラスのユーザによるアクセスを許諾する方法であり、該情報システムは、ライブラリの各楽曲へのアクセス可能な権利、権利のそれぞれに関連付けられた実施料、及び　該権利のそれぞれの権利者の識別としての情報を記憶している方法であって、ａ）少なくとも現行ユーザのクラスの表示及び候補楽曲の識別を入力することによりユーザに情報システムを起動させ、ｂ）ユーザ入力から現行ユーザのクラスを識別し、ｃ）情報システムの楽曲の利用可能性及び識別されたクラスによる一組の潜在的許諾使用を現行ユーザの識別されたクラス及び候補楽曲により情報システムから検索し、ｄ）楽曲が情報システムで利用可能か否か、利用可能であれば、利用可能な候補楽曲の選択した組の潜在的許諾使用の表示をユーザに表示し、ｅ）ユーザに表示された組の使用から特定の使用を選択させ、ｆ）選択した使用が識別された候補楽曲に対して許諾されているか否かを情報システムからアクセスし、かつ選択した使用が許諾されているならば、選択した使用に関する実施料及び権利者を選択した使用情報に依り情報システムから検索し、かつｇ）選択した権利者に関して実施料を処理する段階を具備する方法によって達成される。
【００１６】
本発明の方法では、段階ｂ）で決定されたような識別された使用は、権利者であり、権利者に実施料情報を変更させ、かつ情報システムの内容を更新するために該変更された情報を処理してもよい。
【００１７】
本発明の方法では、変更された情報を現行ユーザに表示し、かつ権利者に変更された情報が適格か否かを確認させ、適格であれば、段階ｇ）を終了させる段階を更に具備してもよい。
【００１８】
本発明の上記課題は、ａ）少なくとも一つの楽曲及び当該一つの楽曲に対応する音楽情報を所定の信号にそれぞれ変換し、かつ該信号を送信する第１のステーション、ｂ）記憶装置及び集積回路を含むカード形式記憶媒体、ｃ）カード形式記憶媒体を着脱可能であり、第１のステーションから送信された信号を受信することにより楽曲を聴くことが可能であり、カード形式記憶媒体が装着されたときに所定の操作によりカード形式記憶媒体の記憶装置に、送信されてくる楽曲に対応する音楽情報を選択的に記憶可能な受信装置、ｄ）音楽情報が記憶されたカード形式記憶媒体を着脱可能であり、カード形式記憶媒体が装着されたときにカード形式記憶媒体の記憶装置に記憶された識別情報を読取り可能であり、かつカード形式記憶媒体の記憶装置に記憶された音楽情報を読取り可能な入力装置を含む第２のステーション、ｅ）第２のステーションに接続され、かつ１）識別情報に基づきシステムのユーザが承認されたユーザであるか否かを識別し、２）入力装置により入力された音楽情報に基づき楽曲情報記憶手段の複数の楽曲情報を検索することにより音楽情報に関連する楽曲情報を読取り、３）楽曲情報記憶手段から読取った楽曲情報を所定の記録媒体に記録し、４）楽曲情報が記録された記録媒体に関して、カード形式記憶媒体に記憶された課金情報に基づき所定の課金処理を実行することが可能な第３のステーションを備えており、楽曲に対応する音楽情報は、ユーザが第１のステーションから送信される楽曲を聴いているときに所定の操作によりカード形式記憶媒体に記憶され、かつユーザは、音楽情報が記憶されたカード形式記憶媒体を第２のステーションの所定の入力手段に挿入することによって、少なくとも一つの所望の楽曲が記録された記録媒体を購入することができるパーソナル記録媒体購入システムによって達成される。
【００１９】
本発明のシステムでは、第３のステーションは、１）第２のステーションの入力手段により入力された識別情報に基づきユーザが承認されたユーザであるか否かを識別する識別手段、２）複数の楽曲情報を記憶する楽曲情報記憶手段、３）入力手段により入力された音楽情報に基づき楽曲情報記憶手段の複数の楽曲情報を検索することによって音楽情報に関連する楽曲情報を読取る楽曲情報読取り手段、４）楽曲情報読取り手段に接続され、楽曲情報記憶手段から読取った楽曲情報を所定の記録媒体に記録する音楽情報記録手段、及び５）楽曲情報が記録された記録媒体に関してカード形式記憶媒体に記憶された課金情報に基づき所定の課金処理を行う手段を含むように構成してもよい。
【００２０】
本発明のシステムでは、ｆ）著作権に関連する情報を記憶する著作権関連情報記憶手段、ｇ）楽曲情報を入出力する入出力手段、ｈ）入出力手段により楽曲情報記憶手段に入力された楽曲情報を登録しかつ記憶する楽曲情報登録手段、ｉ）使用される楽曲に基づき著作権関連情報記憶手段から楽曲情報登録手段に登録された楽曲情報に関する著作権関連情報を検索しかつ識別する著作権関連情報検索及び識別手段、ｊ）著作権関連情報検索及び識別手段によって識別された著作権関連情報及び課金情報に基づき楽曲のユーザに対する課金を決定しかつ楽曲の著作権者に対する使用料を決定する課金及び使用料決定手段；及びｋ）課金及び使用料決定手段によって決定された課金を楽曲の使用者に通知し、かつ課金及び使用料決定手段によって決定された使用料を楽曲の著作権者に通知する手段を更に備えるように構成してもよい。
【００２１】
本発明のシステムでは、ｌ）使用される楽曲の使用目的に関する情報を登録する使用目的登録手段；及びｍ）使用目的登録手段により登録された楽曲の使用目的に関する情報に基づき課金情報を変更する課金情報変更手段を更に備えるように構成してもよい。
【００２２】
本発明のシステムでは、ｎ）入力手段及び著作権関連情報記憶手段に接続され、使用される楽曲の情報に基づき著作権関連情報を変更する著作権関連情報変更手段を更に備えて構成してもよい。
【００２３】
本発明のシステムでは、記憶装置及び集積回路を含んでいるカード形式記憶媒体は、スマート・カードであってもよい。
【００２４】
本発明のシステムでは、受信装置は、スマート・カード・ラジオ受信機であってもよい。
【００２５】
本発明の上記課題は、ａ）現行ユーザとしての表示及びアクセスする候補楽曲を入力するためにユーザによって操作可能なデータ入力装置、ｂ）楽曲のライブラリ及び記憶された楽曲の少なくとも選択されたものに関する情報項目のセットを記憶するメモリであり、情報項目のセットは、記憶された楽曲のそれぞれに対する許諾された使用のセットを含むメモリ、ｃ）候補楽曲に関する選択された情報を現行ユーザに表示するディスプレイ、ｄ）データ入力装置及びメモリに結合され、候補楽曲関連情報に関する以下の操作を実行するプロセッサ：１）現行ユーザ表示及び候補楽曲を評価し、かつ入力された候補楽曲の情報項目の特定のセットから少なくとも許諾された使用を含むそれらの情報項目をディスプレイ上に表示し、２）現行ユーザに更なる処理のために表示された情報項目の少なくとも一つを選択させかつ楽曲の現行ユーザの所望の使用の一つ以上を入力させ、かつ３）選択された情報項目を更に処理する楽曲に関する情報をアクセスするシステムによって達成される。
【００２６】
本発明のシステムでは、メモリに記憶された許諾使用のセットは、楽曲情報の可能な使用のセットの選択されるものに関する情報をアクセスすることの許諾を含み、かつ更なる処理は、情報をアクセスすることの許諾及びユーザの所望の使用の選択に基づき、選択した候補楽曲に関するどの情報が、もしあれば、該現行ユーザにアクセク可能であるかということを決定するように構成してもよい。
【００２７】
本発明のシステムでは、楽曲情報の可能な使用のセットは、演奏、複製、送信、及び分配を含み、送信の可能なフォームは、地表、ケーブル、インターネット又は衛星を含み、かつ複製に対する媒体の可能なフォームは、ストリーム、ローカルＨＤＤ、フラッシュ・メモリ、スティック・メモリ又はＭＤを含むように構成してもよい。
【００２８】
本発明の上記課題は、複数の可能な使用の特定の使用に対して楽曲のライブラリから特定の楽曲をアクセスするための許諾を選択しかつ取得するために情報システムへの複数のクラスのユーザによるアクセスを許諾する方法であり、情報システムは、ライブラリの各楽曲の識別及び該ライブラリの各楽曲へのアクセス可能な権利、権利のそれぞれに関連付けられた許諾された潜在的使用及び実施料のセット、及び権利のそれぞれの権利者としての情報を記憶している方法であって、ａ）現行ユーザの表示及び候補楽曲の識別を入力することによりユーザに情報システムを起動させ；ｂ）少なくとも候補楽曲及び選択された楽曲に対する各アクセス可能な権利に関連する許諾された潜在的使用のセットを情報システムから検索し、ｃ）楽曲が情報システムで利用可能か否かの表示及び、利用可能であれば、利用可能な候補楽曲の許可された潜在的使用のセットをユーザに対して表示し、ｄ）ユーザにユーザの所望の使用の一つ以上を入力させ、ｅ）ユーザの入力した所望の使用のそれぞれが識別された候補楽曲に対して許諾されているか否かを情報システムからアクセスし、かつ所望の使用の一つ以上が許諾されているならば、選択した所望の使用により、選択した所望の使用に関する実施料及び権利者の情報を情報システムから検索し、かつｆ）選択した権利者に関して実施料を処理する段階を具備する方法によって達成される。
【００２９】
本発明の方法では、ユーザに起動させる段階は、利用可能な候補楽曲の許諾された潜在的使用の表示されたセットの中からだけ一つ以上の所望の使用選択をユーザに入力させるようにしてもよい。
【００３０】
本発明の方法では、楽曲情報の許諾された潜在的使用のセットは、演奏、複製、送信、及び分配を含み、送信の可能なフォームは、地表、ケーブル、インターネット又は衛星を含み、かつ複製に対する媒体の可能なフォームは、ストリーム、ローカルＨＤＤ、フラッシュ・メモリ、スティック・メモリ又はＭＤを含むようにしてもよい。
【００３１】
本発明の方法では、その楽曲に対して許諾された入力された所望の使用の一つ以上に対してだけ楽曲情報へのアクセスをユーザに許諾する段階を更に具備するようにしてもよい。
【００３２】
本発明の上記課題は、マルチメディアのライブラリの選択されたものへのアクセスを許諾するシステムであって、ａ）マルチメディアのライブラリを記憶するメモリ、ｂ）メモリに記憶されるマルチメディアに対する一組の属性を入力するデータ入力装置、ｃ）入力された一組の属性に従ってライブラリの特定のメディアについての情報を検索するデータ検索装置、ｄ）必要に応じて、ライブラリの特定のメディアについての検索した情報を更新する更新装置、及びｅ）検索した情報又は更新した情報を供給する出力装置を備えているシステムによって達成される。
【００３３】
本発明のシステムでは、更新装置は、ライブラリの特定のメディアに関連する権利のそれぞれの少なくとも一人の権利者によってのみ操作可能であるように構成してもよい。
【００３４】
本発明のシステムでは、ｆ）ライブラリの特定のメディアに関連する権利のそれぞれの少なくとも一人の権利者とシステムのユーザを対話させる対話装置を更に備え、更新装置は、ユーザと権利者の対話の結果に従って検索した情報を更新し、かつ出力装置は、更新した情報を供給するように構成してもよい。
【００３５】
本発明のシステムでは、前記マルチメディアのライブラリは、音楽のライブラリ、印刷物のライブラリ、及び放送産業で使用される放送情報のライブラリの少なくとも一つを含むように構成してもよい。
【００３６】
本発明のシステムでは、印刷物は、書籍、雑誌、新聞、あらゆるタイプのジャーナルを含み、放送産業は、ＴＶ局、ラジオ局、及び衛星局を含むように構成してもよい。
【００３７】
本発明の上記課題は、ａ）現行ユーザのクラス及びアクセスする候補楽曲を入力するためにユーザによって操作可能なデータ入力装置、ｂ）楽曲のライブラリ及び記憶された楽曲の少なくとも選択されたものに関する情報項目のセットを記憶するメモリであり、メモリに記憶された情報項目のセットは、少なくとも知的財産権情報及び情報をアクセスするための許諾を含むメモリ、ｃ）候補楽曲に関する選択された情報を現行ユーザに表示するディスプレイ装置、ｄ）データ入力装置及びメモリに結合され、候補楽曲に関する選択された情報に対して以下の操作を実行するプロセッサ：１）現行ユーザのクラス及び候補楽曲を評価し、かつ、それに基づいて、入力された候補楽曲の情報項目の特定のセットから現行ユーザの入力されたクラスに対応する情報項目をディスプレイ装置に表示し、２）現行ユーザに更なる処理のために表示された情報項目の少なくとも一つを選択させ、かつ３）入力された候補楽曲及び入力されたユーザ・クラスに関して必要な料金を算出するために、かつ、情報をアクセスするための許諾及びユーザ・クラスに基づき、選択した候補楽曲に関するどの情報が、もしあれば、現行ユーザにアクセク可能であるかということを決定するために、選択された情報項目を更に処理し、かつｅ）必要に応じて、メモリに記憶された情報のセットを更新する更新装置を備え、更新装置は、記憶された楽曲の選択されたものに関連する知的財産権のそれぞれの権利者によってのみ操作可能である、楽曲に関する情報をアクセスするシステムによって達成される。
【００３８】
本発明のシステムでは、ｆ）記憶された楽曲の選択されたものに関連する知的財産権のそれぞれの少なくとも一人の権利者とシステムのユーザを対話させる対話装置を更に備え、更新装置は、ユーザと権利者の対話の結果に従ってメモリに記憶された情報項目のセットを更新するように構成してもよい。
【００３９】
本発明の上記課題は、複数の可能な使用の特定の使用に対して楽曲のライブラリから特定の楽曲をアクセスするための許諾を選択しかつ取得するために情報システムへの複数のクラスのユーザによるアクセスを許諾する方法であり、情報システムは、ライブラリの各楽曲の識別及びライブラリの各楽曲へのアクセス可能な権利、権利のそれぞれに関連付けられた実施料、及び権利のそれぞれの権利者としての情報を記憶している方法であって、ａ）少なくとも現行ユーザのクラスの表示及び候補楽曲の識別を入力することによりユーザに情報システムを起動させ、ｂ）入力された表示から現行ユーザのクラスを識別しかつ入力された識別から候補楽曲を識別し、ｃ）現行ユーザの識別されたクラスに従って情報システムの識別された候補楽曲の利用可能性及び識別された候補楽曲の潜在的許諾使用のセットを情報システムから検索し、ｄ）識別された候補楽曲が情報システムで利用可能か否かの表示及び、利用可能であれば、候補楽曲の潜在的に許可された使用の選択されたセットを現行ユーザに表示し、ｅ）現行ユーザに表示された潜在的に許可された使用の選択されたセットから特定の使用を選択させ、ｆ）選択された特定の使用が識別された候補楽曲に対して許諾されているか否かを情報システムからアクセスし、ｇ）選択された特定の使用が許諾されているならば、選択した特定の使用に従って情報システムから識別された候補楽曲に関して実施料及び少なくとも一人の権利者の情報を検索し、ｈ）識別された候補楽曲に関して権利者に関する実施料を処理し、ｉ）段階（ｂ）で決定された識別された現行ユーザが識別された候補楽曲に関する少なくとも一人の権利者である場合には識別された候補楽曲の潜在的に許諾された使用の選択されたセット及び実施料の情報の変更を許諾し、ｊ）情報システムのコンテンツを更新するために変更された情報を処理し、かつｋ）変更された情報を現行ユーザに表示し、少なくとも一人の権利者に変更された情報が適格か否かを確認させ、かつ適格であれば、段階（ｇ）の処理を終了する段階を具備する方法によって達成される。
【００４０】
本発明の上記課題は、需要者を識別するための識別情報を入力する入力手段と、入力手段に接続され入力された識別情報に基づいて需要者が正規の需要者であるかどうかを識別する識別手段と、識別手段に接続され識別の結果により需要者が正規の需要者であるときに需要者が少なくとも一つの指定情報を入力する指定情報入力手段と、複数の情報を記憶する情報記憶手段と、指定情報入力手段及び情報記憶手段に接続され、指定情報入力手段により入力された指定情報に基づき情報記憶手段の複数の情報を検索して指定情報に関連する情報を読取る情報読取り手段と、情報読取り手段に接続され、情報記憶手段から読取られた情報を所定の記録媒体に記録する情報記録手段とを備えているパーソナル記録媒体購入システムによって達成される。
【００４１】
本発明のパーソナル記録媒体購入システムでは、情報が記録された記録媒体に関して所定の課金処理を行う手段を更に備えるように構成してもよい。
【００４２】
本発明の上記課題は、需要者を識別するための識別情報を入力する入力手段、需要者が正規の需要者であると識別されたときに需要者が少なくとも一つの指定情報を入力する指定情報入力手段を含む第１のステーションと、第１のステーションに接続され、入力手段により入力された識別情報に基づいて需要者が正規の需要者であるかどうかを識別する識別手段、複数の情報を記憶する情報記憶手段、指定情報入力手段により入力された指定情報に基づき情報記憶手段の複数の情報を検索して指定情報に関連する情報を読取る情報読取り手段、及び情報読取り手段に接続され情報記憶手段から読取られた情報を所定の記録媒体に記録する情報記録手段、情報が記録された記録媒体に関して所定の課金処理を行う手段を含んでいる第２のステーションとを備え、第１のステーションで需要者が指定情報入力手段によって入力された任意の数の指定情報に対応する情報により構成された記録媒体を第２のステーションで製作して第１のステーションに配送することにより、需要者が第１のステーションで記録媒体を購入することができるパーソナル記録媒体購入システムによって達成される。
【００４３】
本発明のパーソナル記録媒体購入システムでは、第１のステーションは、第２のステーションの情報記憶手段に記憶されている複数の情報の一部を構成している特定の情報を記憶する特定情報記憶手段と、需要者によって指定情報入力手段により入力された指定情報に基づき特定情報記憶手段を検索して入力された指定情報に関連する特定の情報を需要者に表示する手段を更に備えるように構成してもよい。
【００４４】
本発明の上記課題は、需要者を識別するための識別情報を入力する入力手段、需要者が正規の需要者であると識別されたときに該需要者が少なくとも一つの指定情報を入力する指定情報入力手段、複数の情報を記憶する第１の情報記憶手段、指定情報入力手段により入力された指定情報に基づき第１の情報記憶手段の複数の情報を検索して指定情報に関連する情報を読取り所定の記録媒体に記録する情報記録手段を含んでいる第１のステーションと、第１のステーションに接続され、入力手段により入力された識別情報に基づいて需要者が正規の需要者であるかどうかを識別する識別手段、第１の情報記憶手段に記憶されている複数の情報に対応する複数の情報を記憶する第２の情報記憶手段、情報が記録された記録媒体に関して所定の課金処理を行う手段を含んでいる第２のステーションと、第１のステーション及び第２のステーションにそれぞれ接続され、最新の情報を記憶する最新情報記憶手段を含んでいる第３のステーションを備え、第１及び第２のステーションは、最新情報記憶手段に記憶されている最新の情報に基づいて第１の情報記憶手段及び第２の情報記憶手段に記憶されている複数の情報を更新すると共に、第１のステーションで需要者が入力する指定情報に基づいて、任意の数の情報により構成された記録媒体を第１のステーションで製作して需要者が記録媒体を直接購入することができるパーソナル記録媒体購入システムによって達成される。
【００４５】
本発明のパーソナル記録媒体購入システムでは、第１の情報記憶手段が記憶する複数の情報及び第２の情報記憶手段が記憶する複数の情報は、楽曲リスト、楽曲データ、インデックス、及び著作権に関する情報を含む楽曲情報であってもよい。
【００４６】
本発明の上記課題は、需要者を識別するための識別情報を入力する入力手段、需要者が正規の需要者であると識別されたときに該需要者が少なくとも一つの指定情報を入力する指定情報入力手段を含んでいる第１のステーションと、第１のステーションに接続され、入力手段により入力された識別情報に基づいて需要者が正規の需要者であるかどうかを識別する識別手段、複数の情報を記憶する情報記憶手段、指定情報入力手段により入力された指定情報に基づき情報記憶手段の複数の情報を検索して指定情報に関連する情報を読取る情報読取り手段、及び情報読取り手段に接続され情報記憶手段から読取られた情報を所定の記録媒体に記録する情報記録手段、情報が記録された記録媒体に関して所定の課金処理を行う手段を含んでいる第２のステーションと、第１のステーション及び第２のステーションにそれぞれ接続され、最新の情報を記憶する最新情報記憶手段を含んでいる第３のステーションを備え、第１及び第２のステーションは、第３のステーションの最新情報記憶手段に記憶されている最新の情報に基づいて第２のステーションの情報記憶手段に記憶されている複数の情報を必要に応じて更新すると共に、第１のステーションで需要者が入力する指定情報に基づいて、任意の数の情報により構成された記録媒体を該第２のステーションで製作して該第１のステーションに配送することにより、需要者が第１のステーションで記録媒体を購入することができるパーソナル記録媒体購入システムによって達成される。
【００４７】
本発明のパーソナル記録媒体購入システムでは、第１のステーションは、第２のステーションの情報記憶手段に記憶されている複数の情報の一部を構成している特定の情報を記憶する特定情報記憶手段と、需要者によって指定情報入力手段により入力された指定情報に基づき特定情報記憶手段を検索して入力された指定情報に関連する特定の情報を該需要者に表示する手段を更に備えるように構成してもよい。
【００４８】
本発明のパーソナル記録媒体購入システムでは、情報記憶手段は、楽曲情報記憶手段であり、複数の情報は、楽曲リスト、楽曲データ、インデックス、及び著作権に関する情報を含む複数の楽曲情報であってもよい。
【００４９】
本発明のパーソナル記録媒体購入システムでは、楽曲情報記憶手段は、音楽を一元化する蓄積可能なスペックを備えたデータベースであり、音源、ＭＩＤＩデータ、音譜データ、権利属性データをディジタル化しかつ一元化して構成されてもよい。
【００５０】
本発明のパーソナル記録媒体購入システムでは、楽曲情報記憶手段は、曲属性、原盤権、著作権、楽譜、及び音源の５つのカテゴリーを含むように構成してもよい。
【００５１】
本発明のパーソナル記録媒体購入システムでは、情報記憶手段は、映像情報記憶手段であり、複数の情報は、映像データ、音声データ、インデックス、及び著作権に関する情報を含む複数の映像情報であってもよい。
【００５２】
本発明のパーソナル記録媒体購入システムでは、情報記憶手段は、プログラム記憶手段であり、複数の情報は、複数のプログラム、インデックス、及び著作権に関する情報を含む複数のプログラム情報であってもよい。
【００５３】
本発明の上記目的は、任意の数の所望する情報により構成された記録媒体を需要者が購入することができるパーソナル記録媒体購入方法であって、需要者を識別するための識別情報を入力し、入力された識別情報に基づいて需要者が正規の需要者であるかどうかを識別し、識別の結果により需要者が正規の需要者であるときに需要者が少なくとも一つの指定情報を入力し、入力された指定情報に基づき複数の情報を含んでいるデータベースを検索して指定情報に関連する情報を読取り、読取られた情報を所定の記録媒体に記録し、情報が記録された記録媒体に関して所定の課金処理を行う段階を具備するパーソナル記録媒体購入方法によって達成される。
【００５４】
本発明の上記課題は、任意の数の所望する情報により構成された記録媒体を需要者が購入することができるパーソナル記録媒体購入プログラムを記録した記録媒体であって、需要者を識別するための識別情報を入力させ、入力された識別情報に基づいて需要者が正規の需要者であるかどうかを識別させ、識別の結果により需要者が正規の需要者であるときに需要者が少なくとも一つの指定情報を入力させ、入力された指定情報に基づき複数の情報を含んでいるデータベースを検索して指定情報に関連する情報を読取らせ、読取られた情報を特定記録媒体に記録させ、情報が記録された特定記録媒体に関して所定の課金処理を行わせるパーソナル記録媒体購入プログラムを記録した記録媒体によって達成される。
【００５５】
本発明の上記課題は、少なくとも一つ以上の楽曲及び楽曲に対応する曲情報を所定の信号にそれぞれ変換して送信する第１のステーションと、記憶装置及び集積回路を含むカード状記憶媒体と、カード状記憶媒体を着脱可能であり第１のステーションから送信された信号を受信して楽曲を聞くことができると共に、カード状記憶媒体を装着したときに所定の操作により受信している楽曲に対応する曲情報をカード状記憶媒体の記憶装置に選択的に記憶することができるように構成された受信装置と、曲情報が記憶されたカード状記憶媒体を着脱可能でありカード状記憶媒体を装着したときにカード状記憶媒体の記憶装置に記憶されている識別情報を読取りかつカード状記憶媒体の記憶装置に記憶されている曲情報を読取る入力手段を含んでいる第２のステーションと、第２のステーションに接続され、識別情報に基づいて需要者が正規の需要者であるかどうかを識別し、入力手段により入力された曲情報に基づき楽曲情報記憶手段の複数の楽曲情報を検索して曲情報に関連する楽曲情報を読取り、楽曲情報記憶手段から読取られた楽曲情報を所定の記録媒体に記録し、楽曲情報が記録された記録媒体に関してカード状記憶媒体に記憶されている課金情報に基づき所定の課金処理を行うように構成されている第３のステーションとを備え、第１のステーションから送信されてくる楽曲を需要者が聞いているときに所定の操作により楽曲に対応する曲情報をカード状記憶媒体に記憶させ、需要者が第２のステーションにおいて曲情報が記憶されたカード状記憶媒体を所定の入力手段に挿入することにより、所望の楽曲が記録された記録媒体を購入することができるパーソナル記録媒体購入システムによって達成される。
【００５６】
本発明のパーソナル記録媒体購入システムでは、第３のステーションは、第２のステーションの入力手段により入力された識別情報に基づいて需要者が正規の需要者であるかどうかを識別する識別手段と、複数の楽曲情報を記憶する楽曲情報記憶手段と、入力手段により入力された曲情報に基づき楽曲情報記憶手段の複数の楽曲情報を検索して曲情報に関連する楽曲情報を読取る楽曲情報読取り手段と、楽曲情報読取り手段に接続され楽曲情報記憶手段から読取られた楽曲情報を所定の記録媒体に記録する楽曲情報記録手段と、楽曲情報が記録された記録媒体に関してカード状記憶媒体に記憶されている課金情報に基づき所定の課金処理を行う手段とを備えて構成してもよい。
【００５７】
本発明のパーソナル記録媒体購入システムは、著作権に関連する情報を記憶する著作権関連情報記憶手段と、楽曲情報を入力／出力する入力／出力手段と、入力／出力手段によって入力された楽曲情報を楽曲情報記憶手段に登録して記憶させる楽曲情報登録手段と、使用される楽曲に基づき楽曲情報登録手段に登録された楽曲情報に関する著作権関連情報を著作権関連情報記憶手段から検索して判別する著作権関連情報検索判別手段と、著作権関連情報検索判別手段によって判別された著作権関連情報及び課金情報に基づき楽曲の使用者に対する課金を決定すると共に楽曲の著作権者に対するロイヤルティーを決定する課金及びロイヤルティー決定手段と、課金及びロイヤルティー決定手段によって決定された課金を楽曲の使用者に報告すると共に決定されたロイヤルティーを楽曲の著作権者に報告する手段とを更に備えて構成してもよい。
【００５８】
本発明のパーソナル記録媒体購入システムは、使用される楽曲の使用目的に関する情報を登録する使用目的登録手段と、使用目的登録手段によって登録された楽曲の使用目的に関する情報に基づいて課金情報を変更する課金情報変更手段とを更に備えて構成してもよい。
【００５９】
本発明のパーソナル記録媒体購入システムは、入力手段及び著作権関連情報記憶手段に接続され使用される楽曲の情報に基づいて著作権関連情報を変更することができるように構成されている著作権関連情報変更手段を更に備えて構成してもよい。
【００６０】
【好ましい実施の形態】
本発明のマルチメディアのライブラリの選択されたものへのアクセスを許諾するシステムでは、メモリは、マルチメディアのライブラリを記憶し、データ入力装置は、メモリに記憶されるマルチメディアに対する一組の情報属性を入し、データ検索装置は、入力された属性に従ってライブラリの特定のメディアについての情報を検索し、出力装置は、検索した情報を供給する出力装置
【００６１】
本発明の楽曲に関する情報をアクセスするシステムでは、ユーザにより操作可能なデータ入力装置は、現行ユーザのクラス及びアクセスする候補楽曲に対する情報を入力し、メモリは、楽曲のライブラリ及び記憶された楽曲の少なくとも選択されたものに関する一組の情報項目を記憶し、ディスプレイは、候補楽曲に関する選択された情報を現行ユーザに表示し、データ入力装置に接続されたプロセッサは、候補楽曲関連情報に以下の動作を実行する：１）現行ユーザのクラス及び候補楽曲を判別し、かつそれに依存して、入力された候補楽曲の特定の組の情報項目から現行ユーザの入力されたクラスに対応する情報項目をディスプレイに表示し、２）更なる処理に対して現行ユーザに少なくとも一つの表示された情報項目を選択させ、かつ３）選択した情報項目を更に処理する。
【００６２】
本発明のシステムでは、第１のステーションは、少なくとも一つの楽曲及び一つの楽曲に対応する音楽情報を所定の信号にそれぞれ変換して送信し、受信装置は、カード形式記憶媒体が装着されたときに所定の操作によりカード形式記憶媒体の記憶装置に第１のステーションから送信されてくる楽曲に対応する音楽情報を選択的に記憶し、第２のステーションは、音楽情報が記憶されたカード形式記憶媒体が装着されたときに該カード形式記憶媒体の記憶装置に記憶された識別情報及び音楽情報を入力装置で読取り、第３のステーションは、識別情報に基づきシステムのユーザが承認されたユーザであるか否かを識別し、入力装置により入力された音楽情報に基づき楽曲情報記憶手段の複数の楽曲情報を検索することにより音楽情報に関連する楽曲情報を読取り、楽曲情報記憶手段から読取った楽曲情報を所定の記録媒体に記録し、楽曲情報が記録された記録媒体に関して、カード形式記憶媒体に記憶された課金情報に基づき所定の課金処理を実行し、楽曲に対応する音楽情報は、ユーザが第１のステーションから送信される楽曲を聴いているときに所定の操作によりカード形式記憶媒体に記憶され、かつユーザは、音楽情報が記憶されたカード形式記憶媒体を第２のステーションの所定の入力手段に挿入することによって、少なくとも一つの所望の楽曲が記録された記録媒体を購入する。
【００６３】
本発明のシステムでは、データ入力装置は、ユーザの操作により、現行ユーザとしての表示及びアクセスする候補楽曲を入力し、メモリは、楽曲のライブラリ及び前記記憶された楽曲の少なくとも選択されたものに関する、記憶された楽曲のそれぞれに対する許諾された使用のセットを含む情報項目のセットを記憶し、ディスプレイは、候補楽曲に関する選択されを現行ユーザに表示し、プロセッサは、候補楽曲関連情報に関して、現行ユーザ表示及び候補楽曲を評価し、かつ入力された候補楽曲の情報項目の特定のセットから少なくとも許諾された使用を含むそれらの情報項目をディスプレイ上に表示し、現行ユーザに更なる処理のために表示された情報項目の少なくとも一つを選択させかつ楽曲の現行ユーザの所望の使用の一つ以上を入力させ、かつ選択された情報項目を更に処理する。
【００６４】
本発明の、マルチメディアのライブラリの選択されたものへのアクセスを許諾するシステムでは、メモリは、マルチメディアのライブラリを記憶し、データ入力装置は、メモリに記憶されるマルチメディアに対する一組の属性を入力し、データ検索装置は、入力された一組の属性に従ってライブラリの特定のメディアについての情報を検索ｓ、更新装置は、必要に応じて、ライブラリの特定のメディアについての検索した情報を更新し、出力装置は、検索した情報又は更新した情報を供給する。
【００６５】
本発明のシステムでは、データ入力装置は、ユーザの操作により、現行ユーザのクラス及びアクセスする候補楽曲を入力し、メモリは、楽曲のライブラリ及び記憶された楽曲の少なくとも選択されたものに関する、少なくとも知的財産権情報及び情報をアクセスするための許諾を含む情報項目のセットを記憶し、ディスプレイ装置は、候補楽曲に関する選択された情報を現行ユーザに表示し、プロセッサは、候補楽曲に関する選択された情報に対して、現行ユーザのクラス及び候補楽曲を評価し、かつ、それに基づいて、入力された候補楽曲の情報項目の特定のセットから現行ユーザの入力されたクラスに対応する情報項目をディスプレイ装置に表示し、現行ユーザに更なる処理のために表示された情報項目の少なくとも一つを選択させ、かつ入力された候補楽曲及び入力されたユーザ・クラスに関して必要な料金を算出するために、かつ、情報をアクセスするための許諾及びユーザ・クラスに基づき、選択した候補楽曲に関するどの情報が、もしあれば、現行ユーザにアクセク可能であるかということを決定するために、選択された情報項目を更に処理し、かつ必要に応じて、記憶された楽曲の選択されたものに関連する知的財産権のそれぞれの権利者によってのみ操作される更新装置により、メモリに記憶された情報のセットを更新する。
【００６６】
本発明のパーソナル記録媒体購入システムでは、入力手段は、需要者を識別するための識別情報を入力し、識別手段は、入力された識別情報に基づいて需要者が正規の需要者であるかどうかを識別し、指定情報入力手段は、識別の結果により需要者が正規の需要者であるときに少なくとも一つの指定情報を入力し、情報読取り手段は、需要者により指定情報入力手段から入力された指定情報に基づき情報記憶手段の複数の情報を検索して指定情報に関連する情報を読取り、情報記録手段は、情報記憶手段から読取られた情報を所定の記録媒体に記録する。
【００６７】
本発明のパーソナル記録媒体購入システムでは、楽曲情報が記録された記録媒体に関して所定の課金処理を行うように構成することができる。
【００６８】
本発明の別のパーソナル記録媒体購入システムでは、第１のステーションにおいて、入力手段は、需要者を識別するための識別情報を入力し、指定情報入力手段は、需要者が正規の需要者であると識別されたときに需要者が少なくとも一つの指定情報を入力し、第２のステーションにおいて、識別手段は、入力手段により入力された識別情報に基づいて需要者が正規の需要者であるかどうかを識別し、情報読取り手段は、指定情報入力手段により入力された指定情報に基づき情報記憶手段の複数の情報を検索して指定情報に関連する情報を読取り、情報記録手段は、情報記憶手段から読取られた情報を所定の記録媒体に記録して、情報が記録された記録媒体に関して所定の課金処理を行い、第１のステーションで需要者が指定情報入力手段によって入力された任意の数の指定情報に対応する情報により構成された記録媒体を第２のステーションで製作して第１のステーションに配送することにより需要者が第１のステーションで記録媒体を購入する。
【００６９】
本発明のパーソナル記録媒体購入システムでは、第１のステーションにおいて、特定情報記憶手段は、第２のステーションの情報記憶手段に記憶されている複数の情報の一部を構成している特定の情報を記憶し、需要者によって指定情報入力手段により入力された指定情報に基づき特定情報記憶手段を検索して入力された指定情報に関連する特定の情報を需要者に表示する。
【００７０】
更に、本発明の別のパーソナル記録媒体購入システムでは、第１のステーションにおいて、入力手段は、需要者を識別するための識別情報を入力し、指定情報入力手段は、需要者が正規の需要者であると識別されたときに需要者が少なくとも一つの指定情報を入力し、情報記録手段は、指定情報入力手段により入力された指定情報に基づき第１の情報記憶手段の複数の情報を検索して指定情報に関連する情報を読取り所定の記録媒体に記録し、第２のステーションにおいて、識別手段は、入力手段により入力された識別情報に基づいて需要者が正規の需要者であるかどうかを識別し、情報が記録された記録媒体に関して所定の課金処理を行い、第１及び第２のステーションは、第３の最新情報記憶手段に記憶されている最新の情報に基づいて第１の情報記憶手段及び第２の情報記憶手段に記憶されている複数の情報を更新すると共に、第１のステーションで需要者が入力する指定情報に基づいて、任意の数の情報により構成された記録媒体を第１のステーションで製作して需要者が記録媒体を直接購入することができる。
【００７１】
本発明の更に別のパーソナル記録媒体購入システムでは、第１のステーションにおいて、入力手段は、需要者を識別するための識別情報を入力し、指定情報入力手段は、需要者が正規の需要者であると識別されたときに需要者が少なくとも一つの指定情報を入力し、第２のステーションにおいて、識別手段は、入力手段により入力された識別情報に基づいて需要者が正規の需要者であるかどうかを識別し、情報読取り手段は、指定情報入力手段により入力された指定情報に基づき情報記憶手段の複数の情報を検索して指定情報に関連する情報を読取り、情報記録手段は、情報記憶手段から読取られた情報を所定の記録媒体に記録して、情報が記録された記録媒体に関して所定の課金処理を行い、第１及び第２のステーションは、第３のステーションの最新情報記憶手段に記憶されている最新の情報に基づいて第２のステーションの情報記憶手段に記憶されている複数の情報を必要に応じて更新すると共に、第１のステーションで需要者が入力する指定情報に基づいて、任意の数の情報により構成された記録媒体を第２のステーションで製作して第１のステーションに配送することにより、需要者が第１のステーションで記録媒体を購入することができる。
【００７２】
本発明のパーソナル記録媒体購入システムでは、第１のステーションは、少なくとも一つ以上の楽曲及び当該楽曲に対応する曲情報を所定の信号にそれぞれ変換して送信し、受信装置は、カード状記憶媒体を着脱可能であり第１のステーションから送信された信号を受信して楽曲を聞くことができると共に、該カード状記憶媒体を装着したときに所定の操作により受信している楽曲に対応する曲情報を該カード状記憶媒体の記憶装置に選択的に記憶し、第２のステーションでは、入力手段は、曲情報が記憶されたカード状記憶媒体を着脱可能であり該カード状記憶媒体を装着したときに当該カード状記憶媒体の記憶装置に記憶されている識別情報を読取りかつ該カード状記憶媒体の記憶装置に記憶されている曲情報を読取し、第３のステーションは、第２のステーションに接続され、識別情報に基づいて需要者が正規の需要者であるかどうかを識別し、入力手段により入力された曲情報に基づき該楽曲情報記憶手段の該複数の楽曲情報を検索して該曲情報に関連する該楽曲情報を読取り、該楽曲情報記憶手段から読取られた楽曲情報を所定の記録媒体に記録し、楽曲情報が記録された記録媒体に関してカード状記憶媒体に記憶されている課金情報に基づき所定の課金処理を行い、第１のステーションから送信されてくる楽曲を需要者が聞いているときに所定の操作により該楽曲に対応する曲情報をカード状記憶媒体に記憶させ、需要者が第２のステーションにおいて該曲情報が記憶されたカード状記憶媒体を所定の入力手段に挿入することにより、所望の楽曲が記録された記録媒体を購入する。
【００７３】
【実施例】
以下、添付した図面を参照して、本発明のパーソナル記録媒体購入システムの実施例を説明する。
図１は、本発明のパーソナル記録媒体購入システム（以下、“購入システム”と略称する）の第１の実施例の概略図である。
図１に示すように、この実施例の購入システム１の主要部分は、コンビニエンスストアやガソリンスタンド等、顧客にとって最寄りに位置するＫＩＯＳＫ（キオスク）である店舗１０と、バックチャネルカンパニー２０によって構成されており、店舗１０とバックチャネルカンパニー２０は、インターネット又は専用回線４０によって接続されている。
【００７４】
店舗１０は、モニター、カードリーダー及びデータベース検索／申込端末（図示省略）を含むＭＤ制作申込み受付システム１１、ＭＤ制作申込み受付システム１１に接続された楽曲リスト・データベース１２、ＭＤ制作申込み受付システム１１及び楽曲リスト・データベース１２に接続された店舗機器管理システム１３、店舗機器管理システム１３に接続された通信システム１４を備えている。
バックチャネルカンパニー２０は、電話回線、インターネット等４０を介して店舗１０の通信システム１４に接続された通信システム２１、通信システム２１に接続されたサーバクライアントシステム（以下、ホストコンピュータと称する）２２、ホストコンピュータ２２に接続されており楽曲リスト・データベース２３、楽曲データ・データベース２４、インデックス・データベース２５及び著作権データベース２６を含む音楽データベース２７、音楽データベース２７に接続されたＭＤライター２８、音楽データベース２７に接続されたプリンター２９、ホストコンピュータ２２に接続されており顧客データベース３０及び課金決済データベース３１を含むカンパニー側データベース３２を備えている。
【００７５】
次に、図２〜図９を参照して、図１に示す購入システムの動作を説明する。
１−１．会員認識段階
まず、ＭＤ制作申込み受付システム１１のタッチセンサー方式モニター（以下、モニターと略称する）の画面上の「スタート」項目表示をタッチして購入システムのスイッチを入れる。モニターの画面上に「ようこそ！！」が表示され、続いて「カードを入れて下さい」と表示される。
顧客が購入システムの登録会員であれば、持っている会員カードをＭＤ制作申込み受付システム１１のカードリーダーに挿入する。また、顧客が未登録会員であれば、店舗において会員登録を行ない、新規の会員カードを購入してカードリーダーに挿入する。ここで、購入システムは、新規の会員カードを、顧客の自動車運転免許証や銀行カード等、身分を証明できるものに基づいて自動的に作製できるような新規会員カード作製機能を有するように構成してもよい。
【００７６】
カードリーダーが会員カードを読み取った後、モニターの画面上に「暗証番号を入れて下さい」と表示される。その表示に基づき、顧客は、各自に固有の暗証番号を入力する。暗証番号の入力は、モニターの画面上に表示された数字及び／又はアルファベット文字をタッチすることによって入力される。入力された暗証番号の情報と先にカードリーダーによって読み取られた会員カードの会員登録番号の情報は、通信システム１４から電話回線４０を介して、バックチャネルカンパニー２０の通信システム２１を経てサーバクライアントシステム（ホストコンピュータ）２２に送られる。
【００７７】
バックチャネルカンパニー２０では、ホストコンピュータ２２は、店舗１０から送られてきた暗証番号及び会員登録番号の情報に基づきカンパニー側データベース３２の顧客管理データベース３０を検索し、顧客が有効な会員であるかどうかのマッチングを行い、そのマッチング結果に関する情報を、通信システム２１から電話回線４０を介して、店舗１０の通信システム１４を経てＭＤ制作申込み受付システム１１に送る。また、ホストコンピュータ２２は、顧客が有効な会員であれば顧客コードＥを作成する。
【００７８】
店舗１０のＭＤ制作申込み受付システム１１は、受け取ったマッチング結果に関する情報に基づき、顧客が有効な会員であればモニターの画面上に「ＯＫです」と表示する。また、無効な会員であれば、「無効です」と表示する。上記の動作中に、暗証番号を誤って入力した場合には、「無効です」とモニターの画面上に表示した後、続いて「再度、暗証番号を確認して入力してください」と表示して、再度、暗証番号を入力させるように構成してもよい。この場合、セキュリティーの観点から暗証番号の再入力の回数を制限するように構成してもよい。そして、その規定回数内にマッチングが成立しなかった場合には購入システムを自動的にオフにする。
上記の段階で、モニターの画面に「ＯＫです」と表示された場合には、モニターは、次いで「楽曲を選びましょう」と画面に表示して楽曲選択段階へ進む。
【００７９】
１−２．楽曲選択段階
図３Ａに示すように、モニターの画面上には、「一曲目」についての楽曲選択項目が表示される。この楽曲選択項目には、（ａ）楽曲名、（ｂ）アーティスト名、（ｃ）アルバム名、（ｄ）作詞・作曲者名、（ｅ）ジャンル、（ｆ）制作年月日、（ｇ）歌詞の一部、（ｈ）メロディーの一部、及び（ｉ）おすすめラインナップ、の各項目が示されている。
顧客は、一曲目を選択するために、モニターの画面上に表示された楽曲選択項目を見ながら必要な情報をそれぞれ入力する。これらの情報の入力の方法は、種々の方法があり、例えば、キーボードを用いるように構成してもよいし、タッチペンにより画面上の各項目に直接記入するように構成してもよい。
ＭＤ制作申込み受付システム１１は、モニターの画面上に入力された情報に基づいて店舗１０の楽曲リスト・データベース１２を検索して必要な情報を取得する。
例として、顧客が（ｂ）アーティスト名、（ｇ）歌詞の一部、及び（ｈ）メロディーの一部をそれぞれ入力した場合のモニターの画面を図３Ｂに示す。
ここで、（ｈ）メロディーの一部の入力として音声認識方式を採り入れ、その方式により顧客が口ずさむメロディーを認識させるように構成してもよいし、その認識されたメロディーを更に楽譜に変換してモニターの画面上に表示するように構成してもよい。
【００８０】
これらの入力が終了した後、モニターの画面に表示されている「検索ボタン」を押すことにより検索が実行されて、図３Ｃに示すような検索結果がモニターの画面上に表示される。
即ち、検索の結果、モニターの画面には、一曲目の曲名、この例では「Ｉ　ＬＯＶＥＹＯＵ」が表示されると共にその曲コード０４４ＥＳＰＤ３８２４０１が表示されると同時に「選択ボタン」、「キャンセルボタン」、「終了ボタン」の選択項目も表示される。
モニターの画面上に表示された一曲目を確認し、入力された情報がそれでよければ、「選択ボタン」をタッチする。「選択ボタン」がタッチされると曲コードがＭＤ制作申込み受付システム１１のハードディスクに累積されると共に、モニターの画面上には、二曲目についての楽曲選択項目が表示される。二曲目の楽曲選択は、上述した一曲目の場合と同様な手順で行う。そして、希望の曲目数まで同様な操作を繰り返すことにより所望の楽曲の曲コードが逐次累積される。
全ての曲目選択が終了したならば、モニターの画面上に最後の曲目の検査結果が表示された後、「終了ボタン」選択項目をタッチして楽曲選択を終了する。
【００８１】
１−３．楽曲編成段階
上記の段階における「終了ボタン」のタッチにより、図４に示すように、モニターの画面上には「あなたが選んだ楽曲は」という表示に続いて、上記の楽曲選択段階で選択した楽曲が表示される。
この例では、
2004046794.tif 000003
とモニターの画面上に選択された楽曲リストが表示されると共に「並び替え」、「削除」、「追加」、「ＯＫ」の選択項目も同時に表示される。
【００８２】
１−３．１．　楽曲の並び替え
次に、選択した楽曲の順番の並び替えの手順を説明する。
モニターの画面上の「並び替え」の項目をタッチすると、下記に示すように、モニターの画面上には、各楽曲の右端に［　］がそれぞれ付されて表示される。
2004046794.tif 000004
図の例では、第１の楽曲と第３の楽曲を並び替えるので、［　］の中に上から順に３、２、１、４、５と入力することによって、楽曲の順番が３．２．１．４．５．に変更される。勿論、カーソルを用いるようなよく知られた他の方法を用いて楽曲の順番を並び替えてもよい。
【００８３】
モニターの画面上には、「ＯＫ」の項目が同時に表示され、所望の並び替えが終了した場合にこの「ＯＫ」の項目をタッチすることによって、モニターの画面は、「あなたが選んだ楽曲は」という表示に戻り、下記のように順番変更された楽曲が表示される。
2004046794.tif 000005
更に「ＯＫ」の項目をタッチすることにより、「あなたが選んだ楽曲は」という表示が
2004046794.tif 000006
というように再番号付けされて表示される。
【００８４】
１−３．２．　楽曲の削除
選択した楽曲の削除は、「削除」の項目をタッチすることにより行うことができる。「削除」の項目をタッチすると、「削除したい楽曲にタッチして下さい」と文字表示が行われると共に、
2004046794.tif 000007
と選択された楽曲リストがモニターの画面上に表示され、「ＯＫ」の選択項目も同時に表示される。
【００８５】
ここで、楽曲リストの「２．　ＳＡＴＩＳＦＡＣＴＩＯＮ　　　　ＴＨＥ　ＲＯＬＬＩＮＧ　ＳＴＯＮＥＳ」を削除する場合には、モニターの画面上の対応する楽曲表示部分をタッチすると、楽曲「２．　ＳＡＴＩＳＦＡＣＴＩＯＮ　　　　ＴＨＥ　ＲＯＬＬＩＮＧ　ＳＴＯＮＥＳ」の部分がリストから移動され、その部分だけが新たな頁に次のように「ＯＫ」の選択項目と共に、
2004046794.tif 000008
とモニターの画面上に表示される。ここで「ＯＫ」の項目にタッチすると、モニターの画面は、削除された楽曲以外の楽曲を再番号付けして下記のように再び表示する。
2004046794.tif 000009
【００８６】
１−３．３．　楽曲の追加
楽曲を新たに追加する場合には、「追加」の選択項目をタッチするとモニターの画面は「楽曲を追加します」と表示して、上述した「楽曲選択段階」の画面に戻る。そして、上述したように、モニターの画面を見ながら必要な手順を操作することによって新たな楽曲を追加することができる。
【００８７】
上記楽曲編成段階において必要な操作を行った後に画面上の「終了ボタン」の項目をタッチすることによって編成された楽曲に対応する「曲コード群Ａ」が生成される。また、この「終了ボタン」の項目をタッチすることによってモニターの画面も、以下に説明するように、次の段階に移行する。
【００８８】
１−４．装飾段階
この段階では、主にＭＤのジャケットデザイン選択及びアルバムタイトルの入力を行う。
１−４．１．　ジャケットデザイン選択
上記３．楽曲編成段階の終了と共に、モニターの画面には、図５に示すように「お好きなジャケットをお選び下さい」という文字表示と共に、この例では、一つの画面（即ち１頁）に９種類のジャケットのデザインが示され、他の頁のジャケットデザインは、「前頁」、「次頁」の項目表示をそれぞれタッチすることによって、前の頁に示されたジャケットのデザイン、次の頁に示されたジャケットのデザインをモニターの画面上に表示するこができる。勿論、一つの画面（１頁）に含まれるジャケットデザインの種類の数は、任意に設定してもよい。
この例では、図５に示された左側の欄の左上に配置されたデザインがモニターの画面をタッチすることによって選択され、次いで「ＯＫ」の項目表示をタッチすることによって、選択されたジャケットデザインに対応する「ジャケットデザインコードＢ」が生成される。
【００８９】
１−４．２．　アルバムタイトル入力
ジャケットデザイン選択の終了後、モニターの画面には、図６に示すように「アルバムタイトルを入れて下さい」という文字表示と共に、「キーボード入力」、「タッチセンサー入力」の項目が表示される。顧客は、「キーボード入力」または「タッチセンサー入力」の項目のいずれかをタッチしてから、キーボードにより、またはタッチセンサーに基づき、自分が決めたアルバムタイトルを入力する。モニターの画面は、「キーボード入力」または「タッチセンサー入力」の項目のいずれかがタッチされると同時に、「アルバムタイトルは　『将太＆真由』でよろしいですね。」と、入力されるアルバムタイトルの文字等を逐次表示すると共に、「変更」、「ＯＫ」の項目を同時に表示する。
【００９０】
顧客は、モニターの画面を見ながら、入力されたアルバムタイトルを変更したければ、「変更」の項目をタッチして、上述した手順で再度入力を行う。また、入力したアルバムタイトルがそれでよいならば、「ＯＫ」の項目をタッチすることにより、その表示されているアルバムタイトルに対応する「アルバムタイトル文字データＣ」を作成する。
【００９１】
１−５．最終確認段階
上記装飾段階が終了したならば、モニターの画面には、図７に示すような確認項目がそれぞれ表示される。即ち、「アルバムタイトル」、「ジャケット」及び「選択曲」の各項目の内容が最終確認のために再度表示される。この最終確認をした後に「ＯＫ」の項目をタッチすると、モニターの画面には、例えば、「あなたの料金は、１，０００円です。」というように、作成しようとしているＭＤの料金表示が行われる。
【００９２】
１−６．支払い段階
上記最終確認段階に続いて、モニターの画面には、例えば、「お支払い方法は？」という文字表示と共に、「クレジットカード」、「プリペイドカード」、及び「銀行引落」の項目が表示される。ここで顧客がいずれかの項目をタッチすることによって支払方法を選択すると、モニターの画面には、「カードをお入れ下さい。」という文字表示が行われ、顧客は、選択した支払い方法に対応するカードをカードリーダーに挿入する。カードリーダーによって読み取られたカードが承認されたならば、「カードデータＤ」が作成される。
【００９３】
１−７．伝送段階
上記支払い段階を終了したならば、上述のように作成された「曲コード群Ａ」、「ジャケットデザインコードＢ」、「アルバムタイトル文字データＣ」、「カードデータＤ」及び「顧客コードＥ」は、図１に示すように、通信システム１４、電話回線４０、及び通信システム２１を介してバックチャネルカンパニー２０に備えられたホストコンピュータ２２に送られる。
【００９４】
１−８．バックチャネルカンパニー作業段階
１−８．１．　ＭＤ盤制作作業
上記の各段階を完了した後、ＭＤの制作段階に入る。本実施例では、ＭＤ盤制作作業、即ちレコーディングは、バックチャネルカンパニー２０で行われる。
ＭＤの制作に必要な入力情報は、上述した「曲コード群Ａ」である。この曲コード群Ａの情報に基づき、音楽データベース２７の楽曲データ・データベース２４が検索され、楽曲データ・データベース２４から曲コード群Ａの情報に対応する楽曲が選択され、選択された楽曲がＭＤライター２８によってＭＤに高速録音される。
【００９５】
１−８．２．　ジャケット制作作業
また、バックチャネルカンパニー２０内では、「曲コード群Ａ」、「ジャケットデザインコードＢ」及び「アルバムタイトル文字データＣ」に基づき、プリンター２９によってジャケット制作作業（即ち、印字・熱転写）も行われる。ここでは、まず「曲コード群Ａ」に基づき、音楽データベース２７の楽曲リスト・データベース２３が検索され、楽曲リスト・データベース２３及びインデックス・データベース２５から各曲の属性が選択され、それらの情報がジャケットの所定の箇所に印字される。次いで「アルバムタイトル文字データＣ」に基づき、ジャケットのタイトル部分に入力されたタイトルが印字される。そして、「ジャケットデザインコードＢ」に基づき、選択されたジャケットデザインがジャケットの表紙部分に熱転写される。
【００９６】
１−８．３．　課金決済
ホストコンピュータ２２は、「カードデータＤ」及び「顧客コードＥ」の情報に基づき、カンパニー側データベース３２の課金決済データベース３１を検索して、そこから必要な情報を銀行やクレジット会社等、所定の金融機関に送り、顧客の課金決済を行う。
【００９７】
１−８．４．　著作権処理
ホストコンピュータ２２は、「曲コード群Ａ」の情報に基づき、音楽データベース２７の楽曲リスト・データベース２３及び著作権データベース２６を検索して、音楽データベース２７の著作権データベース２６から必要な情報をＪＡＳＲＡＣへ送って著作権処理を行い、レコード会社等に送って原盤処理を行う。
【００９８】
１−８．５．　メーリング作業
ホストコンピュータ２２は、「顧客コードＥ」の情報に基づき、カンパニー側データベース３２の顧客データベース３０を検索し、顧客の住所、等の情報から顧客の住所ラベルを印字して、所定の梱包を行った後、ＭＤをメーリングする。その結果、顧客は、注文したＭＤを受け取ることができる。
【００９９】
１−９．楽曲データベース更新段階
顧客にとって新しい楽曲の情報（楽曲リスト、楽曲データ、インデックス・データ等）を入手することは、非常に重要である。これらの情報は、バックチャネルカンパニー２０において常に更新され、最新版の楽曲リスト、楽曲データ、インデックス情報は、音楽データベース２７の楽曲リスト・データベース２３、楽曲データ・データベース２４及びインデックス・データベース２５にそれぞれ記憶されている。しかし、この実施例では、それらの情報の中で楽曲リストのみがホストコンピュータ２２、通信システム２１を介して店舗１０の通信システム１４に送られ、店舗機器管理システム１３を介して店舗１０の楽曲リスト・データベース１２に記憶される。
【０１００】
ここで、上述した本発明のパーソナル楽曲記録媒体購入システムに用いられる音楽データベースについて説明する。
以下に説明する音楽データベースのスペックは、本願発明において初めて提案されたものであり、音楽を一元化する蓄積可能なデータベース・スペックを備えており、音源、ＭＩＤＩデータ、楽譜データ、権利属性データを、ディジタル化し、かつ一元化して構成される。そして、既存の、もしくは将来に出現するであろう音楽録音システムに対して、音楽を一元コード化して、将来の音楽の流通に対応可能なように設計されている。
【０１０１】
図１１は、上述したように構成された音楽データベースの一実施例を示す図である。この音楽データベースは、（１）曲属性、（２）原盤権、（３）著作権、（４）楽譜、及び（５）音源の５つのカテゴリーを含む。そして、各カテゴリーは、更に下記の項目に関する情報を含む；
（１）曲属性
（１）−１　曲コード（国コード＋作品コード）
（１）−２　楽曲名
（１）−３　楽曲分数
（１）−４　アーティスト名
（１）−５　アーティスト国コード
（１）−６　製作年月日
（２）原盤権
（２）−１　原盤所有者
（２）−２　国コード
（２）−３　共同所有者
（２）−４　国コード
（３）著作権
（３）−１−１　作詞者
（３）−１−２　国コード
（３）−１−３　代表出版社
（３）−１−４　国コード
（３）−１−５　共同出版社
（３）−１−６　国コード
（３）−２−１　作曲者
（３）−２−２　国コード
（３）−２−３　代表出版社
（３）−２−４　国コード
（３）−２−５　共同出版社
（３）−２−６　国コード
（３）−３−１　編曲者
（３）−３−２　国コード
（３）−３−３　代表出版社
（３）−３−４　国コード
（３）−３−５　共同出版社
（３）−３−６　国コード
（４）楽譜
（４）−１　ＭＩＤＩデータ
（４）−２　生楽譜
（４）−３　歌詞
（５）音源
（５）−１　ディジタル（ＤＩＧＩＴＡＬ）　音源
【０１０２】
図１２及び図１３は、本発明のパーソナル楽曲記録媒体購入システムに用いられる音楽データベースを構成しているインデックス・データベースに記憶されているインデックス情報の例をそれぞれ示す図である。この例からも分かるように、インデックス情報は、上述した音楽データベースの情報の一部を楽曲毎に示している情報であり、インデックス・データベースは、これらのインデックス情報を記憶しているデータベースのことである。
図１２に示すインデックスＡの情報は、
（１）ジャンル　　　　邦楽
（２）楽曲名　　　　　赤いスイートピー
（３）楽曲分数　　　　５分２１秒
（４）アーティスト　　松田聖子
（５）作詞者　　　　　呉田軽穂
（６）作曲者　　　　　呉田軽穂
（７）製作年月日　　　１９８２年　７月　１日
（８）代表原盤国　　　日本
（９）代表原盤社　　　ソニーミュージック（ジャパン）
（１０）オプションＩ　（歌詞カード）
（１１）オプションＩＩ　（楽譜）
の各情報を含んでいる。
【０１０３】
また、図１３に示すインデックスＢの情報は、
2004046794.tif 000010
の各情報を含んでいる。
【０１０４】
以下の実施例で説明する音楽データベースも上述した構成を有しており、本発明の購入システムは、この音楽データベースを採り入れることによって、顧客にとっては、さらにグローバルな楽曲の選択が可能になると共に、著作権者にとっては、楽曲に係わる著作権の管理がより容易に行えるようになる。
図１４は、本発明の購入システムの第２の実施例の概略図である。
図１４に示すように、この実施例の購入システムの主要部分は、店舗１００、バックチャネルカンパニー２００及び放送局３００によって構成されている。店舗１００とバックチャネルカンパニー２００は、専用回線（インターネット、電話回線であってもよい）４００によって接続されている。また、店舗１００と放送局３００、及びバックチャネルカンパニー２００と放送局３００は、それぞれ衛星波（地上波、ケーブルであってもよい）４０１、４０２によって通信される。
【０１０５】
店舗１００は、第１の実施例と同様に、ＫＩＯＳＫであり、モニター、カードリーダー及びデータベース検索／申込端末（図示省略）を含むＭＤ制作申込み受付システム１０１、ＭＤ制作申込み受付システム１０１に接続された楽曲リスト・データベース１０２、楽曲データ・データベース１０３及びインデックス・データベース１０４を含む店舗側データベース１０５、店舗側データベース１０５に接続されたＭＤライター１０６、店舗側データベース１０５に接続されたプリンター１０７、ＭＤ制作申込み受付システム１０１に接続された通信システム１０８、データ放送受信システム１０９、及び店舗側データベース１０５に接続されたデータ放送デコーダー１１０を備えている。
バックチャネルカンパニー２００は、電話回線４００を介して店舗１００の通信システム１０８に接続された通信システム２０１、通信システム２０１に接続されたサーバクライアントシステム（以下、ホストコンピュータと称する）２０２、ホストコンピュータ２０２に接続されており楽曲リスト・データベース２０３、楽曲データ・データベース２０４、インデックス・データベース２０５及び著作権データベース２０６を含む音楽データベース２０７、ホストコンピュータ２０２に接続されており顧客データベース２０６及び課金決済データベース２０７を含むカンパニー側データベース２１０を備えている。
【０１０６】
放送局３００は、衛星波４０１を介してバックチャネルカンパニー２００の通信システム２０１に接続された通信システム３０１、通信システム３０１に接続された放送データ・データベース３０２、放送データ・データベース３０２に接続された放送データ送出サーバ３０３、放送データ送出サーバ３０３及び衛星波４０２を介して店舗１００のデータ放送受信システム１０９に接続されたデータ放送エンコーダー３０４を備えている。
【０１０７】
図１４に示す購入システムは、需要者が、コンビニエンスストアやガソリンスタンド等の最寄りの店舗において、好きなアーティストまたはミュージシャン及び好きな楽曲を、一曲毎に選択することができ、かつ選択した楽曲がディジタル・コピーされたＭＤを店舗内で作ることができるように構成されている。
【０１０８】
以下、図１５〜図２３を参照して、図１４に示す購入システムの動作を説明する。
２−１．会員認識段階
まず、ＭＤ制作申込み受付システム１０１のタッチセンサー方式モニター（以下、モニターと略称する）の画面上の「スタート」項目をタッチして購入システムのスイッチを入れる。モニターの画面上に「ようこそ！！」が表示された後、「カードを入れて下さい」と表示される。
顧客が購入システムの登録会員であれば、持っている会員カードをＭＤ制作申込み受付システム１０１のカードリーダーに挿入する。また、顧客が未登録会員であれば、店舗において新規の会員登録を行ない、会員カードを購入してカードリーダーに挿入する。
【０１０９】
ここで、上述した第１の実施例と同様に、購入システムは、新規の会員カードを、顧客の自動車運転免許証や銀行カード等、身分を証明できるものに基づいて自動的に作製できるように構成してもよい。
カードリーダーが会員カードを読み取った後、モニターの画面上には「暗証番号を入れて下さい」と表示される。その表示に基づき、顧客は、各自に固有の暗証番号を入力する。暗証番号の入力は、モニターの画面上に表示された数字及び／又はアルファベット文字をタッチすることによって入力される。入力された暗証番号の情報と先にカードリーダーによって読み取られた会員カードの会員登録番号の情報は、通信システム１０８から電話回線４００を介して、バックチャネルカンパニー２００の通信システム２０１を経てサーバクライアントシステム（ホストコンピュータ）２０２に送られる。
【０１１０】
バックチャネルカンパニー２００では、ホストコンピュータ２０２は、店舗１００から送られてきた暗証番号及び会員登録番号の情報に基づきカンパニー側データベース２１０の顧客管理データベース２０８を検索し、顧客が有効な会員であるかどうかのマッチングを行い、そのマッチング結果に関する情報を、通信システム２０１から電話回線４００を介して、店舗１００の通信システム１０７を経てＭＤ制作申込み受付システム１０１に送る。また、ホストコンピュータ２０２は、顧客が有効な会員であれば顧客コードＥを作成する。
店舗１００のＭＤ制作申込み受付システム１０１は、受け取ったマッチング結果に関する情報に基づき、顧客が有効な会員であれば「ＯＫです」とモニターの画面上に表示し、無効な会員であれば、「無効です」と表示する。また、上記の動作中において、暗証番号を誤って入力した場合には、「無効です」とモニターの画面に表示した後、続いて「再度、暗証番号を確認して入力してください」と表示して、再度、暗証番号を入力させるように構成してもよい。この場合、第１の実施例と同様に、セキュリティーの観点から暗証番号の再入力の回数を制限するように構成してもよい。そして、所定の回数以内に「ＯＫです」とモニターの画面上に表示されなければ、購入システムを自動的にオフにするように構成してもよい。
上記の段階でモニターの画面に「ＯＫです」と表示された場合には、モニターは、次いで、「楽曲を選びましょう」と画面に表示して、次の楽曲選択段階へ進む。
【０１１１】
２−２．楽曲選択段階
図１６Ａに示すように、モニターの画面上には、一曲目についての楽曲選択項目が表示される。この楽曲選択項目には、（ａ）楽曲名、（ｂ）アーティスト名、（ｃ）アルバム名、（ｄ）作詞・作曲者名、（ｅ）ジャンル、（ｆ）制作年月日、（ｇ）歌詞の一部、（ｈ）メロディーの一部、及び（ｉ）おすすめラインナップ、の各項目が示されている。
顧客は、一曲目を選択するために、モニターの画面上に表示された楽曲選択項目を見ながら必要な情報をそれぞれ入力する。入力は、上述した第１の実施例で示した方法で行う。
【０１１２】
ＭＤ制作申込み受付システム１０１は、モニターの画面上に入力された情報に基づいて店舗側データベース１０５に含まれた楽曲リスト・データベース１０２及びインデックス・データベース１０４を検索して必要な情報を取得する。
例として、顧客が（ｂ）アーティスト名、（ｇ）歌詞の一部、及び（ｈ）メロディーの一部をそれぞれ入力したものを図１６Ｂに示す。
ここで、上述した第１の実施例と同様に、（ｈ）メロディーの一部の入力として音声認識方式を採り入れ、その方式により顧客が口ずさむメロディーを認識させて、そのメロディーを楽譜表示するように構成してもよい。
これらの入力が終了した後、「検索ボタン」を押すと、図１６Ｃに示すような、検索結果がモニターの画面に表示される。
【０１１３】
検索の結果、モニターの画面には、一曲目の曲名、この例では「ＡＮＤ　Ｉ　ＬＯＶＥ　ＨＥＲ」が表示されると共にその曲コード０４４ＥＳＰＤ３８２４０９が表示されると同時に、「選択ボタン」、「キャンセルボタン」、「終了ボタン」の選択項目も表示される。
モニターの画面上に表示された一曲目を確認し、入力された情報がそれでよければ、「選択ボタン」の項目をタッチする。「選択ボタン」の項目がタッチされると曲コードがＭＤ制作申込み受付システム１０１のハードディスク内に累積されると共に、モニターの画面上には、二曲目についての楽曲選択項目が表示され、一曲目と同様な手順で操作して二曲目を選択する。以下、希望の曲目数まで同様な操作を繰り返すことにより各楽曲の曲コードが逐次累積される。
全ての曲目選択が終了したならば、最後の曲目の検査結果がモニターの画面上に表示されるので「終了ボタン」の項目をタッチして楽曲選択を終了する。
【０１１４】
２−３．楽曲編成段階
「終了ボタン」の項目のタッチにより、図１７に示すように、モニターには「あなたが選んだ楽曲は」という表示に続いて、上記の楽曲選択段階で選択した楽曲が示される。
この例では、
2004046794.tif 000011
とモニターの画面上に選択された楽曲リストが表示されると共に、「並び替え」、「削除」、「追加」、「ＯＫ」の選択項目も表示される。
【０１１５】
２−３．１．　楽曲の並び替え
次に、選択した楽曲の順番の並び替えの手順を説明する。
モニターの画面上の「並び替え」の項目をタッチすると、下記のように各楽曲の右端に［　］がそれぞれ付されて画面上に示される。
2004046794.tif 000012
図の例では、第１の楽曲と第３の楽曲を並び替えるので、［　］の中に上から順に３、２、１、４、５と入力することによって、楽曲の順番が３．２．１．４．５．に変更される。勿論、カーソルを用いるようなよく知られた他の方法を用いて楽曲の順番を並び替えてもよい。モニターでは、「ＯＫ」の項目が同時に表示され、所望の並び替えが終了した場合にこの「ＯＫ」の項目をタッチすることにより、「あなたが選んだ楽曲は」という表示に戻り、下記のように順番変更された楽曲がモニターの画面上に表示される。
【０１１６】
2004046794.tif 000013
更に「ＯＫ」の項目をタッチすることにより、「あなたが選んだ楽曲は」という表示が
2004046794.tif 000014
というように再番号付けされてモニターの画面上に表示される。
【０１１７】
２−３．２．　楽曲の削除
選択した楽曲の削除は、モニターの画面上の「削除」の項目をタッチすることにより行うことができる。「削除」の項目をタッチすると、「削除したい楽曲にタッチして下さい」と文字表示が行われると共に、
2004046794.tif 000015
と選択された楽曲リストがモニターの画面上に表示され、「ＯＫ」の選択項目も表示される。ここで、楽曲「２．　ＳＡＴＩＳＦＡＣＴＩＯＮ　　　　ＴＨＥ　ＲＯＬＬＩＮＧ　ＳＴＯＮＥＳ」を削除する場合には、上記の表示の対応する部分をタッチすると、楽曲「２．　ＳＡＴＩＳＦＡＣＴＩＯＮ　　　　ＴＨＥ　ＲＯＬＬＩＮＧ　ＳＴＯＮＥＳ」の部分がリストから移動され、その部分だけが新たな頁に次のように、「ＯＫ」の選択項目と共に、
2004046794.tif 000016
と表示される。ここで「ＯＫ」の項目にタッチすると、モニターは、削除された楽曲以外の楽曲を再番号付けして下記のように再び表示する。
【０１１８】
2004046794.tif 000017
２−３．３．　楽曲の追加
楽曲を新たに追加する場合には、「追加」の選択項目をタッチするとモニターは、「楽曲を追加します」と画面上に表示し、上述した楽曲選択段階の画面に戻る。そして、モニターの画面を見ながら必要な手順を操作することによって新たな楽曲を追加することができる。
上述した楽曲編成段階において必要な操作を行った後に「終了ボタン」の項目をタッチすることによって編成された楽曲に対応する「曲コード群Ａ」が生成される。また、この「終了ボタン」の項目をタッチすることによってモニターの画面も、以下に説明するような次の段階に移行する。
【０１１９】
２−４．装飾段階
この段階では、主にＭＤのジャケットデザイン選択及びアルバムタイトルの入力を行う。
【０１２０】
２−４．１．　ジャケットデザイン選択
上記楽曲編成段階の終了と共に、モニターの画面には、図１８（第１の実施例も参照のこと）に示すように「お好きなジャケットをお選び下さい」という文字表示と共に、この例では、一つの画面（即ち１頁）に９種類のジャケットのデザインが示されており、他の頁のジャケットデザインは、「前へ」、「次へ」の項目表示をそれぞれタッチすることによってモニターに表示される。勿論、一つの画面（１頁）に含まれるジャケットデザインの種類の数は、任意に設定してもよい。
この例では、図１８に示された左側の欄の左上に配置されたデザインがモニターをタッチすることによって選択され、次いで「ＯＫ」の項目表示をタッチすることによって、選択されたジャケットデザインに対応する「ジャケットデザインコードＢ」が生成される。
【０１２１】
２−４．２．　アルバムタイトル入力
ジャケットデザイン選択の終了後、モニターの画面には、図１９（第１の実施例も参照のこと）に示すように「アルバムタイトルを入れて下さい」という文字表示と共に、「キーボード入力」、「タッチセンサー入力」の項目表示が行われる。顧客は、「キーボード入力」または「タッチセンサー入力」の項目のいずれかをタッチしてから、キーボードにより、またはタッチセンサーに基づき、自分が決めたアルバムタイトルを入力する。モニターの画面は、「キーボード入力」または「タッチセンサー入力」の項目のいずれかがタッチされると同時に、「アルバムタイトルは『ＬＯＶＥ　ＳＯＮＧＳ』でよろしいですね。」と入力されるアルバムタイトルの文字等を逐次、表示すると共に、「変更」、「ＯＫ」の項目表示を同時に行う。
顧客は、モニターの画面を見ながら、入力されたアルバムタイトルを変更したければ、「変更」をタッチして、上述した手順で再度入力を行う。また、入力したアルバムタイトルがそれでよいならば、「ＯＫ」をタッチすることにより、その表示されているアルバムタイトルに対応する「アルバムタイトル文字データＣ」を作成する。
【０１２２】
２−５．最終確認段階
上記装飾段階が終了したならば、モニターの画面には、図２０（第１の実施例も参照のこと）に示すような確認項目がそれぞれ表示される。即ち、「アルバムタイトル」、「ジャケット」及び「選択曲」の各項目の内容が最終的確認のために再度表示される。この最終確認をした後に「ＯＫ」項目表示をタッチすると、モニターの画面には、例えば、「あなたの料金は、１，０００円です。」というように、作成しようとしているＭＤの料金表示が行われる。
【０１２３】
２−６．支払い段階
上記最終確認段階に続いて、モニターの画面には、例えば図２１に示すように、「お支払い方法は？」という文字表示と共に、「クレジットカード」、「プリペイドカード」、及び「銀行引落」の項目表示が行われる。ここで顧客がいずれかの項目表示をタッチすることによって支払方法を選択すると、モニターの画面には、「カードをお入れ下さい。」という文字表示が行われ、顧客は、カードリーダーに選択した支払い方法に対応するカードを挿入する。カードリーダーによって読み取られたカードが承認されたならば、「カードデータＤ」が作成される。
【０１２４】
２−７．伝送段階
上記支払い段階を終了したならば、上述のように作成された「曲コード群Ａ」、「カードデータＤ」及び「顧客コードＥ」は、図２２に示すように、通信システム１０８、電話回線４００、及び通信システム２０１を介してバックチャネルカンパニー２００に備えられたホストコンピュータ（サーバクライアントシステム）２０２に送られる。
【０１２５】
次に、図２３を参照して店舗１００及びバックチャネルカンパニー２００における作業段階を説明する。
２−８．ＭＤ制作段階
２−８．１．　ＭＤ盤制作作業
上記段階１〜段階６を完了した後、ＭＤの制作段階に入る。ＭＤ盤制作作業（即ち、レコーディング）は、ＫＩＯＳＫ内、即ち、コンビニエンスストア、ガソリンスタンド等の店舗１００で行われる。ＭＤの制作に必要な入力情報は、上述した「曲コード群Ａ」である。この曲コード群Ａの情報に基づき、店舗側データベース１０５の楽曲データ・データベース１０３が検索され、楽曲データ・データベース１０３から曲コード群Ａの情報に対応する楽曲が選択され、それらの選択された楽曲がＭＤライター１０６によってＭＤに高速録音される。
【０１２６】
２−８．２．　ジャケット制作作業
また、店舗１００内では、「曲コード群Ａ」、「ジャケットデザインコードＢ」及び「アルバムタイトル文字データＣ」に基づき、プリンター１０７によってジャケット制作作業（即ち、印字・熱転写）も行われる。ここでは、まず「曲コード群Ａ」に基づき、店舗側データベース１０５の楽曲リスト・データベース１０２が検索され、楽曲リスト・データベース１０２及びインデックス・データベース１０４から各曲の属性が選択され、それらの情報がジャケットの所定の箇所に印字される。から各曲の属性が選択され、それらの情報がジャケットの所定の箇所に印字される。次いで「アルバムタイトル文字データＣ」に基づき、ジャケットのタイトル部分に入力されたタイトルが印字される。そして、「ジャケットデザインコードＢ」に基づき、選択されたジャケットデザインがジャケットの表紙部分に熱転写される。
上記ＭＤ盤制作作業及び上記ジャケット制作作業を終了したならば、顧客は、所望のＭＤをＫＩＯＳＫ等の店舗１００で入手することができる。
【０１２７】
２−９．伝送段階
上記支払い段階を終了したならば、上述したＭＤ制作段階と同時に、上記のように作成された「曲コード群Ａ」、「カードデータＤ」及び「顧客コードＥ」は、図２２に示すように、通信システム１０８、電話回線４００、及び通信システム２０１を介してバックチャネルカンパニー２００に備えられたホストコンピュータ２０２に送られる。
【０１２８】
２−１０．バックチャネルカンパニー作業段階
２−１０．１．　課金決済
ホストコンピュータ２０２は、「カードデータＤ」及び「顧客コードＥ」の情報に基づき、カンパニー側データベース２１０の課金決済データベース２０９を検索して、そこから必要な情報を銀行やクレジット会社等、所定の金融機関に送り、顧客の課金決済を行う。
【０１２９】
２−１０．２．　著作権処理
ホストコンピュータ２０２は、「曲コード群Ａ」の情報に基づき、音楽データベース２０７の楽曲リスト・データベース２０３及び著作権データベース２０６を検索して、音楽データベース２０７の著作権データベース２０６から必要な情報をＪＡＳＲＡＣ、レコード会社等へ送って著作権、原盤処理を行う。
【０１３０】
２−１１．楽曲データベース更新段階
顧客にとって新しい楽曲の情報（楽曲リスト、楽曲データ、インデックス、等）を入手することは、非常に重要である。これらの情報は、放送局３００から衛星波、等４０２により店舗１００に送信される。
バックチャネルカンパニーは、最新版の楽曲リスト、楽曲データ、インデックス情報をホストコンピュータ２０２により音楽データベース２０７の楽曲リスト・データベース２０３、楽曲データ・データベース２０４及びインデックス・データベース２０５からそれぞれ読み出して、それらの情報を通信システム２０１から衛星波（電話回線または専用回線であってもよい）により放送局３００の通信システム３０１に送信する。
【０１３１】
放送局３００では、受信した最新版の楽曲リスト、楽曲データ、インデックス情報を放送データ・データベース３０２に記憶する。放送データ送出サーバ３０３は、放送データ・データベース３０２に記憶された最新版の楽曲リスト、楽曲データ、インデックス情報をデータ放送エンコーダー３０４に送り、データ放送エンコーダー３０４は、それらの情報をエンコードすることにより送信信号に変換してから、衛星波、等４０２により店舗１００のデータ放送受信システム１０９に送信する。
エンコードされた信号を受信した店舗１００のデータ放送受信システム１０９は、それらの信号をデータ放送デコーダー１１０に送り、送られてきた信号を復号（デコード）して最新版の楽曲リスト、楽曲データ、インデックス情報を読み取り、店舗側データベース１０５の対応する楽曲リスト・データベース１０２、楽曲データ・データベース１０３、及びインデックス・データベース１０４にそれぞれの情報を記憶させる。
これにより、店舗１００には常に最新の音楽情報が記憶されており、顧客のニーズに対応できるように構成されている。
【０１３２】
図２４は、本発明の購入システムの第３の実施例の概略図である。
図２４の構成を説明する前に、第３の実施例の特徴を説明する。第１及び第２の実施例との大きな相違点は、自宅でＭＤ申込みをするように構成されており、最新曲をデータ放送で申込むことである。
【０１３３】
第３の実施例は、特定会員向けサービスである：
（１）最新楽曲リスト（曲コード）のみを放送局１３００からデータ放送で送る；
（２）「ＭＴＶ」、「カウントダウンＴＶ」、等のテレビ番組を見ながら、欲しい最新曲をクリックする；
（３）欲しい曲が数曲たまったならば、ホストコンピュータ１２０２へアクセスする；
（４）コンピレーションＭＤが家庭１１００に配送される；
（５）著作権決済処理が行われる。
次に、第３の実施例における前提条件を示す。
Ａ．会員（ユーザ）は、予めＰＣ　ＴＶが購入等により存在しているか、または専用ボードを購入して既に存在しているＰＣに合体されており、家庭の電話回線にＰＣ　ＴＶを接続している；
Ｂ．新曲ができると、レコード会社は、まず、ミュージック・データベースに必要属性の届け出を出し、それにより、曲コードが割り当てられる；
Ｃ．本放送（例えば、「ＭＴＶ」、等のテレビ番組）に使用されていない放送帯域に曲コード（＋α）を埋め込んで音楽放送を行う；
Ｄ．リモコンまたはキーボード、またはマウス操作により、放送局１３００から送られてきた曲コード（＋α）をＰＣ　ＴＶハードディスク内に蓄積し、その後に伝送する；
（このＰＣ　ＴＶは、ミュージック・データベース・ホームページにリンクされ、ハードディスク内の楽曲リスト・データベースが常に更新されているのが望ましい。）
Ｅ．本放送に使用されていない放送帯域とは、データ放送、文字放送、副音声放送の各帯域のことである。
Ｆ．チケット情報、一般商品情報をコード化して申込み作業をより簡便に行うことができるようなシステムとしても利用できる。
Ｇ．ラジオ向けのシステムとしても利用できる。
Ｈ．ＩＣカードの利用も可能である。
【０１３４】
図２４に示すように、この実施例の購入システムの主要部分は、家庭１１００、バックチャネルカンパニー１２００及び放送局１３００によって構成されている。家庭１１００とバックチャネルカンパニー１２００は、電話回線（インターネット、専用回線であってもよい）１４００によって接続されている。家庭１１００と放送局１３００、及びバックチャネルカンパニー１２００と放送局１３００は、それぞれ衛星波（地上波、ケーブルであってもよい）１４０１、１４０２によって通信される。
家庭１１００とは、会員になっている顧客の住居、等であり、ＭＤ制作申込み受付システム１１０１、ＭＤ制作申込み受付システム１１０１に接続された楽曲リスト・データベース１１０２、ＭＤ制作申込み受付システム１１０１に接続された通信システム１１０３、楽曲リスト・データベース１１０２に接続されたデータ放送デコーダー１１０５、データ放送デコーダー１１０５に接続されたデータ放送受信システム１１０４を備えている。
【０１３５】
バックチャネルカンパニー１２００は、電話回線１４００を介して家庭１１００の通信システム１１０３に接続された通信システム１２０１、通信システム１２０１に接続されたサーバクライアントシステム（以下、ホストコンピュータと称する）１２０２、ホストコンピュータ１２０２に接続されており楽曲リスト・データベース１２０３、楽曲データ・データベース１２０４、インデックス・データベース１２０５及び著作権データベース１２０６を含む音楽データベース１２０７、ホストコンピュータ１２０２に接続されており顧客データベース１２０６及び課金決済データベース１２０７を含むカンパニー側データベース１２１０を備えている。更に、ＭＤライター１２１１及びプリンター１２１２が音楽データベース１２０７に接続されている。
【０１３６】
放送局１３００は、衛星波１４０１を介してバックチャネルカンパニー１２００の通信システム１２０１に接続された通信システム１３０１、通信システム１３０１に接続された放送データ・データベース１３０２、放送データ・データベース１３０２に接続された放送データ送出サーバ１３０３、放送データ送出サーバ１３０３及び衛星波１４０２を介して家庭１１００のデータ放送受信システム１１０４に接続されたデータ放送エンコーダ１３０４を備えている。
この第３の実施例は、上述した第１及び第２の実施例とは異なり、放送局から楽曲リスト（＝曲コード）がデータ放送され、かつ家庭１１００でＭＤを申し込むことができるように構成されている。申し込んだＭＤは、バックチャネルカンパニー１２００から配送により家庭１１００に送られる。
【０１３７】
次に、第３の実施例の動作を説明する。
レコード会社Ｍが、例えば、松田聖子の新曲「Ｌｏｖｅ　ｙｏｕ」を制作したと想定する。レコード会社Ｍは、即に、その新曲をミュージック・データベースに登録する。登録により、その新曲に対する曲コード、例えば０８１ＡＭＤＭ０２９９８８が付与される。次いで、レコード会社Ｍは、曲コード０８１ＡＭＤＭ０２９９８８が付与された新曲「Ｌｏｖｅ　ｙｏｕ」のプロモーションビデオを、例えば民間放送局ＴＢＳのテレビ番組「カウントダウンＴＶ」に持ち込むことにより、テレビ番組「カウントダウンＴＶ」で松田聖子の新曲「Ｌｏｖｅ　ｙｏｕ」をオンエアーさせると同時に曲コード０８１ＡＭＤＭ０２９９８８をデータ放送帯域で送信する。
電話回線に接続されているＰＣ　ＴＶのモニター画面上には、テレビ番組「カウントダウンＴＶ」がオンの状態であり、ちょうど松田聖子の新曲「Ｌｏｖｅ　ｙｏｕ」がオンエアーになっているものとする。
【０１３８】
図２５は、家庭１１００におけるＰＣ　ＴＶのモニター画面を示す。ここで、本放送（上記の場合には、ＴＢＳのテレビ番組「カウントダウンＴＶ」）において歌手Ａ（上記の場合には、松田聖子）の新曲「Ｌｏｖｅ　ｙｏｕ」の場面が流れ、続いて歌手Ｂ（この例では、安室奈美恵）の新曲「Ｈｏｗ　ｔｏ　ｂｅ　ａ　ｇｉｒｌ」の場面が流れているものとする。
３−１．選択
ＰＣ　ＴＶのモニター画面上には、「選択」及び「申込み」の項目表示が存在している。ここで、「選択」の項目表示は、取り込み可能であることを示すべく点滅していものとすると、この点滅している「選択」の項目表示をクリックまたはタッチすることによって、新曲「Ｌｏｖｅ　ｙｏｕ」に対応する曲コード０８１ＡＭＤＭ０２９９８８がＰＣ　ＴＶのハードディスクに記憶される。
【０１３９】
同様に、顧客（会員）は、図に示すように、同じ本放送（ＴＢＳのテレビ番組「カウントダウンＴＶ」の放送）中に安室奈美恵の新曲「Ｈｏｗ　ｔｏ　ｂｅ　ａ　ｇｉｒｌ」を選択して、この曲に対応する曲コードをＰＣ　ＴＶのハードディスクに記憶させる。
このようにして、同じ本放送中に８曲を選択して、テレビ番組「カウントダウンＴＶ」が終了したときには８曲分の曲コードがＰＣ　ＴＶのハードディスクに記憶されているものとする。更に、顧客（会員）は、他のテレビ番組の放送中に７曲を選択して、そのテレビ番組が終了したときには７曲分の曲コードがＰＣＴＶのハードディスクに記憶されているものとする。
上記の場合には、合計１５曲の曲コードがＰＣ　ＴＶのハードディスクに記憶されている。
【０１４０】
３−２．申込み
上記１．の選択動作を終了したならば、図２６に示すように、申込み動作に移る。
ＰＣ　ＴＶのモニター画面上の「申込み」の項目表示をクリック（またはタッチ）すると、モニター画面上に「音楽」、「ショッピング」、「チケット」の項目表示が表れるので、この実施例では、「音楽」の項目をクリックする。
「音楽」の項目をクリックすることによって、この実施例では、１５曲の曲コードからなる「曲コード群Ａ」が作成されると共に「顧客コードＥ」も作成される。また、同時に、ＰＣ　ＴＶのハードディスク内のブラウザが自動的に立ち上がり、図２７に示すように、モニターの画面上に、「あなたが選んだ楽曲は」という表示に続いて、上記のように選択した楽曲が示される。この例では、
2004046794.tif 000018
とモニターに選択された楽曲リストが表示されると共に、「並び替え」、「削除」、「追加」、「ＯＫ」の選択項目も表示される。
【０１４１】
３−２．１．　楽曲の並び替え
選択した楽曲の順番の並び替えは、「並び替え」をタッチすると、下記のように各楽曲の右端に［　］がそれぞれ示される。
2004046794.tif 000019
図の例では、第１の楽曲と第３の楽曲を並び替えるので、［　］の中に上から順に３、２、１、〜１５と入力することによって、楽曲の順番が３．２．１．４．〜１５．に変更される。勿論、カーソルを用いるようなよく知られた他の方法を用いて楽曲の順番を並び替えてもよい。モニターでは、「ＯＫ」の項目が同時に表示され、所望の並び替えが終了した場合にこの「ＯＫ」をタッチすることにより、「あなたが選んだ楽曲は」という表示に戻り、下記のように順番変更された楽曲が表示される。
【０１４２】
2004046794.tif 000020
更に「ＯＫ」をタッチすることにより、「あなたが選んだ楽曲は」という表示が、
2004046794.tif 000021
というように再番号付けされて表示される。
【０１４３】
３−２．２．　楽曲の削除
選択した楽曲の削除は、「削除」をタッチすることにより行うことができる。「削除」をタッチすると、「削除したい楽曲にタッチして下さい」と文字表示が行われると共に、
2004046794.tif 000022
と選択された楽曲リストがモニターの画面上に表示され、「ＯＫ」の選択項目も表示される。ここで、楽曲３．　ＬＯＶＥ　ＹＯＵ　　　　松田聖子を削除する場合には、上記の表示の対応する部分をタッチすると、楽曲３．　ＬＯＶＥ　ＹＯＵ　　　　松田聖子の部分がリストから移動され、その部分だけが新たな頁に次のように、「ＯＫ」の選択項目と共に、
2004046794.tif 000023
と表示される。ここで「ＯＫ」にタッチすると、モニターは、削除された楽曲以外の楽曲を再番号付けして下記のように再び表示する。
2004046794.tif 000024
【０１４４】
３−２．３．　楽曲の追加
楽曲を新たに追加する場合には、「追加」の選択項目をタッチするとモニターは、「楽曲を追加します」と画面上に表示し、上述した「１−２．楽曲選択段階」の画面に戻る。そして、モニターの画面を見ながら必要な手順を操作することによって新たな楽曲を追加することができる。
この段階において必要な操作を行った後に「終了ボタン」をタッチすることによって編成された楽曲に対応する「曲コード群Ａ」が生成される。また、この「終了ボタン」をタッチすることによってモニターの画面も、以下に説明するような次の段階に移行する。
【０１４５】
３−３．装飾段階
この段階では、主にＭＤのジャケットデザイン選択及びアルバムタイトルの入力を行う。この段階は、上述した第１の実施例と同様なので、以下、同じ説明を繰り返す。
３−３．１．　ジャケットデザイン選択
上記楽曲編成段階の終了と共に、モニターの画面には、前述した図５（第１の実施例参照）に示すように「お好きなジャケットをお選び下さい」という文字表示と共に、この例では、一つの画面（即ち１頁）に９種類のジャケットのデザインが示されており、他の頁のジャケットデザインは、「前へ」、「次へ」の項目表示をそれぞれタッチすることによってモニターに表示される。勿論、一つの画面（１頁）に含まれるジャケットデザインの種類の数は、任意に設定してもよい。この例では、図５に示された左側の欄の左上に配置されたデザインがモニターをタッチすることによって選択され、次いで「ＯＫ」の項目表示をタッチすることによって、選択されたジャケットデザインに対応する「ジャケットデザインコードＢ」が生成される。
【０１４６】
３−３．２．　アルバムタイトル入力
ジャケットデザイン選択の終了後、モニターの画面には、図６に示すように「アルバムタイトルを入れて下さい」という文字表示と共に、「キーボード入力」、「タッチセンサー入力」の項目表示が行われる。顧客は、「キーボード入力」または「タッチセンサー入力」の項目のいずれかをタッチしてから、キーボードにより、またはタッチセンサーに基づき、自分が決めたアルバムタイトルを入力する。モニターの画面は、「キーボード入力」または「タッチセンサー入力」の項目のいずれかがタッチされると同時に、「アルバムタイトルは　『ＬＯＶＥ
ＦＯＲ　ＳＡＬＥ』でよろしいですね。」と入力されるアルバムタイトルの文字等を逐次、表示すると共に、「変更」、「ＯＫ」の項目表示を同時に行う。
【０１４７】
顧客は、モニターの画面を見ながら、入力されたアルバムタイトルを変更したければ、「変更」をタッチして、上述した手順で再度入力を行う。また、入力したアルバムタイトルがそれでよいならば、「ＯＫ」をタッチすることにより、その表示されているアルバムタイトルに対応する「アルバムタイトル文字データＣ」を作成する。
【０１４８】
３−４．最終確認段階
上記装飾段階が終了したならば、モニターの画面には、図２８に示すような確認項目がそれぞれ表示される。即ち、「アルバムタイトル」、「ジャケット」及び「選択曲」の各項目の内容が最終的確認のために再度表示される。この最終確認をした後に「ＯＫ」項目表示をタッチすると、モニターの画面には、例えば、「あなたの料金は、２，０００円です。」というように、作成しようとしているＭＤの料金表示が行われる。
【０１４９】
３−５．支払い段階
上記最終確認段階に続いて、モニターの画面には、図２９に示すように、例えば、「お支払い方法は？」という文字表示と共に、「クレジットカード」、「プリペイドカード」、及び「銀行引落」の項目表示が行われる。ここで顧客がいずれかの項目表示をタッチすることによって支払方法を選択すると、モニターの画面には、「カードをお入れ下さい。」という文字表示が行われ、顧客は、カードリーダーに選択した支払い方法に対応するカードを挿入する。カードリーダーによって読み取られたカードが承認されたならば、「カードデータＤ」が作成される。
【０１５０】
３−６．伝送段階
上記支払い段階を終了したならば、図３０に示すように、上記のように作成された「曲コード群Ａ」、「ジャケットデザインコードＢ」、「アルバムタイトル文字データＣ」、「カードデータＤ」及び「顧客コードＥ」は、図２４に示す通信システム１１０３、電話回線１４００、及び通信システム１２０１を介してバックチャネルカンパニー１２００に備えられたホストコンピュータ１２０２に送られる。
【０１５１】
３−７．バックチャネルカンパニー作業段階
図３１にバックチャネルカンパニー１２００における作業段階を示す。
３−７．１．　ＭＤ盤制作作業
上記の段階を完了した後、ＭＤの制作段階に入る。ＭＤ盤制作作業（即ち、レコーディング）は、バックチャネルカンパニー１２００で行われる。ＭＤの制作に必要な入力情報は、上述した「曲コード群Ａ」である。この曲コード群Ａの情報に基づき、バックチャネルカンパニー１２００の音楽データベース１２０７の楽曲データ・データベース１２０４が検索され、楽曲データ・データベース１２０４から曲コード群Ａの情報に対応する楽曲が選択され、それらの選択された楽曲がＭＤライター１２１１によってＭＤに高速録音される。
【０１５２】
３−７．２．　ジャケット制作作業
また、バックチャネルカンパニー１２００では、「曲コード群Ａ」、「ジャケットデザインコードＢ」及び「アルバムタイトル文字データＣ」に基づき、プリンター１２１２によってジャケット制作作業も行われる。ここでは、まず「曲コード群Ａ」に基づき、音楽データベース１２０７の楽曲リスト・データベース１２０３が検索され、楽曲リスト・データベース１２０３及びインデックス・データベース１２０５から各曲の属性が選択され、それらの情報がジャケットの所定の箇所に印字される。次いで「アルバムタイトル文字データＣ」に基づき、ジャケットのタイトル部分に入力されたタイトルが印字される。そして、「ジャケットデザインコードＢ」に基づき、選択されたジャケットデザインがジャケットの表紙部分に熱転写される。
【０１５３】
３−７．３．　課金決済
ホストコンピュータ１２０２は、「カードデータＤ」及び「顧客コードＥ」の情報に基づき、カンパニー側データベース１２１０の顧客データベース１２０８及び課金決済データベース１２０９を検索して、それらから必要な情報を銀行やクレジット会社等、所定の金融機関に送り、顧客の課金決済を行う。
【０１５４】
３−７．４．　著作権処理
ホストコンピュータ１２０２は、「曲コード群Ａ」の情報に基づき、音楽データベース１２０７の楽曲リスト・データベース１２０３及び著作権データベース１２０６を検索して、音楽データベース１２０７の著作権データベース１２０６から必要な情報をＪＡＳＲＡＣ、レコード会社等へ送って著作権、原盤処理を行う。
【０１５５】
３−７．５．　メーリング作業
ホストコンピュータ１２０２は、「顧客コードＥ」の情報に基づき、カンパニー側データベース１２１０の顧客データベース１２０８を検索し、顧客の住所、等の情報から顧客の住所ラベルを印字して、所定の梱包を行った後、ＭＤをメーリングする。その結果、顧客は、注文したＭＤを受け取ることができる。
【０１５６】
図３２は、本発明のパーソナル楽曲記録媒体購入システム（以下、“購入システム”と略称する）の第４の実施例の概略図である。
図３２に示すように、この実施例の購入システムの主要部分は、家庭２１００、バックチャネルカンパニー２２００及び放送局２３００によって構成されている。家庭２１００とバックチャネルカンパニー２２００は、電話回線（インターネット、専用回線であってもよい）２４００によって接続されている。また、家庭２１００と放送局２３００、及びバックチャネルカンパニー２２００と放送局２３００は、それぞれ衛星波（地上波、ケーブルであってもよい）２４０１、２４０２によって通信される。
【０１５７】
家庭２１００は、カードリーダー及びＰＣ　ＴＶを含むＭＤ制作申込み受付システム２１０１、ＭＤ制作申込み受付システム２１０１に接続された楽曲リスト・データベース２１０２、楽曲データ・データベース２１０３及びインデックス・データベース２１０４を含む家庭側データベース２１０５、家庭側データベース２１０５に接続されたＭＤライター２１０６、家庭側データベース２１０５に接続されたプリンター２１０７、ＭＤ制作申込み受付システム２１０１に接続された通信システム２１０８、データ放送受信システム２１０９、及び家庭側データベース２１０５に接続されたデータ放送デコーダー２１１０を備えている。
バックチャネルカンパニー２２００は、電話回線、等２４００を介して家庭２１００の通信システム２１０８に接続された通信システム２２０１、通信システム２２０１に接続されたサーバクライアントシステム（以下、ホストコンピュータと称する）２２０２、ホストコンピュータ２２０２に接続されており楽曲リスト・データベース２２０３、楽曲データ・データベース２２０４、インデックス・データベース２２０５及び著作権データベース２２０６を含む音楽データベース２２０７、ホストコンピュータ２２０２に接続されており顧客データベース２２０６及び課金決済データベース２２０７を含むカンパニー側データベース２２１０を備えている。
【０１５８】
放送局２３００は、衛星波２４０１を介してバックチャネルカンパニー２２００の通信システム２２０１に接続された通信システム２３０１、通信システム２３０１に接続された放送データ・データベース２３０２、放送データ・データベース２３０２に接続された放送データ送出サーバ２３０３、放送データ送出サーバ２３０３及び衛星波２４０２を介して家庭１００のデータ放送受信システム２１０９に接続されたびデータ放送エンコーダー２３０４を備えている。
【０１５９】
図３２の構成を説明する前に、第４の実施例についてその特徴を説明する。
第４の実施例は、上述した第３の実施例に類似するが、大きな相違は、自宅（家庭）でＭＤを作成するように構成されていることであり、最新曲をデータ放送でＭＤ制作できることである。また、第４の実施例の購入システムは、特定会員向けサービスである：
（１）楽曲リスト（曲コード）及び楽曲データを放送局２３００からデータ放送で送る；
（２）利用情況を電話回線で吸い上げる；
（３）著作権決済処理が行われる。
【０１６０】
次に、第４の実施例における前提条件を示す。
Ａ．楽曲リスト・データベースは、ＰＣ　ＴＶ内のハードディスクに格納されている（楽曲リスト・データベースのメンテナンスは、深夜の電話回線によって更新される）。
Ｂ．最新楽曲の楽曲リスト（曲コード）と楽曲データ（ディジタル音源）がデータ放送を通じてＰＣ　ＴＶに降りてくる（ダウンロードされる）。専用デコーダーを使用する。
Ｃ．最新楽曲を購入したい人は、本放送中にボタンをクリックする。このとき、楽曲リスト（曲コード）が蓄積され、会員コードと共にホストコンピュータへ送られる。ホストコンピュータからは、承認コードが送り返されてくる。また、楽曲データ（曲音源）は、一度、ハードディスクに記憶されるが、上記の承認コードとのマッチングのみによりウォーターマークが入り、暗号解除が行われる。そして、一回のみ、ハードディスクからＭＤへ高速録音される。
【０１６１】
次に、図３３〜図３８を参照して、第４の実施例の動作を説明する。
まず、レコード会社Ｍが、例えば、松田聖子の新曲「Ｌｏｖｅ　ｙｏｕ」を制作したと想定する。レコード会社Ｍは、即に、その新曲をミュージック・データベースに登録すると共に、曲音源（ディジタル）も即日、預ける。そして、その新曲に対する曲コード、０８１ＡＭＤＭ０２９９８８が付与される。次いでレコード会社Ｍは、曲コード０８１ＡＭＤＭ０２９９８８、曲音源（ディジタル）が備わった「Ｌｏｖｅ　ｙｏｕ」のプロモーションビデオを、例えば、Ｊ　ＳＫＹ　Ｂの音楽配信専用チャネル「最新曲」に持ち込むことにより、チャネル「最新曲」で松田聖子の新曲「Ｌｏｖｅ　ｙｏｕ」をオンエアーさせると同時に曲コード０８１ＡＭＤＭ０２９９８８及び曲音源（ディジタル）をデータ放送帯域で送信する。
【０１６２】
ＰＣ　ＴＶのモニターには、チャネル「最新曲」がオンになっており、ちょうど松田聖子の新曲「Ｌｏｖｅ　ｙｏｕ」がオンエアーになっているものとする。
図３３は、家庭２１００におけるＰＣ　ＴＶのモニター画面を示す。ここで、本放送（上記の場合には、Ｊ　ＳＫＹ　Ｂのチャネル「最新曲」）において歌手Ａ（上記の場合には、松田聖子）の曲「Ｌｏｖｅ　ｙｏｕ」の場面が流れているものとする。
【０１６３】
４−１．獲得
ＰＣ　ＴＶのモニター画面上には、「獲得」及び「申込み」の項目表示が存在している。ここで、「獲得」の項目表示は、ダイレクト受信可能であることを示すべく点滅していものとする。この点滅している「獲得」の項目表示をクリックまたはタッチすることによって、曲「Ｌｏｖｅ　ｙｏｕ」に対応する曲コード０８１ＡＭＤＭ０２９９８８及び曲音源（ディジタル）がＰＣ　ＴＶのハードディスクにセーブされる。
【０１６４】
同様に、顧客（会員）は、同じ本放送（Ｊ　ＳＫＹ　Ｂのチャネル「最新曲」）中に安室奈美恵の最新曲「Ｈｏｗ　ｔｏ　ｂｅ　ａ　ｇｉｒｌ」を選択して、この曲に対応する曲コードと曲音源（ディジタル）をＰＣ　ＴＶのハードディスクに記憶させる。このようにして、同じ本放送中に数曲を獲得し、「最新曲」が終了したときに
は５曲分の曲コードと曲音源がＰＣ　ＴＶのハードディスクに記憶されているものとする。従って、この例では、５曲により構成された「曲コード群Ａ」及び「曲音源群α」が作成される。
【０１６５】
４−２．申込み
上記の獲得段階を終了した後、図３４に示すように、申込み動作に移る。
ＰＣ　ＴＶのモニター画面上の「申込み」の項目表示をクリック（またはタッチ）すると、モニター画面上に「音楽」、「ショッピング」、「チケット」の項目表示が表れるので、この実施例では、「音楽」の項目をクリックする。
「音楽」の項目をクリックすることによって、この実施例では、複数曲（例えば５曲）の曲コードからなる「曲コード群Ａ」が作成されると共に「顧客コードＥ」も作成される。また、同時に、ＰＣ　ＴＶのハードディスク内のブラウザが自動的に立ち上がり、モニターの画面上に、「獲得確認・あなたが選んだ楽曲は」という表示に続いて、上記のように獲得した楽曲が示される。この例では、
2004046794.tif 000025
とモニターに選択された楽曲リストが表示されると共に、「並び替え」、「削除」、「追加」、「ＯＫ」の選択項目も表示される。
【０１６６】
４−２．１．　楽曲の並び替え
選択した楽曲の順番の並び替えは、「並び替え」をタッチすると、下記のように各楽曲の右端に［　］がそれぞれ示される。
2004046794.tif 000026
図の例では、第１の楽曲と第３の楽曲を並び替えるので、［　］の中に上から順に３、２、１、４、５と入力することによって、楽曲の順番が３．２．１．４．５．に変更される。勿論、カーソルを用いるようなよく知られた他の方法を用いて楽曲の順番を並び替えてもよい。モニターでは、「ＯＫ」の項目が同時に表示され、所望の並び替えが終了した場合にこの「ＯＫ」をタッチすることにより、「あなたが選んだ楽曲は」という表示に戻り、下記のように順番変更された楽曲が表示される。
【０１６７】
2004046794.tif 000027
更に「ＯＫ」をタッチすることにより、「あなたが選んだ楽曲は」という表示が
2004046794.tif 000028
というように再番号付けされて表示される。
【０１６８】
４−２．２．　楽曲の削除
選択した楽曲の削除は、「削除」をタッチすることにより行うことができる。「削除」をタッチすると、「削除したい楽曲にタッチして下さい」と文字表示が行われると共に、
2004046794.tif 000029
と選択された楽曲リストがモニターの画面上に表示され、「ＯＫ」の選択項目も表示される。ここで、楽曲３．　ＬＯＶＥ　ＹＯＵ　　　　松田聖子を削除する場合には、上記の表示の対応する部分をタッチすると、楽曲３．　ＬＯＶＥ　ＹＯＵ　　　　松田聖子の部分がリストから移動され、その部分だけが新たな頁に次のように、「ＯＫ」の選択項目と共に、
2004046794.tif 000030
と表示される。ここで「ＯＫ」にタッチすると、モニターは、削除された楽曲以外の楽曲を再番号付けして下記のように再び表示する。
2004046794.tif 000031
【０１６９】
４−２．３．　楽曲の追加
楽曲を新たに追加する場合には、「追加」の選択項目をタッチするとモニターは、「楽曲を追加します」と画面上に表示し、上述した「１−２．楽曲選択段階」の画面に戻る。そして、モニターの画面を見ながら必要な手順を操作することによって新たな楽曲を追加することができる。
上記の段階において必要な操作を行った後に「終了ボタン」をタッチすることによって編成された楽曲に対応する「曲コード群Ａ」が生成される。また、この「終了ボタン」をタッチすることによってモニターの画面も、以下に説明するような次の段階に移行する。
【０１７０】
４−３．装飾段階
この段階では、主にＭＤのジャケットデザイン選択及びアルバムタイトルの入力を行う。この段階は、上述した第１の実施例と同様なので、以下、同じ説明を繰り返す。
【０１７１】
４−３．１．　ジャケットデザイン選択
上記の段階の終了と共に、モニターの画面には、上述した図５（第１の実施例参照）に示すように「お好きなジャケットをお選び下さい」という文字表示と共に、この例では、一つの画面（即ち１頁）に９種類のジャケットのデザインが示されており、他の頁のジャケットデザインは、「前へ」、「次へ」の項目表示をそれぞれタッチすることによってモニターに表示される。勿論、一つの画面（１頁）に含まれるジャケットデザインの種類の数は、任意に設定してもよい。
この例では、図５に示された左側の欄の左上に配置されたデザインがモニターをタッチすることによって選択され、次いで「ＯＫ」の項目表示をタッチすることによって、選択されたジャケットデザインに対応する「ジャケットデザインコードＢ」が生成される。
【０１７２】
４−３．２．　アルバムタイトル入力
ジャケットデザイン選択の終了後、モニターの画面には、図６（第１の実施例参照）に示すように「アルバムタイトルを入れて下さい」という文字表示と共に、「キーボード入力」、「タッチセンサー入力」の項目表示が行われる。顧客は、「キーボード入力」または「タッチセンサー入力」の項目のいずれかをタッチしてから、キーボードにより、またはタッチセンサーに基づき、自分が決めたアルバムタイトルを入力する。モニターの画面は、「キーボード入力」または「タッチセンサー入力」の項目のいずれかがタッチされると同時に、「アルバムタイトルは　『ＬＯＶＥ　ＦＯＲ　ＳＡＬＥ』でよろしいですね。」と入力されるアルバムタイトルの文字等を逐次、表示すると共に、「変更」、「ＯＫ」の項目表示を同時に行う。
顧客は、モニターの画面を見ながら、入力されたアルバムタイトルを変更したければ、「変更」をタッチして、上述した手順で再度入力を行う。また、入力したアルバムタイトルがそれでよいならば、「ＯＫ」をタッチすることにより、その表示されているアルバムタイトルに対応する「アルバムタイトル文字データＣ」を作成する。
【０１７３】
４−４．最終確認段階
上記の装飾段階が終了したならば、モニターの画面には、図７（第１の実施例参照）に示すような確認項目がそれぞれ表示される。即ち、「アルバムタイトル」、「ジャケット」及び「選択曲」の各項目の内容が最終的確認のために再度表示される。この最終確認をした後に「ＯＫ」項目表示をタッチすると、モニターの画面には、例えば、「あなたの料金は、２，０００円です。」というように、作成しようとしているＭＤの料金表示が行われる。
【０１７４】
４−５．支払い段階
上記の段階に続いて、モニターの画面には、図３５に示すように、例えば、「お支払い方法は？」という文字表示と共に、「クレジットカード」、「プリペイドカード」、及び「銀行引落」の項目表示が行われる。ここで顧客がいずれかの項目表示をタッチすることによって支払方法を選択すると、モニターの画面には、「カードをお入れ下さい。」という文字表示が行われ、顧客は、カードリーダーに選択した支払い方法に対応するカードを挿入する。カードリーダーによって読み取られたカードが承認されたならば、「カードデータＤ」が作成される。
【０１７５】
４−６．伝送段階
上記５．支払い段階を終了したならば、図３６に示すように、上記のように作成された「曲コード群Ａ」、「カードデータＤ」及び「顧客コードＥ」は、図２３に示すように、通信システム２１０８、電話回線２４００、及び通信システム２２０１を介してバックチャネルカンパニー２２００に備えられたホストコンピュータ２２０２に送られる。
【０１７６】
４−６．１．　課金決済
ホストコンピュータ２２０２は、「カードデータＤ」及び「顧客コードＥ」の情報に基づき、カンパニー側データベース２２１０の顧客データベース２２０８及び課金決済データベース２２０９を検索して、それらから必要な情報を銀行やクレジット会社等、所定の金融機関に送り、顧客の課金決済を行う。
４−６．２．　著作権処理
ホストコンピュータ２２０２は、「曲コード群Ａ」の情報に基づき、音楽データベース２２０７の楽曲リスト・データベース２２０３及び著作権データベース２２０６を検索して、音楽データベース２２０７の著作権データベース２２０６から必要な情報をＪＡＳＲＡＣ、レコード会社等へ送って著作権、原盤処理を行う。
【０１７７】
４−７．暗号認証
図３７に示すように、バックチャネルカンパニー２２００のホストコンピュータ２２０２で「曲コード群Ａ」、「カードデータＤ」及び「顧客コードＥ」の受取りが確認された後、「顧客コードＥ」に付随して「承認コードβ」が家庭２１００のＰＣ　ＴＶに伝送されてくる。
【０１７８】
４−８．解凍
図３８に示すように、家庭２１００におけるＰＣ　ＴＶのハードディスク内に記憶されている「曲音源群α」と上記の暗号認証段階でバックチャネルカンパニー２２００のホストコンピュータ２２０２から送られてきた「承認コードβ」がマッチイングしていれば、ＭＤに所望の楽曲が録音可能になる（一度のみ・ウォーターマーク入り）。
【０１７９】
４−９．ＭＤ盤制作作業
上記の段階を完了した後、ＭＤの制作段階に入る。ＭＤ盤制作作業（即ち、レコーディング）は、家庭２１００で行われる。即ち、上記４−８．で解凍された曲音源群αの楽曲がＭＤライター２１０６によってＭＤに高速録音される。
【０１８０】
４−１０．ジャケット制作作業
また、家庭２１００では、「曲コード群Ａ」、「ジャケットデザインコードＢ」及び「アルバムタイトル文字データＣ」に基づき、プリンター２１０７によってジャケット制作作業も行われる。ここでは、まず「曲コード群Ａ」に基づき、家庭側データベース２１０５の楽曲リスト・データベース２１０３が検索され、楽曲リスト・データベース２１０３及びインデックス・データベース２１０５から各曲の属性が選択され、それらの情報がジャケットの所定の箇所に印字される。次いで「アルバムタイトル文字データＣ」に基づき、ジャケットのタイトル部分に入力されたタイトルが印字される。そして、「ジャケットデザインコードＢ」に基づき、選択されたジャケットデザインがジャケットの表紙部分に熱転写される。
【０１８１】
上述の実施例は、本発明のパーソナル記録媒体購入システム、パーソナル記録媒体購入方法、及びパーソナル記録媒体購入プログラムを記録した記録媒体を楽曲に適用した場合について説明した。
しかしながら、本発明のパーソナル記録媒体購入システム、等は、上述した楽曲のみに限定されるものではなく、例えば、映画等の映像や音声を情報源とするもの、グラフィクス等の画像や音声を用いたゲームソフトを情報源とするものに対しても適用することができる。
従って、本発明のパーソナル記録媒体購入システム、等を用いることにより、需要者は、これらの情報の中から需要者が所望するものだけを記録した記録媒体を独自に制作及び購入することができる。
【０１８２】
図３９は、本発明の購入システムの第５の実施例の概略図である。
図３９の構成を説明する前に第５の実施例の特徴を説明する。上述した他の実施例との大きな相違点として、本実施例ではＩＣカード（スマートカードとも称する）を利用することである。
本実施例では、需要者は、ＩＣカードが着脱可能なクリックラジオで放送局から放送されているＦＭ放送、等の音楽番組を聞いているときに、好きな楽曲が流れた場合に、ＩＣカードをクリックラジオに装着し、クリックラジオに設けられた獲得ボタンを押すことによりその楽曲の情報（曲コード）をＩＣカードの記憶装置に記憶し、曲コードが記憶されたＩＣカードをコンビニエンス・ストア等のＫＩＯＳＫに持ち込むことにより、好みの楽曲（音楽番組で聞いた楽曲を含む）で構成されたＭＤの制作を申し込み、需要者独自のＭＤを購入することができるように構成されている。
【０１８３】
図３９に示す構成を有している、本発明の購入システムにおける第５の実施例は、
（１）クリックラジオとＩＣカードを利用するものであり、需要者、とりわけ特定の会員に対するサービスである；
（２）楽曲リスト（曲コード）のみを放送局からデータ放送で送る；
（３）ラジオの音楽番組「Ｊ−ＷＡＶＥ　ＳＥＬＥＣＴＩＯＮ」、等を聞きながら欲しい曲が流れているときにクリックラジオの獲得ボタンをクリックする；
（４）欲しい曲の情報がＩＣカードに数曲たまったならば、店舗にてＩＣカードによりホストコンピュータへアクセスする；
（５）コンピレーションＭＤが家庭に配送される；
（６）著作権・課金決済処理が行われる；
（７）このシステムを利用するために、会員は、
ａ）会員登録により配布されるＩＣカードを所持していること；
ｂ）ＩＣカードが着脱可能であり、チューナによって選択した放送局から送られてくる音楽放送をアンテナを介して受信でき、かつその音楽放送を聞きながら好きな楽曲が流れたときにＩＣカードを装着してクリックラジオの獲得ボタンをクリックすることによってその楽曲に対応する曲コードをＩＣカードに記憶することができる機能を備えたクリックラジオを所持していることが必要である。
【０１８４】
図３９に示すように、本実施例の購入システムの主要部分は、ＩＣカード５０００、クリックラジオ５１００、店舗５２００、バックチャネルカンパニー５３００及び放送局５４００によって構成されている。
ＩＣカード５０００は、図示していないがＣＰＵ（中央処理装置）及び記憶装置（ＥＰＲＯＭ等）を備え、会員登録により会員登録番号（または各会員に固有な暗証番号でもよい）に関する情報がＩＣカード５０００の記憶装置に記憶されるように構成されている。
クリックラジオ５１００は、種々の放送局を選択可能なチューナ（図示省略）と当該チューナによって選択された放送局から放送されているＦＭ／ＡＭ放送及びデータ放送（ここではＦＭ／ＡＭ放送及びデータ放送ともに、デジタル信号を用いて伝送されているものと想定するが、それらはアナログ信号であってもよい）を受信するアンテナ（図示省略）等で構成されるデータ放送受信機能を備えたデータ放送受信部５１０１、データ放送受信部５１０１に接続され当該データ放送受信部５１０１により受信した音楽番組のデジタル信号をデコードしてアナログ信号に変換した後にイヤホーンやスピーカ等（図示省略）を介して音楽番組から流れている楽曲を聞くことができるようにアナログ楽曲信号（以下、楽曲信号または単に楽曲と称する）を再生する機能を備えたデータ放送デコーダー５１０２、データ放送受信部５１０１及びデータ放送デコーダー５１０２にそれぞれ接続されておりデータ放送受信部５１０１により受信したデータ放送の信号に含まれている楽曲に対応するデジタル曲コード（以下、曲コードと称する）をＩＣカード５０００に記憶させるための制御部５１０３を備えている。
【０１８５】
店舗５２００は、モニター、ＩＣカードリーダー及びデータベース検索／申込端末（図示省略）を含むＭＤ制作申込み受付システム５２０１、ＭＤ制作申込み受付システム５２０１に接続されておりＩＣカードリーダーによりＩＣカード５０００から読み取った曲コードを制御する制御部５２０２、及び制御部５２０２に接続された通信システム５２０３を備えている。
バックチャネルカンパニー５３００は、電話回線、インターネット等を介して店舗５２００の通信システム５２０３に接続された通信システム５３０１、通信システム５３０１に接続されたサーバクライアントシステム（以下、ホストコンピュータと称する）５３０２、ホストコンピュータ５３０２に接続されており楽曲リスト・データベース５３０３、楽曲データ・データベース５３０４、インデックス・データベース５３０５及び著作権データベース５３０６を含む音楽データベース５３０７、音楽データベース５３０７に接続されたＭＤライター５３０８、音楽データベース５３０７に接続されたプリンター５３０９、ホストコンピュータ５３０２に接続されており顧客データベース５３１０及び課金決済データベース５３１１を含むカンパニー側データベース５３１２を備えている。
【０１８６】
放送局５４００は、衛星波、等を介してバックチャネルカンパニー５３００の通信システム５３０１に接続された通信システム５４０１、通信システム５４０１に接続されたデータ放送データベース５４０２、データ放送データベース５４０２に接続されたデータ放送送出サーバ５４０３、データ放送送出サーバ５４０３及び衛星波を介して音楽番組を聴いている会員のクリックラジオ５１００のデータ放送受信部５１０２に接続されたデータ放送エンコーダー５４０４を備えている。
図３９に示すシステムは、主に世界各国の音楽に係わる著作権に関する情報を記憶する著作権デーベース５３０６を備えている。この著作権デーベース５３０６には特に音楽に係わる著作権の権利関係に関する情報が記憶されているが、他の分野、例えば、映画等に係わる著作権の情報（主に権利関係に関する情報）も記憶するように構成してもよい。
【０１８７】
ホストコンピュータ５３０２は、楽曲情報を楽曲リスト・データベース５３０３及び楽曲データ・データベース５３０４に登録する機能を備えたリクエスト楽曲判別部５３１４を有し、通信システム５３０１を介して入力出力（Ｉ／Ｏ）装置５３１３に接続されている。Ｉ／Ｏ装置５３１３から楽曲情報を入力することにより、楽曲の著作権者である作詞者、作曲者、及び編曲者は、通信システム５３０１及びリクエスト楽曲判別部５３１４を介して楽曲情報を容易に楽曲リスト・データベース５３０３及び楽曲データ・データベース５３０４に登録することができる。
更に、ホストコンピュータ５３０２は、使用される楽曲に基づき楽曲リスト・データベース５３０３及び楽曲データ・データベース５３０４に登録された楽曲情報に関する著作権を、著作権デーベース５３０６から検索して判別する機能を備えた適用著作権関連情報決定部５３１８を有している。
【０１８８】
更に、ホストコンピュータ５３０２は、使用された楽曲の使用回数を計数する機能を備えた楽曲使用回数計数部５３１６を備えている。
ホストコンピュータ５３０２は、適用著作権関連情報決定部５３１８によって決定された適用著作権の権利関係、及び課金決裁データベース５３１１に記憶されている情報に基づきロイヤルティー分配率を決定する機能を備えている課金及びロイヤルティー決定部５３１９を有する。
ホストコンピュータ５３０２は、上記楽曲使用回数計数部５３１６からの計数結果、及びロイヤルティー決定部５３１９により決定されたロイヤルティー分配率に基づき、楽曲の使用者から所定の課金を徴収して、使用された楽曲に係わる音楽出版社やレコード会社等のエージェント及び各著作権者に、それぞれ所定のロイヤルティーを還元するような機能を備えている。この機能は、ＩＣカードを利用することにより容易に実施することができる。
【０１８９】
更に、ホストコンピュータ５３０２の課金及びロイヤルティー決定部５３１９は、登録された楽曲の使用目的に関する情報に基づいて課金情報を変更することができる機能も備えている。
ホストコンピュータ５３０２の楽曲使用目的判定部５３１５は、使用される楽曲の使用目的を判定しかつその判定結果を所定の期間（不要になるまで）記憶する機能を備えている。
ホストコンピュータ５３０２の顧客認定部５３１７は、店舗５２００、放送局５４００、またはＩ／Ｏ装置５３１３から入力された顧客情報を、顧客データベース５３１０を参照することによって認定したり、新規な顧客情報を必要に応じて顧客データベース５３１０に記憶させる機能を有している。
【０１９０】
Ｉ／Ｏ装置５３１３は、店舗５２００、放送局５４００等にそれぞれ設置することもできる。そのように構成することによって、放送局などの使用者は、使用したい楽曲へのアクセスが容易になり、作詞者、作曲者及び編曲者は、その著作物である歌詞、楽譜等を登録することが容易になる。
【０１９１】
次に、図４０〜図４７を参照して、第５の実施例の動作を説明する。
５−１．ＩＣカードによる獲得段階
図４０に示すように、会員がクリックラジオ５１００により放送局５４００から放送されている音楽番組、例えばＦＭ放送の音楽番組「Ｊ−ＷＡＶＥ　ＳＥＬＥＣＴＩＯＮ」（以下、音楽番組と称する）を聞いている場合を想定する。放送局５４００は、会員がクリックラジオ５１００で音楽番組を聞いているときに、例えば松田聖子の「Ｌｏｖｅ　ｙｏｕ」をオンエアーすると共にその楽曲に対応する曲コード０８１ＡＭＤＭ０２９９８８も同時にデータ放送帯域で放送するものとする。会員は、音楽番組を聞いているときに自分の好みの曲である松田聖子の「Ｌｏｖｅｙｏｕ」が放送されているので、クリックラジオ５１００にＩＣカード５０００を挿着して獲得ボタン（図示省略）をクリックする。獲得ボタンのクリックにより松田聖子の「Ｌｏｖｅ　ｙｏｕ」に対応する曲コード０８１ＡＭＤＭ０２９９８８がＩＣカード５０００の記憶装置に記憶される。
【０１９２】
同様に、会員は、別の音楽番組の中から安室奈美恵の最新曲「ＣＡＮ　ＹＯＵ　ＣＥＬＥＢＲＡＴＥ　」を選択して、この曲に対応する曲コードをＩＣカード５０００の記憶装置に記憶させる。
図４１のフロー図に示すように、会員は、種々の音楽番組から数曲を獲得し（ステップＳ１）、適当な曲数、例えば５曲分の曲コードをＩＣカード５０００の記憶装置に記憶させて（ステップＳ２）、ＩＣカード５０００への楽曲データ蓄積（曲コードのダウンロード）を終了する（ステップＳ３）。
上記の段階が終了したならば、以下に説明するように、ＩＣカード５０００を店舗５２００に持って行き、ＭＤの申込みを行う。
【０１９３】
５−２．会員確認段階
図４２に示すように、店舗５２００では、ＭＤ制作申込み受付システム５２０１のタッチセンサー方式モニター（以下、モニターと略称する）の画面上の「スタート」項目表示をタッチして購入システムのスイッチを入れる。モニターの画面上に「ようこそ！！」が表示され、続いて「ＩＣカードを入れて下さい」と表示される。ここで、図４３のフロー図に示すように、店舗５２００では、まず会員認証処理を行う（ステップＳ１１）。即ち、図４２に示すように、顧客が購入システムの登録会員であれば、持っているＩＣカード５０００をＭＤ制作申込み受付システム５２０１のＩＣカードリーダー（図示省略）に挿入する。ＩＣカードリーダーがＩＣカード５０００を読み取った後、モニターの画面上には「暗証番号を入れて下さい」と表示される。その表示に基づき、会員は、各会員毎に異なる固有の暗証番号を入力する。暗証番号の入力は、モニターの画面上に表示された数字及び／又はアルファベット文字をタッチすることによって入力される。入力された暗証番号の情報を含む信号と先にＩＣカードリーダーによってＩＣカード５０００から読み取られた会員登録番号の情報を含む信号は、通信システム５２０３から電話回線、専用回線、またはインターネット、等を介して、バックチャネルカンパニー５３００の通信システム５３０１を経てサーバクライアントシステム（ホストコンピュータ）５３０２に送られる。
【０１９４】
バックチャネルカンパニー５３００では、図４５のフローに示すように、ホストコンピュータ５３０２は、店舗５２００から送られてきた暗証番号の情報及び会員登録番号の情報を含む信号を受信し（ステップＳ２１）、受信した信号に基づきカンパニー側データベース５３１２の顧客管理データベース５３１０を検索し（ステップＳ２２）、顧客が有効な会員であるかどうかのマッチングを行い（ステップＳ２３）、そのマッチング結果の情報を含む信号を、通信システム５３０１から電話回線を介して、店舗５２００の通信システム５２０３、制御部５２０２を経てＭＤ制作申込み受付システム５２０１に送る（ステップＳ２４）。また、ホストコンピュータ５３０２は、顧客が有効な会員であれば顧客コードＥを作成する。
【０１９５】
店舗５２００のＭＤ制作申込み受付システム５２０１は、受け取ったマッチング結果の情報を含む信号に基づき、顧客が有効な会員であれば「ＯＫです」とモニターの画面上に表示し、無効な会員であれば、「無効です」と表示する（図４３のステップＳ１２）。
また、上記の動作中において、暗証番号を誤って入力した場合には、「無効です」とモニターの画面に表示した後、続いて「再度、暗証番号を確認して入力してください」と表示して、再度、暗証番号を入力させるように構成してもよい。この場合、第１の実施例と同様に、セキュリティーの観点から暗証番号の再入力の回数を制限するように構成してもよい。そして、所定の回数以内に「ＯＫです」とモニターの画面上に表示されなければ、購入システムを自動的にオフにするように構成してもよい。
【０１９６】
５−３．獲得楽曲表示段階
上記の段階で、モニターの画面に「ＯＫです」と表示された場合には、モニターは、ＩＣカード５０００に記憶されている曲データに基づきそれらの曲データに対応している楽曲を一覧表に表示する（図４３のステップＳ１３）。
【０１９７】
即ち、モニターの画面に「ＯＫです」と表示されると同時に複数曲（この例では５曲）の曲コードからなる「曲コード群Ａ」及び「顧客コードＥ」が作成される。
そしてモニターの画面上に、図４４に示すように「獲得確認・あなたが選んだ楽曲は」という表示に続いて、上記のように獲得した楽曲が示される。この例では、
2004046794.tif 000032
のように、ＩＣカード５０００の記憶装置に獲得された曲コードに対応する楽曲のリストがモニターに表示されると共に、「並び替え」、「削除」、「追加」、「ＯＫ」の選択項目も表示される。
【０１９８】
５−４．楽曲編成段階
５−４．１．　楽曲の並び替え
次に、再び図４４を参照して、選択した楽曲の順番の並び替えの手順を説明する。
モニターの画面上の「並び替え」の項目をタッチすると、下記に示すように、モニターの画面上には、各楽曲の右端に［　］がそれぞれ付されて表示される。
2004046794.tif 000033
この例では、第１の楽曲と第３の楽曲を並び替えるので、［　］の中に上から順に３、２、１、４、５と入力することによって、楽曲の順番が３．２．１．４．５．に変更される。勿論、カーソルを用いるようなよく知られた他の方法を用いて楽曲の順番を並び替えてもよい。
【０１９９】
モニターの画面上には、「ＯＫ」の項目が同時に表示され、所望の並び替えが終了した場合にこの「ＯＫ」の項目をタッチすることによって、モニターの画面は、「あなたが選んだ楽曲は」という表示に戻り、下記のように順番変更された楽曲が表示される。
2004046794.tif 000034
更に「ＯＫ」の項目をタッチすることにより、「あなたが選んだ楽曲は」という表示が
2004046794.tif 000035
というように再番号付けされて表示される。
【０２００】
５−４．２．　楽曲試聴確認段階
「あなたが選んだ楽曲は」という表示と共にリストアップされた楽曲に基づいてＭＤを作成する前に、それらの楽曲が実際に会員が所望するものであるかどうかを確認するために、最初の楽曲である「１．　ＦＡＣＥ　ＴＨＥ　ＣＨＡＮＧＥ　　ＥＶＥＲＹ　ＬＩＴＴＬＥ　ＴＨＩＮＧ」から第５番目の楽曲である「　５．　ＰＲＯＭＩＳＥ　　　広瀬香美」の各楽曲の一部を実際に試聴する必要がある。
会員が店舗５２００のＭＤ制作申込み受付システム５２０１に設置されている楽曲試聴装置（図示省略）をオンにし、楽曲試聴装置に接続されているヘッドホーンを耳の部分に装着すれば、会員は、モニター画面にリストアップされた各楽曲の歌詞及び／又はメロディーの一部分をヘッドホーンを通して聞くことができると共に、ヘッドホーンから流れている楽曲に該当するモニター画面に表示されたリスト中の箇所を強調トーンによって示し、その箇所を参照することによって視覚的に確認することができる。この動作は、楽曲の信号とモニターに表示されている楽曲のリストを表示する信号を同期させることによって容易に行うことができる。
楽曲試聴確認段階の結果に基づき、必要に応じて、以下に説明するような「削除」及び／又は「追加」の各段階を実行することができるように構成されている。
【０２０１】
５−４．３．　楽曲の削除
選択した楽曲の削除は、「削除」の項目をタッチすることにより行うことができる。「削除」の項目をタッチすると、「削除したい楽曲にタッチして下さい」と文字表示が行われると共に、
2004046794.tif 000036
と選択された楽曲リストがモニターの画面上に表示され、「ＯＫ」の選択項目も同時に表示される。
【０２０２】
ここで、楽曲リストの「２．　ＬＯＶＥ　ＹＯＵ　　　　松田聖子」を削除する場合には、モニターの画面上の対応する楽曲表示部分をタッチすると、楽曲「２．　ＬＯＶＥ　ＹＯＵ　松田聖子」の部分がリストから移動され、その部分だけが新たな頁に次のように「ＯＫ」の選択項目と共に、
2004046794.tif 000037
とモニターの画面上に表示される。ここで「ＯＫ」の項目にタッチすると、モニターの画面は、削除された楽曲以外の楽曲を再番号付けして下記のように再び表示する。
2004046794.tif 000038
【０２０３】
５−４．４．　楽曲の追加
楽曲を新たに追加する場合には、「追加」の選択項目をタッチするとモニターの画面は「楽曲を追加します」と表示して、上述した他の実施例、例えば、第１の実施例に示した「楽曲選択段階」の画面に戻る。そして、上述したように、モニターの画面を見ながら必要な手順を操作することによって新たな楽曲を追加することができる。
上記楽曲編成段階において必要な操作を行った後に画面上の「終了ボタン」の項目をタッチすることによって編成された楽曲に対応する「曲コード群Ａ」が生成される。また、この「終了ボタン」の項目をタッチすることによってモニターの画面も、以下に説明するように、次の段階に移行する。
【０２０４】
５−５．装飾段階
この段階では、主にＭＤのジャケットデザイン選択及びアルバムタイトルの入力を行う。この段階は、上述した第１の実施例と同様なので、以下、同じ説明を繰り返す。
５−５．１．　ジャケットデザイン選択
上記の段階の終了と共に、モニターの画面には、図４６に示すように、「お好きなジャケットをお選び下さい」という文字表示と共に、この例では、一つの画面（即ち１頁）に９種類のジャケットのデザインが示されており、他の頁のジャケットデザインは、「前へ」、「次へ」の項目表示をそれぞれタッチすることによってモニターに表示される。勿論、一つの画面（１頁）に含まれるジャケットデザインの種類の数は、任意に設定してもよい。
【０２０５】
この例では、図４６に示された左側のジャケット欄の中央コラムの最下部に配置されたデザインがモニターをタッチすることによって選択され、次いで「ＯＫ」の項目表示をタッチすることによって、選択されたジャケットデザインに対応する「ジャケットデザインコードＢ」が生成される。
【０２０６】
５−５．２．　アルバムタイトル入力
ジャケットデザイン選択の終了後、モニターの画面には、図４７に示すように、「アルバムタイトルを入れて下さい」という文字表示と共に、「キーボード入力」、「タッチセンサー入力」の項目表示が行われる。顧客は、「キーボード入力」または「タッチセンサー入力」の項目のいずれかをタッチしてから、キーボードにより、またはタッチセンサーに基づき、自分が決めたアルバムタイトルを入力する。モニターの画面は、「キーボード入力」または「タッチセンサー入力」の項目のいずれかがタッチされると同時に、「アルバムタイトルは　『ＮＥＷＰＡＳＳＩＯＮ』でよろしいですね。」と入力されるアルバムタイトルの文字等を逐次、表示すると共に、「変更」、「ＯＫ」の項目表示を同時に行う。
顧客は、モニターの画面を見ながら、入力されたアルバムタイトルを変更したければ、「変更」をタッチして、上述した手順で再度入力を行う。また、入力したアルバムタイトルがそれでよいならば、「ＯＫ」をタッチすることにより、その表示されているアルバムタイトルに対応する「アルバムタイトル文字データＣ」を作成する。
【０２０７】
５−６．最終確認段階
上記の装飾段階が終了したならば、モニターの画面には、図４８に示すような確認項目がそれぞれ表示される。即ち、「アルバムタイトル」、「ジャケット」及び「選択曲」の各項目の内容が最終的確認のために再度表示される。この最終確認をした後に「ＯＫ」項目表示をタッチすると、モニターの画面には、例えば、「あなたの料金は、２，０００円です。」というように、作成しようとしているＭＤの料金表示が行われる。
【０２０８】
５−７．支払い段階
この実施例では、「ＩＣカード」方式の電子マネーにより銀行引落が自動的に行われるように構成されている。図４９に示すように、ＩＣカード５０００の記憶装置からクレジット情報がＩＣカードリードによって読み取られ、そのクレジット情報を含む信号がバックチャネルカンパニー５３００のホストコンピュータ５３０２に送られて承認データ受信処理を行い（ステップＳ３１）、その受信した承認データに基づいて顧客データベース５３１０、課金決済データベース５３１１を検索することによりクレジット承認処理を行い（ステップＳ３２）、その結果を店舗５２００の送信して承認結果送信処理（ステップＳ３３）をする。これらの処理（ステップＳ３１〜Ｓ３３）が実行されて「カードデータＤ」が作成される。
【０２０９】
５−８．伝送段階
上記支払い段階を終了したならば、図５０及び図５１に示すように、上記のように作成された「曲コード群Ａ」、「ジャケットデザインコードＢ」、「アルバムタイトル文字データＣ」、「カードデータＤ」及び「顧客コードＥ」は、図３９に示す通信システム５２０３、電話回線、及び通信システム５３０１を介してバックチャネルカンパニー５３００に備えられたホストコンピュータ５３０２に送られる。
５−８．１．　課金決済
ホストコンピュータ５３０２は、「カードデータＤ」及び「顧客コードＥ」の情報に基づき、カンパニー側データベース５３１２の顧客データベース５３１０及び課金決済データベース５３１１を検索して、それらから必要な情報を銀行やクレジット会社等、所定の金融機関に送り、顧客の課金決済を行う（図５１のステップＳ４１〜Ｓ４２）。
【０２１０】
５−８．２．　著作権処理
ホストコンピュータ５３０２は、「曲コード群Ａ」の情報に基づき、音楽データベース５３０７の楽曲リスト・データベース５３０３及び著作権データベース５３０６を検索して、音楽データベース５３０７の著作権データベース５３０６から必要な情報をＪＡＳＲＡＣ、ＨＡＲＲＹ　ＦＯＸ、レコード会社等へ送って著作権、原盤処理を行う（図５１のステップＳ４３）。
【０２１１】
５−９．ＭＤ盤制作作業
上記の各段階を完了した後、ＭＤの制作段階に入る。本実施例では、ＭＤ盤制作作業、即ちレコーディングは、バックチャネルカンパニー５３００で行われる（図５１のステップＳ４４）。
ＭＤの制作に必要な入力情報は、上述した「曲コード群Ａ」である。この曲コード群Ａの情報に基づき、音楽データベース５３０７の楽曲データ・データベース５３０４が検索され、楽曲データ・データベース５３０４から曲コード群Ａの情報に対応する楽曲が選択され、選択された楽曲がＭＤライター５３０８によってＭＤに高速録音される。
【０２１２】
５−１０．ジャケット制作作業
また、バックチャネルカンパニー５３００では、「曲コード群Ａ」、「ジャケットデザインコードＢ」及び「アルバムタイトル文字データＣ」に基づき、プリンター５３０９によってジャケット制作作業（即ち、印字・熱転写）も行われる。ここでは、まず「曲コード群Ａ」に基づき、音楽データベース５３０７の楽曲データ・データベース５３０４が検索され、楽曲リスト・データベース５３０３及びインデックス・データベース５３０５から各曲の属性が選択され、それらの情報がジャケットの所定の箇所に印字される。次いで「アルバムタイトル文字データＣ」に基づき、ジャケットのタイトル部分に入力されたタイトルが印字される。そして、「ジャケットデザインコードＢ」に基づき、選択されたジャケットデザインがジャケットの表紙部分に熱転写される。
【０２１３】
５−１１．メーリング作業
ホストコンピュータ５３０２は、「顧客コードＥ」の情報に基づき、カンパニー側データベース５３１２の顧客データベース５３１０を検索し、顧客の住所、等の情報から顧客の住所ラベルを印字して、所定の梱包を行った後、ＭＤをメーリングする。その結果、会員は、注文したＭＤを受け取ることができる。図５２は、第５の実施例における上述した処理をまとめたものである。
本発明のシステムを用いることにより、上述したような音楽の著作権に係わる種々の権利は、以下に説明するように、効率的に処理することができる。
【０２１４】
図５３は、上述した全ての実施例におけるバックチャネルカンパニーの一部であるサーバクライアントシステムの主要部の構成を示す図である。図３９と同様に、通信システム５３０１には、Ｉ／Ｏ（入力出力）装置が接続されている。
以下、図５３を参照して、バックチャネルカンパニー５３００のホストコンピュータ５３０２の構成を説明する。
ホストコンピュータ５３０２は、
店舗から送信された信号に含まれている楽曲に関する情報に基づき、会員がリクエストした楽曲が既にシステムに登録されているか否かを、楽曲リスト・データベース５３０３及び楽曲データ・データベース５３０４を検索して判別するリクエスト楽曲判別部５３１４と、
リクエスト楽曲判別部５３１４に接続され、該リクエストされた楽曲がシステムに既に登録されていると判別されたならば該リクエストされた楽曲の使用目的を判定する楽曲使用目的判定部５３１５と、
楽曲データベース（楽曲リスト・データベース５３０３及び楽曲データ・データベース５３０４）、楽曲使用目的判定部５３１５、及び著作権関連データベース（インデックス・データベース５３０５及び著作権データベース５３０６）にそれぞれ接続され、該楽曲使用目的判定部５３１５によって判定された該楽曲の使用目的及び楽曲データに記憶されているリクエスト楽曲に関する情報に基づいて著作権関連データベースを検索して該リクエスト楽曲に適用される著作権関連情報を決定する適用著作権関連情報決定部５３１８とを備えている。
【０２１５】
また、ホストコンピュータ５３０２は、通信システム５３０１に接続され、リクエスト楽曲の使用回数を計数する楽曲使用回数計数部５３１６と、
楽曲使用回数計数部５３１６、適用著作権関連情報決定部５３１８、及び課金決済データベース５３１１に接続され、楽曲の使用回数、適用された著作権関連情報、及び課金決済情報に基づいて、リクエスト楽曲についての課金及びロイヤルティーを決定する課金及びロイヤルティー決定部５３１９を備えている。
ホストコンピュータ５３０２は、通信システム５３０１及び顧客データベース５３１０に接続され、店舗から送られてきた信号に含まれる情報及び顧客データベース５３１０に記憶されている顧客情報（主に会員に関する情報、作詞者、作曲者、編曲者に関する情報、レコード会社、音楽出版社、芸能プロダクション、等のエージェントに関する情報を含む）に基づいて楽曲をリクエストした者が会員であるか否かの会員確認を行うと共に、必要な会員情報を顧客データベース５３１０から読取り通信システム５３０１に送出する顧客認定部５３１７を更に備えている。
Ｉ／Ｏ装置５３１３は、店舗５２００から入力される情報とは異なる情報を含む信号を入力／出力するように構成されている。
【０２１６】
本実施例では、Ｉ／Ｏ装置５３１３は、ＩＣカード（スマートカード）を挿入／取り外しできるように構成されているものとするが、この形式に限定されるものではない。
ＩＣカードを用いて、Ｉ／Ｏ装置５３１３からは、：
１．作詞者からの作詞の登録；
２．作曲者からの作曲の登録；
３．編曲者からの編曲の登録；
４．楽曲の使用（ＭＤ作成希望者以外）を希望する者からのリクエスト楽曲、使用目的の登録；
５．楽曲使用者（ＭＤ作成希望者以外）からのリクエスト楽曲の使用回数の登録；及び
６．楽曲を使用した楽曲使用希望者への課金情報の出力；
７．作詞者へのロイヤルティーの支払い情報の出力；
８．作曲者へのロイヤルティーの支払い情報の出力；
９．編曲者へのロイヤルティーの支払い情報の出力；
１０．各エージェントへの支払い情報の出力；
１１．著作権関連情報に関する著作権関連情報データベース５３０５、５３０６への最新情報の登録、
などを容易に行うことができる。なお、これらの登録に際して暗号化技術を利用してセキュリティを確保するように構成してもよい。
【０２１７】
また、楽曲使用時に利用する楽曲再生装置にＩＣカードの読み取り／書き込み機能を備えたカードリーダーを設置して、所定のＩＣカード（会員登録されたもの）をそのカードリーダーに挿入した後でなれば楽曲再生装置が機能しないように構成することにより、放送局やカラオケ・バーなどで使用された楽曲の使用回数をカードリーダーにより自動的にＩＣカードに書き込ませ、楽曲使用回数の情報をＩＣカードに記憶させることができる。そして、楽曲使用回数の情報が記憶されたＩＣカードをＩ／Ｏ装置に設置された別のＩＣカード用カードリーダーに挿入して記憶されている楽曲使用回数の情報を読み取ることにより、楽曲の不正使用を防止することができると共に、使用された楽曲に対して適正な課金の決済及びロイヤルティーの還元を行うことができる。
【０２１８】
その際、放送局やカラオケ・バーに送られるデータ放送信号は、楽曲そのものに関する情報を含む部分と、楽曲に対応する曲コードの情報を含む部分と、楽曲の使用回数の関する情報を含む部分とを少なくとも有するように構成すればよい。このうち、楽曲に対応する曲コードの情報を含む部分と使用回数に関する情報を含む部分については、いわゆる「電子透かし」等の技術を利用して、データ放送信号に組み込むようにすれば、楽曲の使用者による不正な行為を未然に防ぐことができる。
ここで音楽に関する著作権について、日本と米国における場合をそれぞれ概略的に説明すると共に、図３９及び図５３に示した本発明のシステムを利用して、複雑な著作権を効率的に処理できることを、以下に説明する。
【０２１９】
日本では音楽に関して大別すると３つの著作権者が存在しうる：
１．作詞者、作曲者、編曲者、音楽出版社（著作権者）
２．アーティスト（著作隣接権者）
３．レコード製作者（著作隣接権者）
上記の著作権者が有しうる著作権に関して一例として松田聖子の楽曲「赤いスイートピー」について説明する（編曲者については説明を省略する）。
2004046794.tif 000039
この例では、作詞及び作曲に関する著作権者は、作詞者である松本　隆と作曲者である呉田軽穂（松任谷由美としてのほうがより知られている）の二人である。アーティストである松田聖子は、著作隣接権者（後述する）である。
【０２２０】
１．作詞者である松本　隆、及び作曲者である呉田軽穂は、
Ａ．著作者人格権として：
（ａ１）公表権；
（ａ２）氏名表示権；
この楽曲がテレビの音楽番組で放送されるときに作詞者／作曲者の名である呉田軽穂を表示するように要求することができる権利
（ａ３）同一性保持権；
テレビ、ラジオ番組等で放送されるときに楽曲の替え歌が放送されないように要求することができる権利を有する。
【０２２１】
Ｂ．著作（財産）権として：
（ｂ１）複製権；
楽曲をレコード、テープ、ビデオ等に複製する独占的権利
（ｂ２）演奏権；
楽曲をコンサートやカラオケ等で演奏する独占的権利
（ｂ３）公衆送信権；
楽曲をテレビ、ラジオ、有線放送、インターネット等で放送、送信する独占的権利
（ｂ４）貸与権；
楽曲の複製物を公衆に貸与する独占的権利
（ｂ５）翻案権；
楽曲を翻訳、編曲、映画化する独占的権利
（ｂ６）二次的著作物の利用権；
翻案した楽曲の利用についての独占的権利
（ｂ７）私的録音画補償金請求権；
ディジタル機器による私的複製についての補償金を請求することができる権利
を有する。
【０２２２】
２．アーティストである松田聖子（及びその曲の伴奏グループ）は、以下の著作隣接権を有する：
（ｃ１）録音・録画権；
アーティストの実演をレコード化、ビデオ化する独占的権利
（ｃ２）放送権・有線放送権；
アーティストの実演を放送、有線放送する独占的権利
（ｃ３）貸与権；
実演が録音されている商業用レコードを公衆に貸与する独占的権利（政令により発売後１年間）
（ｃ４）送信可能化権；
サーバーにアーティストの実演をアップロードする独占的権利
（ｃ５）商業用レコードの二次使用料請求権；
実演が録音されている商業用レコードが放送または有線放送により使用された場合、二次使用料を請求することができる権利
（ｃ６）貸与報酬請求権；
発売後１年を経過した実演が録音されている商業用レコードが貸与により使用された場合、報酬を請求することができる権利
（ｃ７）私的録音録画補償金請求権；
ディジタル機器による私的複製についての補償金を請求することができる権利
３．レコード製作者、即ちマスターテープ（以下、原盤という）の製作者は、アーティストと同様に以下の著作隣接権等を有する：
（ｄ１）複製権；
原盤を複製して、レコード、ビデオ等を製造する独占的権利
（ｄ２）貸与権；
原盤が複製されている商業用レコードを公衆に貸与する独占的権利（政令により発売後１年間）
（ｄ３）送信可能化権；
サーバーにアーティストの実演をアップロードする独占的権利
（ｄ４）商業用レコードの二次使用料請求権；
原盤が複製されている商業用レコードが放送または有線放送により使用された場合、二次使用料を請求することができる権利
（ｄ５）貸与報酬請求権；
発売後１年を経過した原盤が複製されている商業用レコードが貸与により使用された場合、報酬を請求することができる権利
（ｄ６）私的録音録画補償金請求権；
ディジタル機器による私的複製についての補償金を請求することが
できる権利
【０２２３】
ここで、図３９及び図５３に戻り、本発明のシステムの動作、特にその著作権に関連する情報の流れの動作を説明する。
会員がラジオ音楽番組をクリックラジオ５１００で聴いているときに松田聖子の楽曲「赤いスイートピー」が流れてきたので、ＩＣカード５０００をクリックラジオ５１００に挿入して獲得ボタンをクリックしてＩＣカード５０００の記憶装置に楽曲「赤いスイートピー」の曲コード０８１ＡＭＤＭ０２９９９８を記憶させた場合を考える（説明の簡略化のために、一曲のみが記憶されているものとする）。
会員は、曲コードが記憶されたＩＣカード５０００を店舗５２００に持って行き、ＭＤ制作申込み受付システム５２０１のＩＣカードリーダーにＩＣカード５０００を挿入してＭＤの制作申込みを行う。
制御部５２０２は、ＩＣカードリーダーが読み取った曲コード０８１ＡＭＤＭ０２９９９８の情報を含む信号を通信システム５２０３、５３０１を通してバックチャネルカンパニー５３００のホストコンピュータ５３０２に送る。
【０２２４】
信号を受け取ったホストコンピュータ５３０２では、まず、リクエスト楽曲判別部５３１４は、曲コード０８１ＡＭＤＭ０２９９９８の情報に基づいて楽曲データベース５３０３、５３０４を検索し、リクエストされた楽曲がシステムに登録されているかどうかを判別する。ここでは「登録されている」と判別されたものとする。次に、楽曲使用目的判定部５３１５は、信号に含まれている楽曲使用目的の情報に基づいてリクエスト楽曲の使用目的を判定する。ここでは、信号が店舗５２００から送られてくるときに「ＭＤへの個人的なレコーディング」という情報が付加されていたので、楽曲使用目的が「ＭＤへの個人的なレコーディング」であると判定される。次いで、適用著作権関連情報決定部５３１８は、この楽曲使用目的「ＭＤへの個人的なレコーディング」の情報に基づいて楽曲データ５３０３、５３０４を検索して、上記の情報の内から、
（３）アーティスト　　松田聖子
（４）作詞者　　　　　松本　隆
（５）作曲者　　　　　呉田軽穂
（７）原盤制作地　　　日本
（８）原盤制作者　　　サンミュージック出版
（９）レコード制作者　ソニーミュージックエンターテイメント
の情報を得ると共に、
著作権関連データベース５３０５、５３０６を検索して、
【０２２５】
１．作詞者の松本　隆／作曲者の呉田軽穂が有する著作権に関連する権利、
（ａ１）公表権；
（ａ２）氏名表示権；
（ａ３）同一性保持権；
（ｂ１）複製権；
（ｂ２）演奏権；
（ｂ３）公衆送信権；
（ｂ４）貸与権；
（ｂ５）翻案権；
（ｂ６）二次的著作物の利用権；
（ｂ７）私的録音画補償金請求権；
の情報、
【０２２６】
２．アーティストの松田聖子が有する著作隣接権に関連する権利、
（ｃ１）録音・録画権；
（ｃ２）放送権・有線放送権；
（ｃ３）貸与権；
（ｃ４）送信可能化権；
（ｃ５）商業用レコードの二次使用料請求権；
（ｃ６）貸与報酬請求権；
（ｃ７）私的録音録画補償金請求権；
の情報、
【０２２７】
３．レコード製作者であるソニーミュージックエンターテイメントが有する著作隣接権に関連する権利、
（ｄ１）複製権；
（ｄ２）貸与権；
（ｄ３）送信可能化権；
（ｄ４）商業用レコードの二次使用料請求権；
（ｄ５）貸与報酬請求権；
（ｄ６）私的録音録画補償金請求権；
の情報を決定する。
【０２２８】
ここで、上記の放送事業者は、音楽ラジオ番組を放送する前に予めＩ／Ｏ装置５３１３から使用の登録を済ませているものとする。
上記の著作権関連情報のうちから「ＭＤへの個人的なレコーディング」の情報に基づいて適切な権利が適用著作権関連情報決定部５３１８で決定される。
次に、楽曲使用回数計数部５３１６は、楽曲の使用された回数を計数する。
課金及びロイヤルティー決定部５３１９は、楽曲使用回数計数部５３１６によって計数された結果の情報と上記適用著作権関連情報決定部５３１８で決定された著作権に関する権利の情報に基づいて課金決済データベース５３１１を検索して、課金及びロイヤルティーを算出してその算出した結果を通信システム５３０１を介して店舗５２００に送ると共に、Ｉ／Ｏ装置５３１３を介して各著作権の権利者、及び各エージェントにロイヤルティーに関する情報を出力する。
【０２２９】
上記の例では、著作権は、日本国の範囲内であるので、著作権も日本の著作権に関する情報のみを考慮すればよい。
日本の音楽に関する著作権は、一般に、ＪＡＳＲＡＣ（社団法人日本音楽著作権協会（Ｊａｐａｎｅｓｅ　Ｓｏｃｉｅｔｙ　ｆｏｒ　Ｒｉｇｈｔｓ　ｏｆ　Ａｕｔｈｏｒｓ，　Ｃｏｍｐｏｓｅｒｓ　ａｎｄ　Ｐｕｂｌｉｓｈｅｒｓ））によって管理されている。ＪＡＳＲＡＣは、音楽著作権者の信託を受け、音楽の利用者に利用許諾を与え、著作物使用料の徴収、分配を行っている。従って、著作権の権利者が全てＪＡＳＲＡＣの登録会員であれば、上記の各権利項目（ａ１）〜（ｄ６）は、「ＪＡＳＲＡＣ登録会員」という項目により簡略化することができ、適用著作権関連情報決定部５３１８及び課金及びロイヤルティー決定部５３１９の動作・機能をより簡略化することができる。
【０２３０】
次に、米国の著作権について概略的に説明する。
米国の著作権は、以下に示すように、５つの権利に分類することができる：
１．複製権（ｒｉｇｈｔ　ｔｏ　ｒｅｐｒｏｄｕｃｅ）；
２．頒布権（ｒｉｇｈｔ　ｔｏ　ｄｉｓｔｒｉｂｕｔｅ）；
３．翻案権（ｒｉｇｈｔ　ｔｏ　ｐｒｅｐａｒｅ　ｄｅｒｉｖａｔｉｖｅ　ｗｏｒｋｓ）；
４．上演・演奏権（ｒｉｇｈｔ　ｔｏ　ｐｅｒｆｏｒｍ）；　及び
５．展示権（ｒｉｇｈｔ　ｔｏ　ｄｉｓｐｌａｙ）
米国の著作権には、日本の著作者人格権（条文上の規定なし）及び著作隣接権に対応するものが含まれていない。
ここで、音楽に関する米国の著作権を、音楽に関する日本の著作権と比較しながら説明する。
【０２３１】
日本において、著作権の対象、即ち、著作物は、楽曲（歌詞及びメロディ）であり、そにゆえに作詞者及び作曲者が著作権を有し、レコード製作者及びアーティストが著作隣接権を有している。
他方、米国において、著作権の対象、即ち、著作物は、レコードであり、著作権は、実務的に以下に説明するように考えられている。
１．音楽出版社（作詞・作曲者を代表する）は、
（ｆ１）パフォーマンス権（演奏権）；
（ｆ２）メカニカル権（複製権の一種）；
レコード化する権利
（ｆ３）シンクロナイゼーション権（翻案権の一種）；
ＣＭ、映画、ビデオ等で画像と合体させる権利
（ｆ４）パブリケーション権（出版権の一種）；
楽譜等を出版する権利
をレコードに関して有する。
２．レコード会社は、
（ｇ１）サウンドレコーディングに関する権利；
（ｇ２）パフォーマンス権（但し、デジタル物に限る）
をレコードに関して有する。
【０２３２】
ここで、一例として、ＢＯＮ　ＪＯＶＩの楽曲「ＬＩＶＩＮ’　ＯＮ　Ａ　ＰＲＡＹＥＲ」を考えてみる。
2004046794.tif 000040
【０２３３】
まず、作詞者／作曲者としてＢＯＮ　ＪＯＶＩは、　ＰＵＢＬＩＳＨＥＲ（例えば、ＯＲＩＧＩＮＡＬ　ＰＵＢＬＩＳＨＥＲであるＢＯＮ　ＪＯＶＩ　ＰＵＳＢＬＩＳＨＩＮＧ等、及びＦＩＲＳＴ　ＳＵＢ−　ＰＵＢＬＩＳＨＥＲであるＰＯＬＹＧＲＡＭ　ＩＮＴＥＲＮＡＴＩＯＮＡＬ　ＰＵＢＬＩＳＨＩＮＧ　ＩＮＣ．等）と契約を行う。
ＰＵＢＬＩＳＨＥＲ　（以下、音楽出版社という）は、上述したように、ＢＯＮ　ＪＯＶＩの楽曲に関して、（ｆ１）パフォーマンス権、（ｆ２）メカニカル権、（ｆ３）シンクロナイゼーション権、及び（ｆ４）パブリケーション権をそれぞれ有する。
他方、アーティストとしてのＢＯＮ　ＪＯＶＩは、レコード会社（例えば、ポリグラム）と契約を行う。レコード会社は、（ｇ１）サウンドレコーディング権、（ｇ２）パフォーマンス権（但し、デジタル物に限る）を有する。
米国では、一般に、パフォーマンス権は、ＡＳＣＡＰ、ＢＭＩ、ＳＥＳＡＣ等の団体によって管理されており、所属する団体がテレビ局、ラジオ局、ナイトクラブ、等からロイヤルティ（使用料）を徴収している。シンクロナイゼーション権は、音楽出版社が管理し、メカニカル権は、音楽出版社が独自に管理するか、またはハリー・フォックス・エージェンシー（以下、ハリー・フォックスと称する）等で管理されている。
【０２３４】
ハリー・フォックスは、ＮＭＰＡ（全米音楽出版社協会　（ＮＡＴＩＯＮＡＬ　ＭＵＳＩＣ　ＰＵＢＬＩＳＨＥＲＳ　ＡＳＳＯＣＩＡＴＩＯＮ）　）の一部で著作権管理を行っており、約１３，０００以上の音楽出版社を代理している。メカニカル権に関しては、レコード一枚につき米国著作権法の１１５条に基づいて所定の金額を徴収している。よって、メカニカル権に関しては、ハリー・フォックスが所定の金額をレコード会社から徴収し、それを音楽出版社に渡し、音楽出版社は、契約に従って作詞者・作曲者に支払いを行う。
他方、シンクロナイゼーション権は、交渉ベースで決定される。
また、アーティストは、レコード会社からレコード一枚について交渉ベースでアーティストロイヤルティを受け取る。
【０２３５】
上述したように、音楽の著作権の内容は、各国によって異なる。従って、作詞者、作曲者、編曲者、アーティストに還元されるロイヤルティーは、各国の著作権によって規定された各権利者が有する権利内容に依存するのが原則である。
しかしながら、実際には、多数の作詞者、作曲者、編曲者、アーティストは、音楽出版社、レコード会社、芸能プロダクション、等の特定のエージェントに所属しており、それらのエージェントが彼らの代理人となって、該当する権利者である作詞者、作曲者、編曲者、アーティストにそれぞれロイヤルティーを支払うようになっている。
レコード会社、音楽出版社、等のエージェントが行うサービスについても、上述したようにそれぞれ特定の権利が発生し、そのサービスに応じて各エージェントにロイヤルティーが支払われる。
【０２３６】
上記のようなエージェントに所属していない作詞者、作曲者、編曲者、アーティストの場合には、それぞれが有する権利に基づいて独自に、その使用者に対してロイヤルティーの支払いの交渉を行う。
ここで、再び、図３９及び図５３の本発明のシステムを用いてＢＯＮ　ＪＯＶＩの楽曲を「ＭＤにレコーディングする」場合について説明する。
会員がラジオ音楽番組をクリックラジオ５１００で聴いているときにＢＯＮ
ＪＯＶＩの楽曲「ＬＩＶＩＮ’　ＯＮ　Ａ　ＰＲＡＹＥＲ」が流れてきたので、ＩＣカード５０００をクリックラジオ５１００に挿入して獲得ボタンをクリックしてＩＣカード５０００の記憶装置に楽曲「ＬＩＶＩＮ’　ＯＮ　Ａ　ＰＲＡＹＥＲ」の曲コードを記憶させた場合を考える（説明の簡略化のために、前回と同様に一曲のみが記憶されているものとする）。
【０２３７】
会員は、曲コードが記憶されたＩＣカード５０００を店舗５２００に持って行き、ＭＤ制作申込み受付システム５２０１のＩＣカードリーダーにＩＣカード５０００を挿入してＭＤの制作申込みを行う。
制御部５２０２は、ＩＣカードリーダーが読み取った曲コードの情報を含む信号を通信システム５２０３、５３０１を通してバックチャネルカンパニー５３００のホストコンピュータ５３０２に送る。
信号を受け取ったホストコンピュータ５３０２では、まず、リクエスト楽曲判別部５３１４は、曲コードの情報に基づいて楽曲データベース５３０３、５３０４を検索し、リクエストされた楽曲がシステムに登録されているかどうかを判別する。ここでは「登録されている」と判別されたものとする。次に、楽曲使用目的判定部５３１５は、信号に含まれている楽曲使用目的の情報に基づいてリクエスト楽曲の使用目的を判定する。ここでは、信号が店舗５２００から送られてくるときに「ＭＤへの個人的なレコーディング」という情報が付加されていたので、楽曲使用目的が「ＭＤへの個人的なレコーディング」であると判定される。次いで、適用著作権関連情報決定部５３１８は、この楽曲使用目的「ＭＤへの個人的なレコーディング」の情報に基づいて楽曲データ５３０３、５３０４を検索して、上記の情報の内から、
2004046794.tif 000041
の情報を得ると共に、
著作権関連データベース５３０５、５３０６を検索して、
１．音楽出版社が有する著作権に関連する権利、
（ｆ１）パフォーマンス権
（ｆ２）メカニカル権
（ｆ３）シンクロナイゼーション権
（ｆ４）パブリケーション権
の情報を決定し、
２．レコード会社（ソニーレコード）が有する著作権に関連するの権利、
（ｇ１）サウンドレコーディング権
（ｇ２）パフォーマンス権（但し、デジタル物に限る）
の情報を決定する。ここで、上記の放送事業者は、音楽ラジオ番組を放送する前に予めＩ／Ｏ装置５３１３から使用の登録を済ませているものとする。
【０２３８】
上記の著作権関連情報のうちから「ＭＤへの個人的なレコーディング」の情報に基づいて適切な権利が適用著作権関連情報決定部５３１８で決定される。
ここでＭＤの個人的なレコーディングに対する著作権関連情報として必要な情報は、著作権者の録音権及びレコード製作者の複製権のみである。
次に、楽曲使用回数計数部５３１６は、楽曲の使用された回数を計数する。
課金及びロイヤルティー決定部５３１９は、楽曲使用回数計数部５３１６によって計数された結果の情報と上記適用著作権関連情報決定部５３１８で決定された著作権に関する権利の情報に基づいて課金決済データベース５３１１を検索して、課金及びロイヤルティーを算出してその算出した結果を通信システム５３０１を介して店舗５２００に送ると共に、Ｉ／Ｏ装置５３１３を介して各著作権の権利者及び各エージェント、ここでは米国の著作権に係わるので、米国の音楽出版社及びレコード会社に、例えばインターネットを利用して、ロイヤルティーに関する情報を出力する。
【０２３９】
上述したように、本発明のシステムを用いることによって、日本国内及び日本以外（例えば、アメリカ）の楽曲の使用許諾を容易に行うことができると共に、その楽曲の使用に対する著作権者へのロイヤルティーの支払いをグローバル・スケールで容易にかつ正確に行うことができる。（なお、上述したＢＯＮ　ＪＯＶＩの楽曲の場合、ＢＯＮ　ＪＯＶＩの楽曲を管理するレコード会社、音楽出版社が日本国内に存在するので、それらのエージェントにロイヤルティーの算出結果を送ればよい。）
使用許諾を得たいと思う楽曲に関して日本にエージェントやレコード会社が存在していない場合には、本発明のシステムを使用することによって、その楽曲が本発明のシステムに登録されているという条件の基で、その楽曲の使用許諾を容易に行うことができかつその楽曲の使用に対する著作権者へのロイヤルティーの支払いも適宜に行うことができる。また、その楽曲が本発明のシステムにまだ登録されていない場合には、著作権者にＩ／Ｏ装置からその楽曲を登録してもらうことによって、その楽曲の使用許諾を得ることができる。
【０２４０】
図５４は、本発明の購入システムの第６の実施例の概略図である。
第６の実施例は、上述した第５の実施例と同様に、会員は、ＩＣカードを利用し、ＩＣカード着脱可能なクリックラジオで放送局から放送されているＦＭ放送、等の音楽番組を聞いているときに好きな楽曲が流れた場合に、クリックラジオに設けられた獲得ボタンを押すことによりその楽曲の情報（曲コード）をＩＣカードの記憶装置に記憶し、曲コードが記憶されたＩＣカードをコンビニエンス・ストア等のＫＩＯＳＫに持ち込むことにより、好みの楽曲（音楽番組で聞いた楽曲を含む）で構成されたＭＤの制作を申し込むと同時にＫＩＯＳＫにおいてＭＤを直接購入することができるように構成されている。
【０２４１】
第６の実施例は、
（１）クリックラジオとＩＣカードを利用するものであり、特定会員向けサービスである；
（２）楽曲リスト（曲コード）のみを放送局からデータ放送で送る；
（３）ラジオの音楽番組「Ｊ−ＷＡＶＥ　ＳＥＬＥＣＴＩＯＮ」、等を聞きながら、欲しい曲が流れているときにクリックラジオの獲得ボタンをクリックする；
（４）欲しい曲の情報がＩＣカードに数曲たまったならば、店舗にてＩＣカードによりホストコンピュータへアクセスする；
（５）ＭＤ制作の申込みを終了し、所定の時間が経過した後、店舗にてコンピレーションＭＤを受け取ることができる；
（６）著作権決済処理が行われる；
（７）このシステムを利用するために、会員は、
ａ）会員登録により配布されるＩＣカードを所持していること；
ｂ）ＩＣカードが着脱可能でありかつ音楽放送を聞いているときに獲得ボタンをクリックすることによってその音楽放送から流れる楽曲及びその楽曲に対応する曲コードを受信することができ、かつ受信した楽曲の曲コードをＩＣカードに記憶することができるような入力機能を備えたクリックラジオを所持していることが必要である。
【０２４２】
図５４に示すように、この実施例の購入システムの主要部分は、ＩＣカード６０００、クリックラジオ６１００、店舗６２００、バックチャネルカンパニー６３００及び放送局６４００によって構成されている。
ＩＣカード６０００は、図示していないがＣＰＵ及びＥＰＲＯＭ等の記憶装置を備え、会員登録により会員登録番号（暗証番号でもよい）に関する情報がＩＣカード６０００の記憶装置に記憶されるものとする。
クリックラジオ６１００は、ＦＭ／ＡＭ放送受信機能を備えたデータ放送受信部６１０１、データ放送受信部６１０１に接続されておりデータ放送受信部６１０１によって受信した音楽番組のデジタル信号をデコードしてイヤホーンやスピーカ等（図示省略）を介して音楽番組を聞くことができるようにアナログの楽曲信号を再生する機能を備えたデータ放送デコーダー６１０２、データ放送受信部６１０１及びデータ放送デコーダー６１０２にそれぞれ接続されておりイヤホーンやスピーカ等で楽曲を聞いた会員が選択した楽曲の曲コードをＩＣカード６０００に記憶させるための制御部６１０３を備えている。
【０２４３】
店舗６２００は、上述した第５の実施例と同様にＫＩＯＳＫであり、モニター、ＩＣカードリーダー及びデータベース検索／申込端末（図示省略）を含むＭＤ制作申込み受付システム６２０１、ＭＤ制作申込み受付システム６２０１に接続されており、楽曲リスト・データベース６２０２、楽曲データ・データベース６２０３及びインデックス・データベース６２０４を含む店舗側データベース６２０５、店舗側データベース６２０５に接続されたＭＤライター６２０６、店舗側データベース６２０５に接続されたプリンター６２０７、ＭＤ制作申込み受付システム６２０１に接続された制御部６２０８、制御部６２０８に接続された通信システム６２０９、制御部６２０８に接続されたデータ放送受信システム６２１０、及び店舗側データベース６２０５に接続されたデータ放送デコーダー６２１１を備えている。
【０２４４】
バックチャネルカンパニー６３００は、電話回線、インターネット等を介して店舗６２００の通信システム６２０９に接続された通信システム６３０１、通信システム６３０１に接続されたサーバクライアントシステム（以下、ホストコンピュータと称する）６３０２、ホストコンピュータ６３０２に接続されており楽曲リスト・データベース６３０３、楽曲データ・データベース６３０４、インデックス・データベース６３０５及び著作権データベース６３０６を含む音楽データベース６３０７、ホストコンピュータ６３０２に接続されており顧客データベース６３０８及び課金決済データベース６３０９を含むカンパニー側データベース６３１０を備えている。
放送局６４００は、衛星波、等を介してバックチャネルカンパニー６３００の通信システム６３０１に接続された通信システム６４０１、通信システム６４０１に接続されたデータ放送・データベース６４０２、データ放送・データベース６４０２に接続されたデータ放送送出サーバ６４０３、データ放送送出サーバ６４０３及び衛星波を介して音楽番組を聴いている会員のクリックラジオ６１００のデータ放送受信部６１０２に接続されたデータ放送エンコーダー６４０４を備えている。
【０２４５】
次に、第６の実施例の動作を説明するが、上述した第５の実施例と動作が同じものは説明を省略して、第６の実施例に固有のものだけを説明する。
６−１．ＩＣカードによる獲得段階
（第５の実施例に準ずるので説明を省略する）。
６−２．会員確認段階
（第５の実施例に準ずるので説明を省略する）。
６−３．獲得楽曲表示段階
（第５の実施例に準ずるので説明を省略する）。
６−４．楽曲編成段階
６−４．１．　楽曲の並び替え
（第５の実施例に準ずるので説明を省略する）。
６−４．２．　楽曲試聴確認段階
（第５の実施例に準ずるので説明を省略する）。
６−４．３．　楽曲の削除
（第５の実施例に準ずるので説明を省略する）。
６−４．４．　楽曲の追加
（第５の実施例に準ずるので説明を省略する）。
６−４．５．　ジャケットデザイン選択
（第５の実施例に準ずるので説明を省略する）。
６−４．６．　アルバムタイトル入力
（第５の実施例に準ずるので説明を省略する）。
６−５．最終確認段階
（第５の実施例に準ずるので説明を省略する）。
６−６．支払い段階
（第５の実施例に準ずるので説明を省略する）。
６−７．ＭＤ制作段階
【０２４６】
６−７．１．　ＭＤ盤制作作業
上記段階１〜段階６を完了した後、ＭＤの制作段階に入る。ＭＤ盤制作作業（即ち、レコーディング）は、ＫＩＯＳＫ内、即ち、コンビニエンスストア、ガソリンスタンド等の店舗６２００で行われる。ＭＤの制作に必要な入力情報は、上述した「曲コード群Ａ」である。この曲コード群Ａの情報に基づき、店舗側データベース６２０５の楽曲データ・データベース６２０３が検索され、楽曲データ・データベース６２０３から曲コード群Ａの情報に対応する楽曲が選択され、それらの選択された楽曲がＭＤライター６２０６によってＭＤに高速録音される。
【０２４７】
６−７．２．　ジャケット制作作業
また、店舗６２００内では、「曲コード群Ａ」、「ジャケットデザインコードＢ」及び「アルバムタイトル文字データＣ」に基づき、プリンター６２０７によってジャケット制作作業（即ち、印字・熱転写）も行われる。ここでは、まず「曲コード群Ａ」に基づき、店舗側データベース６２０５の楽曲リスト・データベース６２０２が検索され、楽曲リスト・データベース６２０２及びインデックス・データベース６２０４から各曲の属性が選択され、それらの情報がジャケットの所定の箇所に印字される。から各曲の属性が選択され、それらの情報がジャケットの所定の箇所に印字される。次いで「アルバムタイトル文字データＣ」に基づき、ジャケットのタイトル部分に入力されたタイトルが印字される。そして、「ジャケットデザインコードＢ」に基づき、選択されたジャケットデザインがジャケットの表紙部分に熱転写される。
上記ＭＤ盤制作作業及び上記ジャケット制作作業を終了したならば、顧客は、所望のＭＤをＫＩＯＳＫ等の店舗６２００で入手することができる。
【０２４８】
６−８．伝送段階
上記支払い段階を終了したならば、上述したＭＤ制作段階と同時に、上記のように作成された「曲コード群Ａ」、「カードデータＤ」及び「顧客コードＥ」は、通信システム６２０３、電話回線、及び通信システム６３０１を介してバックチャネルカンパニー６３００に備えられたホストコンピュータ６３０２に送られる。
【０２４９】
６−９．バックチャネルカンパニー作業段階
６−９．１．　課金決済
（第５の実施例に準ずるので説明を省略する）。
６−９．２．　著作権処理
（第５の実施例に準ずるので説明を省略する）。
６−１０．楽曲データベース更新段階
顧客にとって新しい楽曲の情報（楽曲リスト、楽曲データ、インデックス、等）を入手することは、非常に重要である。これらの情報は、放送局６１００から衛星波、等により店舗６２００に送信される。
バックチャネルカンパニー６３００は、最新版の楽曲リスト、楽曲データ、インデックス情報をホストコンピュータ６３０２により音楽データベース６３０７の楽曲リスト・データベース６３０３、楽曲データ・データベース６３０４及びインデックス・データベース６３０５からそれぞれ読み出して、それらの情報を通信システム６３０１から衛星波（電話回線または専用回線であってもよい）により放送局６１００の通信システム６１０１に送信する。
【０２５０】
放送局６１００では、受信した最新版の楽曲リスト、楽曲データ、インデックス情報を放送データ・データベース６１０２に記憶する。放送データ送出サーバ６１０３は、放送データ・データベース６１０２に記憶された最新版の楽曲リスト、楽曲データ、インデックス情報をデータ放送エンコーダー６１０４に送り、データ放送エンコーダー６１０４は、それらの情報をエンコードすることにより送信信号に変換してから、衛星波、等により店舗６２００のデータ放送受信システム６２０９に送信する。
エンコードされた信号を受信した店舗６２００のデータ放送受信システム６２０９は、それらの信号をデータ放送デコーダー６２１０に送り、送られてきた信号を復号（デコード）して最新版の楽曲リスト、楽曲データ、インデックス情報を読み取り、店舗側データベース６２０５の対応する楽曲リスト・データベース６２０２、楽曲データ・データベース６２０３、及びインデックス・データベース６２０４にそれぞれの情報を記憶させる。
【０２５１】
これにより、店舗６２００には常に最新の音楽情報が記憶されており、顧客のニーズに対応できるように構成されている。
【０２５２】
上記実施例では、ＩＣカードを携帯型クリックラジオに適用したが、ラジオの形態としては、例えば、ＩＣカード適用型カーラジオであってもよいし、ＩＣカード適用型家庭・オフィス据え置きラジオであってもよい。
【０２５３】
また、本発明のシステムは、ＩＣカード適用型テレビセットやＩＣカード適用型パーソナル・コンピュータにも同様に利用することができる。
【０２５４】
更に、本発明では、音楽番組の放送は、放送局から有線放送によってラジオ、テレビ等の放送受信機に送られるように構成してもよい。
【０２５５】
本発明のシステムは、テレビ及び／又はラジオ放送局から空中（即ち、無線電波）又はケーブルを介して放送される音楽番組に適用することができる。
【０２５６】
図５５は、以下に詳述する更なる特徴を有する、図１に示したものと同様に構成される、本発明による音楽データベースの別の実施例を示す。
【０２５７】
基本的な構成部分は、図１１に示したものと同様なので、図５５に示した主要部分は、ほとんど同じであるが、その内容は、以下の説明から理解できるように異なる。
【０２５８】
本実施例の音楽データベースは、図５５に示すように、（１）曲属性、（２）原盤権、（３）著作権、（４）楽譜、及び（５）音源の５つのカテゴリーを含む。以下、カテゴリーのそれぞれを詳細に説明するが、データベースのボリュームが非常に大きいので、これらの詳細を図５５に示していない。それゆえに、内容の主要部分だけを図５５に示すが、各主要部分は、図示したものと同じ番号を有する、以下に説明する層を含む。換言すると、この実施例の音楽データベースは、以下のレイヤで構成される。
（１）曲属性
（１）−１　　曲コード
特定の楽曲に割り当てられた唯一のコード
例えば、バージョン替えの楽曲に対して、新たに全く異なるコードがバージョン替えの楽曲に振られる。更に、同じ音素材をミックスダウンし直した楽曲は、異なる楽曲であると考えられ、それゆえに新しいコードが振られる。
（１）−２　　楽曲名
国内名／外国名
（１）−３　　楽曲分数
（１）−４　　アーティスト・データ
ａ）主たるアーティスト
ａ−１）主たるアーティスト・コード；
楽曲を歌唱／演奏する主たるアーティストを表すコード。
ａ−２）主たるアーティスト名；
楽曲を歌唱／演奏する主たるアーティストの名前。
ａ−３）主たるアーティストが属する会社を表すコード；
アーティストが独自に活動しないである会社に属する場合の会社コード。
ａ−４）主たるアーティストが属する会社を表す名前；
アーティストが独自に活動しないである会社に属する場合の会社名。
ａ−５）主たるアーティストが属するかまたはアーティストと関連する会社が属する団体を表すコード；
アーティストが個々のアーティストとして属するか、またはアーティストが個々のアーティストとしてではなく会社と関連する場合にその会社が属する団体のコード。
ａ−６）主たるアーティストが属するかまたはアーティストと関連する会社が属する団体を表す名前；
アーティストが個々のアーティストとして属するか、またはアーティストが個々のアーティストとしてではなく会社と関連する場合にその会社が属する団体の名前。
ｂ）従たるアーティスト
ｂ−１）従たるアーティスト・コード；
楽曲を歌唱／演奏する従たるアーティストを表すコード。
ｂ−２）従たるアーティスト名；
楽曲を歌唱／演奏する従たるアーティストの名前。
ｂ−３）従たるアーティストが属する会社を表すコード；
アーティストが独自に活動しないである会社に属する場合の会社コード。
ｂ−４）従たるアーティストが属する会社を表す名前；
アーティストが独自に活動しないである会社に属する場合の会社名。
ｂ−５）従たるアーティストが属するかまたはアーティストと関連する会社が属する団体を表すコード；
アーティストが個々のアーティストとして属するか、またはアーティストが個々のアーティストとしてではなく会社と関連する場合にその会社が属する団体のコード。
ｂ−６）従たるアーティストが属するかまたはアーティストと関連する会社が属する団体を表す名前；
アーティストが個々のアーティストとして属するか、またはアーティストが個々のアーティストとしてではなく会社と関連する場合にその会社が属する団体の名前。
ｃ）エンジニア・スタッフ
ｃ−１）エンジニア・スタッフ・コード；
楽曲をプロデュースするミキサー・エンジニア・スタッフを表すコード。
ｃ−２）エンジニア・スタッフ名；
楽曲をプロデュースするミキサー・エンジニア・スタッフの名前。
ｃ−３）エンジニア・スタッフが属する会社を表すコード；
エンジニア・スタッフが独自に活動しないである会社に属する場合の会社コード。
ｃ−４）エンジニア・スタッフが属する会社を表す名前；
エンジニア・スタッフが独自に活動しないである会社に属する場合の会社名。
ｃ−５）エンジニア・スタッフが属するかまたはエンジニア・スタッフと関連する会社が属する団体を表すコード；
アーティストが個々のアーティストとして属するか、またはアーティストが個々のアーティストとしてではなく会社と関連する場合にその会社が属する団体のコード。
ｃ−６）エンジニア・スタッフが属するかまたはエンジニア・スタッフと関連する会社が属する団体を表す名前；
エンジニア・スタッフが個々のエンジニア・スタッフとして属するか、またはエンジニア・スタッフが個々のエンジニア・スタッフとしてではなく会社と関連する場合にその会社が属する団体の名前。
【０２５９】
（２）原盤権に関する情報
（２）−１　　代表原盤所有者コード：
楽曲の所有者のコード。
（２）−２　　代表原盤所有者名：
楽曲の所有者の名前。
（２）−３　　代表原盤所有会社コード：
楽曲を所有する会社、または所有者と契約を交わしている会社のコード。
（２）−４　　代表原盤所有会社名：
楽曲を所有する会社、または所有者と契約を交わしている会社の名前。
（２）−５　　代表原盤所有者が属するかまたは代表原盤所有者と関連する会社が属する団体を表すコード；
代表原盤所有者が個人として属するか、または代表原盤所有者が個人としてではなく会社と関連する場合にその会社が属する団体のコード。
（２）−６　　代表原盤所有者が属するかまたは代表原盤所有者と関連する会社が属する団体を表す名前；
代表原盤所有者が個人として属するか、または代表原盤所有者が個人としてではなく会社と関連する場合にその会社が属する団体の名前。
（２）−７　　ライセンシー・コード；
代表原盤所有者が原盤権を行使する権利を有するテリトリー以外のテリトリーにおいて原盤に対してビジネスを行なう会社として代表原盤所有者が契約を交わしている会社を表すコード。
（２）−８　　ライセンシー名；
代表原盤所有者が原盤権を行使する権利を有するテリトリー以外のテリトリーにおいて原盤に対してビジネスを行なう会社として代表原盤所有者が契約を交わしている会社を表す名前。
（２）−９　　原盤の共同所有者コード：
代表原盤所有者または代表音楽出版社と楽曲を共同所有する共同所有者を表すコード。
（２）−１０　　原盤の共同所有者名：
代表原盤所有者または代表音楽出版社と楽曲を共同所有する共同所有者を表す名前。
（２）−１１　　原盤の共同所有会社コード：
楽曲を共同所有する会社、または共同所有者と契約を交わしている会社を表すコード。
（２）−１２　　原盤の共同所有会社名：
楽曲を共同所有する会社、または共同所有者と契約を交わしている会社を表す名前。
（２）−１３　　共同原盤所有者が属するかまたは共同原盤所有者と関連する会社が属する団体コード；
共同原盤所有者が個人として属するか、または共同原盤所有者が個人としてではなく会社と関連する場合にその会社が属する団体を表すコード。
（２）−１４　　共同原盤所有者が属するかまたは共同原盤所有者と関連する会社が属する団体名；
共同原盤所有者が個人として属するか、または共同原盤所有者が個人としてではなく会社と関連する場合にその会社が属する団体を表す名前。
【０２６０】
（３）作詞者著作権に関する情報
（３）−１　　主たる作詞者コード：
楽曲の作詞を主に行なう人を表すコード。
（３）−２　　主たる作詞者名：
楽曲の作詞を主に行なう人を表す名前。
（３）−３　　代表オリジナル音楽出版社コード
作詞者と契約を交わしているオリジナル音楽出版社を表すコード。
（３）−４　　代表オリジナル音楽出版社名
作詞者と契約を交わしているオリジナル音楽出版社を表す名前。
（３）−５　　ファースト団体コード；
主たる作詞者が属する管理団体を表すコード。
（３）−６　　ファースト団体名；
主たる作詞者が属する管理団体を表す名前。
［注記：録音権と演奏権は、分けて別々の団体で管理される場合がある］
（３）−７　　第２の団体コード；
主たる作詞者がオリジナル音楽出版社と契約を交わしている場合に代表オリジナル音楽出版社が属する管理団体を表すコード。
［注記：録音権と演奏権は、分けて別々の団体で管理される場合がある］
（３）−８　　第２の団体名；
主たる作詞者がオリジナル音楽出版社と契約を交わしている場合に代表オリジナル音楽出版社が属する管理団体を表す名前。
［注記：録音権と演奏権は、分けて別々の団体で管理される場合がある］
（３）−９　　共同オリジナル音楽出版社のコード：
代表音楽出版社が出版権を共同所有する契約を交わす共同音楽出版社を表すコード。
（３）−１０　　共同オリジナル音楽出版社の名前：
代表音楽出版社が出版権を共同所有する契約を交わす共同音楽出版社を表す名前。
（３）−１１　　団体コード：
共同オリジナル音楽出版社が属する管理団体を表すコード。
（３）−１２　　団体名：
共同オリジナル音楽出版社が属する管理団体を表す名前。
［注記：録音権と演奏権は、分けて別々の団体で管理される場合がある］
（３）−１３　　ファーストサブ音楽出版社コード：
オリジナル音楽出版社がその出版権を行使する権利を有するテリトリー以外のテリトリーにおいて音楽出版社に出版権を行使させる契約をオリジナル音楽出版社が交わす音楽出版社を表すコード。
（３）−１４　　ファーストサブ音楽出版社コード：
オリジナル音楽出版社がその出版権を行使する権利を有するテリトリー以外のテリトリーにおいて音楽出版社に出版権を行使させる契約をオリジナル音楽出版社が交わす音楽出版社を表す名前。
（３）−１５　　団体コード：
ファーストサブ音楽出版社が属する管理団体を表すコード。
（３）−１６　　団体名：
ファーストサブ音楽出版社が属する管理団体を表す名前。
［注記：録音権と演奏権は、分けて別々の団体で管理される場合がある］
（３）−１７　　セカンダリサブ音楽出版社コード
ファースト音楽出版社が存在する場合に特定の地域または国においてセカンダリサブ音楽出版社に出版権を行使させる契約をファースト音楽出版社が交わすセカンダリサブ音楽出版社を表すコード。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表すコードを示す。
（３）−１８　　セカンダリサブ音楽出版社名
ファースト音楽出版社が存在する場合に特定の地域または国においてセカンダリサブ音楽出版社に出版権を行使させる契約をファースト音楽出版社が交わすセカンダリサブ音楽出版社を表す名前。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表す名前を示す。
（３）−１９　　管理団体コード
セカンダリサブ音楽出版社が属する管理団体を表すコード。
［注記：録音権と演奏権は、分けて別々の団体で管理される場合がある］
（３）−２０　　管理団体名
セカンダリサブ音楽出版社が属する管理団体を表す名前。
［注記：録音権と演奏権は、分けて別々の団体で管理される場合がある］
（３）−２１　　共同作詞者コード：
主たる作詞者と共同で作詞を行なった共同作詞者を表すコード。
（３）−２２　　共同作詞者名：
主たる作詞者と共同で共同所有者と契約を交わしている作詞会社を行なった共同作詞者を表す名前。
（３）−２３　　代表オリジナル音楽出版社コード
共同作詞者が契約を交わしている代表音楽出版社を表すコード。
（３）−２４　　代表オリジナル音楽出版社名
共同作詞者が契約を交わしている代表音楽出版社を表す名前。
（３）−２５　　ファースト団体コード
共同作詞者が属する管理団体を表すコード。
［注記：録音権と演奏権は、分けて別々の団体で管理される場合がある］
（３）−２６　　ファースト団体名
共同作詞者が属する管理団体を表す名前。
［注記：録音権と演奏権は、分けて別々の団体で管理される場合がある］
（３）−２７　　セカンド団体コード
共同作詞者がオリジナル音楽出版社と契約を交わしているときに代表オリジナル音楽出版社が属する管理団体を表すコード。
［注記：録音権と演奏権は、分けて別々の団体で管理される場合がある］
（３）−２８　　セカンド団体名
共同作詞者がオリジナル音楽出版社と契約を交わしているときに代表オリジナル音楽出版社が属する管理団体を表す名前。
［注記：録音権と演奏権は、分けて別々の団体で管理される場合がある］
（３）−２９　　共同オリジナル音楽出版社コード
代表オリジナル音楽出版社が共同で出版権を所有する契約を交わした共同音楽出版社を表すコード。
（３）−３０　　共同オリジナル音楽出版社名
代表オリジナル音楽出版社が共同で出版権を所有する契約を交わした共同音楽出版社を表す名前。
（３）−３１　　団体コード
共同オリジナル音楽出版社が属する管理団体を表すコード。
（３）−３２　　団体名
共同オリジナル音楽出版社が属する管理団体を表す名前。
［注記：録音権と演奏権は、分けて別々の団体で管理される場合がある］
（３）−３３　　ファーストサブ音楽出版社コード
オリジナル音楽出版社がオリジナル音楽出版社がその出版権を行使する権利を有するテリトリー以外のテリトリーにおいて音楽出版社に出版権を行使させる契約をオリジナル音楽出版社が交わす音楽出版社を表すコード。
（３）−３４　　ファーストサブ音楽出版社名
オリジナル音楽出版社がオリジナル音楽出版社がその出版権を行使する権利を有するテリトリー以外のテリトリーにおいて音楽出版社に出版権を行使させる契約をオリジナル音楽出版社が交わす音楽出版社を表す名前。
（３）−３５　　団体コード
ファーストサブ音楽出版社が属する管理団体を表すコード。
［注記：録音権と演奏権は、分けて別々の団体で管理される場合がある］
（３）−３６　　団体名
ファーストサブ音楽出版社が属する管理団体を表す名前。
［注記：録音権と演奏権は、分けて別々の団体で管理される場合がある］
（３）−３７　　セカンダリサブ音楽出版社コード
ファースト音楽出版社が存在する場合に特定の地域または国においてセカンダリサブ音楽出版社に出版権を行使させる契約をファースト音楽出版社が交わすセカンダリサブ音楽出版社を表すコード。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表すコードを示す。
（３）−３８　　セカンダリサブ音楽出版社名
ファースト音楽出版社が存在する場合に特定の地域または国においてセカンダリサブ音楽出版社に出版権を行使させる契約をファースト音楽出版社が交わすセカンダリサブ音楽出版社を表す名前。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表す名前を示す。
（３）−３９　　管理団体コード
セカンダリサブ音楽出版社が属する管理団体を表すコード。
［注記：録音権と演奏権は、分けて別々の団体で管理される場合がある］
（３）−４０　　管理団体名
セカンダリサブ音楽出版社が属する管理団体を表す名前。
［注記：録音権と演奏権は、分けて別々の団体で管理される場合がある］
【０２６１】
作曲者
（３）−４１　　主たる作曲者コード：
楽曲の作曲を主に行なう人を表すコード。
（３）−４２　　主たる作曲者名：
楽曲の作曲を主に行なう人を表す名前。
（３）−４３　　代表オリジナル音楽出版社コード
作曲者と契約を交わしているオリジナル音楽出版社を表すコード。
（３）−４４　　代表オリジナル音楽出版社名
作曲者と契約を交わしているオリジナル音楽出版社を表す名前。
（３）−４５　　ファースト団体コード；
主たる作曲者が属する管理団体を表すコード。
（３）−４６　　ファースト団体名；
主たる作曲者が属する管理団体を表す名前。
［注記：録音権と演奏権は、分けて別々の団体で管理される場合がある］
（３）−４７　　第２の団体コード；
主たる作曲者がオリジナル音楽出版社と契約を交わしている場合に代表オリジナル音楽出版社が属する管理団体を表すコード。
［注記：録音権と演奏権は、分けて別々の団体で管理される場合がある］
（３）−４８　　第２の団体名；
主たる作曲者がオリジナル音楽出版社と契約を交わしている場合に代表オリジナル音楽出版社が属する管理団体を表す名前。
［注記：録音権と演奏権は、分けて別々の団体で管理される場合がある］
（３）−４９　　共同オリジナル音楽出版社のコード：
代表音楽出版社が出版権を共同所有する契約を交わす共同音楽出版社を表すコード。
（３）−５０　　共同オリジナル音楽出版社の名前：
代表音楽出版社が出版権を共同所有する契約を交わす共同音楽出版社を表す名前。
（３）−５１　　団体コード：
共同オリジナル音楽出版社が属する管理団体を表すコード。
（３）−５２　　団体名：
共同オリジナル音楽出版社が属する管理団体を表す名前。
［注記：録音権と演奏権は、分けて別々の団体で管理される場合がある］
（３）−５３　　ファーストサブ音楽出版社コード：
オリジナル音楽出版社がその出版権を行使する権利を有するテリトリー以外のテリトリーにおいて音楽出版社に出版権を行使させる契約をオリジナル音楽出版社が交わす音楽出版社を表すコード。
（３）−５４　　ファーストサブ音楽出版社コード：
オリジナル音楽出版社がその出版権を行使する権利を有するテリトリー以外のテリトリーにおいて音楽出版社に出版権を行使させる契約をオリジナル音楽出版社が交わす音楽出版社を表す名前。
（３）−５５　　団体コード：
ファーストサブ音楽出版社が属する管理団体を表すコード。
（３）−５６　　団体名：
ファーストサブ音楽出版社が属する管理団体を表す名前。
［注記：録音権と演奏権は、分けて別々の団体で管理される場合がある］
（３）−５７　　セカンダリサブ音楽出版社コード
ファースト音楽出版社が存在する場合に特定の地域または国においてセカンダリサブ音楽出版社に出版権を行使させる契約をファースト音楽出版社が交わすセカンダリサブ音楽出版社を表すコード。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表すコードを示す。
（３）−５８　　セカンダリサブ音楽出版社名
ファースト音楽出版社が存在する場合に特定の地域または国においてセカンダリサブ音楽出版社に出版権を行使させる契約をファースト音楽出版社が交わすセカンダリサブ音楽出版社を表す名前。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表す名前を示す。
（３）−５９　　管理団体コード
セカンダリサブ音楽出版社が属する管理団体を表すコード。
［注記：録音権と演奏権は、分けて別々の団体で管理される場合がある］
（３）−６０　　管理団体名
セカンダリサブ音楽出版社が属する管理団体を表す名前。
［注記：録音権と演奏権は、分けて別々の団体で管理される場合がある］
（３）−６１　　共同作曲者コード：
主たる作曲者と共同で作曲を行なった共同作曲者を表すコード。
（３）−６２　　共同作曲者名：
主たる作曲者と共同で作曲を行なった共同作曲者を表す名前。
（３）−６３　　代表オリジナル音楽出版社コード
共同作曲者が契約を交わしている代表音楽出版社を表すコード。
（３）−６４　　代表オリジナル音楽出版社名
共同作曲者が契約を交わしている代表音楽出版社を表す名前。
（３）−６５　　ファースト団体コード
共同作曲者が属する管理団体を表すコード。
［注記：録音権と演奏権は、分けて別々の団体で管理される場合がある］
（３）−６６　　ファースト団体名
共同作曲者が属する管理団体を表す名前。
［注記：録音権と演奏権は、分けて別々の団体で管理される場合がある］
（３）−６７　　セカンド団体コード
共同作曲者がオリジナル音楽出版社と契約を交わしているときに代表オリジナル音楽出版社が属する管理団体を表すコード。
［注記：録音権と演奏権は、分けて別々の団体で管理される場合がある］
（３）−６８　　セカンド団体名
共同作曲者がオリジナル音楽出版社と契約を交わしているときに代表オリジナル音楽出版社が属する管理団体を表す名前。
［注記：録音権と演奏権は、分けて別々の団体で管理される場合がある］
（３）−６９　　共同オリジナル音楽出版社コード
代表オリジナル音楽出版社が共同で出版権を所有する契約を交わした共同音楽出版社を表すコード。
（３）−７０　　共同オリジナル音楽出版社名
代表オリジナル音楽出版社が共同で出版権を所有する契約を交わした共同音楽出版社を表す名前。
（３）−７１　　団体コード
共同オリジナル音楽出版社が属する管理団体を表すコード。
（３）−７２　　団体名
共同オリジナル音楽出版社が属する管理団体を表す名前。
［注記：録音権と演奏権は、分けて別々の団体で管理される場合がある］
（３）−７３　　ファーストサブ音楽出版社コード
オリジナル音楽出版社がオリジナル音楽出版社がその出版権を行使する権利を有するテリトリー以外のテリトリーにおいて音楽出版社に出版権を行使させる契約をオリジナル音楽出版社が交わす音楽出版社を表すコード。
（３）−７４　　ファーストサブ音楽出版社名
オリジナル音楽出版社がオリジナル音楽出版社がその出版権を行使する権利を有するテリトリー以外のテリトリーにおいて音楽出版社に出版権を行使させる契約をオリジナル音楽出版社が交わす音楽出版社を表す名前。
（３）−７５　　団体コード
ファーストサブ音楽出版社が属する管理団体を表すコード。
［注記：録音権と演奏権は、分けて別々の団体で管理される場合がある］
（３）−７６　　団体名
ファーストサブ音楽出版社が属する管理団体を表す名前。
［注記：録音権と演奏権は、分けて別々の団体で管理される場合がある］
（３）−７７　　セカンダリサブ音楽出版社コード
ファースト音楽出版社が存在する場合に特定の地域または国においてセカンダリサブ音楽出版社に出版権を行使させる契約をファースト音楽出版社が交わすセカンダリサブ音楽出版社を表すコード。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表すコードを示す。
（３）−７８　　セカンダリサブ音楽出版社名
ファースト音楽出版社が存在する場合に特定の地域または国においてセカンダリサブ音楽出版社に出版権を行使させる契約をファースト音楽出版社が交わすセカンダリサブ音楽出版社を表す名前。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表す名前を示す。
（３）−７９　　管理団体コード
セカンダリサブ音楽出版社が属する管理団体を表すコード。
［注記：録音権と演奏権は、分けて別々の団体で管理される場合がある］
（３）−８０　　管理団体名
セカンダリサブ音楽出版社が属する管理団体を表す名前。
［注記：録音権と演奏権は、分けて別々の団体で管理される場合がある］
【０２６２】
編曲者
（３）−８１　　主たる編曲者コード：
楽曲の作曲を主に行なう人を表すコード。
（３）−８２　　主たる編曲者名：
楽曲の作曲を主に行なう人を表す名前。
（３）−８３　　代表オリジナル音楽出版社コード
編曲者と契約を交わしているオリジナル音楽出版社を表すコード。
（３）−８４　　代表オリジナル音楽出版社名
編曲者と契約を交わしているオリジナル音楽出版社を表す名前。
（３）−８５　　ファースト団体コード；
主たる編曲者が属する管理団体を表すコード。
（３）−８６　　ファースト団体名；
主たる編曲者が属する管理団体を表す名前。
［注記：録音権と演奏権は、分けて別々の団体で管理される場合がある］
（３）−８７　　第２の団体コード；
主たる編曲者がオリジナル音楽出版社と契約を交わしている場合に代表オリジナル音楽出版社が属する管理団体を表すコード。
［注記：録音権と演奏権は、分けて別々の団体で管理される場合がある］
（３）−８８　　第２の団体名；
主たる編曲者がオリジナル音楽出版社と契約を交わしている場合に代表オリジナル音楽出版社が属する管理団体を表す名前。
［注記：録音権と演奏権は、分けて別々の団体で管理される場合がある］
（３）−８９　　共同オリジナル音楽出版社のコード：
代表音楽出版社が出版権を共同所有する契約を交わす共同音楽出版社を表すコード。
（３）−９０　　共同オリジナル音楽出版社の名前：
代表音楽出版社が出版権を共同所有する契約を交わす共同音楽出版社を表す名前。
（３）−９１　　団体コード：
共同オリジナル音楽出版社が属する管理団体を表すコード。
（３）−９２　　団体名：
共同オリジナル音楽出版社が属する管理団体を表す名前。
［注記：録音権と演奏権は、分けて別々の団体で管理される場合がある］
（３）−９３　　ファーストサブ音楽出版社コード：
オリジナル音楽出版社がその出版権を行使する権利を有するテリトリー以外のテリトリーにおいて音楽出版社に出版権を行使させる契約をオリジナル音楽出版社が交わす音楽出版社を表すコード。
（３）−９４　　ファーストサブ音楽出版社コード：
オリジナル音楽出版社がその出版権を行使する権利を有するテリトリー以外のテリトリーにおいて音楽出版社に出版権を行使させる契約をオリジナル音楽出版社が交わす音楽出版社を表す名前。
（３）−９５　　団体コード：
ファーストサブ音楽出版社が属する管理団体を表すコード。
（３）−９６　　団体名：
ファーストサブ音楽出版社が属する管理団体を表す名前。
［注記：録音権と演奏権は、分けて別々の団体で管理される場合がある］
（３）−９７　　セカンダリサブ音楽出版社コード
ファースト音楽出版社が存在する場合に特定の地域または国においてセカンダリサブ音楽出版社に出版権を行使させる契約をファースト音楽出版社が交わすセカンダリサブ音楽出版社を表すコード。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表すコードを示す。
（３）−９８　　セカンダリサブ音楽出版社名
ファースト音楽出版社が存在する場合に特定の地域または国においてセカンダリサブ音楽出版社に出版権を行使させる契約をファースト音楽出版社が交わすセカンダリサブ音楽出版社を表す名前。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表す名前を示す。
（３）−９９　　管理団体コード
セカンダリサブ音楽出版社が属する管理団体を表すコード。
［注記：録音権と演奏権は、分けて別々の団体で管理される場合がある］
（３）−１００　　管理団体名
セカンダリサブ音楽出版社が属する管理団体を表す名前。
［注記：録音権と演奏権は、分けて別々の団体で管理される場合がある］
（３）−１０１　　共同編曲者コード：
主たる編曲者と共同で編曲を行なった共同編曲者を表すコード。
（３）−１０２　　共同編曲者名：
主たる編曲者と共同で編曲を行なった共同編曲者を表す名前。
共同所有者と契約を交わす会社。
（３）−１０３　　代表オリジナル音楽出版社コード
共同編曲者が契約を交わしている代表音楽出版社を表すコード。
（３）−１０４　　代表オリジナル音楽出版社名
共同編曲者が契約を交わしている代表音楽出版社を表す名前。
（３）−１０５　　ファースト団体コード
共同編曲者が属する管理団体を表すコード。
［注記：録音権と演奏権は、分けて別々の団体で管理される場合がある］
（３）−１０６　　ファースト団体名
共同編曲者が属する管理団体を表す名前。
［注記：録音権と演奏権は、分けて別々の団体で管理される場合がある］
（３）−１０７　　セカンド団体コード
共同編曲者がオリジナル音楽出版社と契約を交わしているときに代表オリジナル音楽出版社が属する管理団体を表すコード。
［注記：録音権と演奏権は、分けて別々の団体で管理される場合がある］
（３）−１０８　　セカンド団体名
共同編曲者がオリジナル音楽出版社と契約を交わしているときに代表オリジナル音楽出版社が属する管理団体を表す名前。
［注記：録音権と演奏権は、分けて別々の団体で管理される場合がある］
（３）−１０９　　共同オリジナル音楽出版社コード
代表オリジナル音楽出版社が共同で出版権を所有する契約を交わした共同音楽出版社を表すコード。
（３）−１１０　　共同オリジナル音楽出版社名
代表オリジナル音楽出版社が共同で出版権を所有する契約を交わした共同音楽出版社を表す名前。
（３）−１１１　　団体コード
共同オリジナル音楽出版社が属する管理団体を表すコード。
（３）−１１２　　団体名
共同オリジナル音楽出版社が属する管理団体を表す名前。
［注記：録音権と演奏権は、分けて別々の団体で管理される場合がある］
（３）−１１３　　ファーストサブ音楽出版社コード
オリジナル音楽出版社がオリジナル音楽出版社がその出版権を行使する権利を有するテリトリー以外のテリトリーにおいて音楽出版社に出版権を行使させる契約をオリジナル音楽出版社が交わす音楽出版社を表すコード。
（３）−１１４　　ファーストサブ音楽出版社名
オリジナル音楽出版社がオリジナル音楽出版社がその出版権を行使する権利を有するテリトリー以外のテリトリーにおいて音楽出版社に出版権を行使させる契約をオリジナル音楽出版社が交わす音楽出版社を表す名前。
（３）−１１５　　団体コード
ファーストサブ音楽出版社が属する管理団体を表すコード。
［注記：録音権と演奏権は、分けて別々の団体で管理される場合がある］
（３）−１１６　　団体名
ファーストサブ音楽出版社が属する管理団体を表す名前。
［注記：録音権と演奏権は、分けて別々の団体で管理される場合がある］
（３）−１１７　　セカンダリサブ音楽出版社コード
ファースト音楽出版社が存在する場合に特定の地域または国においてセカンダリサブ音楽出版社に出版権を行使させる契約をファースト音楽出版社が交わすセカンダリサブ音楽出版社を表すコード。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表すコードを示す。
（３）−１１８　　セカンダリサブ音楽出版社名
ファースト音楽出版社が存在する場合に特定の地域または国においてセカンダリサブ音楽出版社に出版権を行使させる契約をファースト音楽出版社が交わすセカンダリサブ音楽出版社を表す名前。さもなければ、それは、オリジナル音楽出版社がその出版権を行使する権利を有するテリトリー以外のテリトリーにおいてセカンダリサブ音楽出版社に出版権を行使させる契約をオリジナル音楽出版社が交わすセカンダリサブ音楽出版社を表す名前を示す。
（３）−１１９　　管理団体コード
セカンダリサブ音楽出版社が属する管理団体を表すコード。
［注記：録音権と演奏権は、分けて別々の団体で管理される場合がある］
（３）−１２０　　管理団体名
セカンダリサブ音楽出版社が属する管理団体を表す名前。
［注記：録音権と演奏権は、分けて別々の団体で管理される場合がある］
【０２６３】
（４）楽譜
（４）−１　　ＭＩＤＩデータ
（４）−２　　生楽譜
（４）−３　　歌詞
【０２６４】
（５）音源
（５）−１　　ディジタル音源
上述した項目は、示したものに限定されないということが明らかである。必要に応じて更なる拡張が容易になされる。この条件は、特にそのように示していない限り、明細書中に示したあらゆるリストに対して同様に適用できる。
【０２６５】
図５６は、システムのディスプレイ・モニターのディスプレイ・メニューを示す。
通称「検索画面」と称される、ディルスプレイ・メニューは、以下に示す項目から構成される：
Ａ：タイトルのジャンル
Ａ−１．楽曲のタイトル
Ａ−２．洋楽のタイトル
Ａ−３．近代邦楽のタイトル
Ａ−４．その他
Ｂ：個人名のジャンル
Ｂ−１．アーティスト名
Ｂ−２．作詞者名
Ｂ−３．作曲者名
Ｂ−４．編曲者名
Ｂ−５．その他
Ｃ：会社のジャンル
Ｃ−１．レコード会社名
Ｃ−２．音楽出版社名
Ｃ−３．芸能プロダクション名
Ｃ−４．その他
Ｄ：団体のジャンル
Ｄ−１．ＪＡＳＲＡＣ（日本）
Ｄ−２．ＢＭＩ（米国）
Ｄ−３．ＡＳＣＡＰ（米国）
Ｄ−４．ＭＣＰＳ（英国）
Ｄ−５．ＳＤＲＭ（フランス）
Ｄ−６．その他
Ｅ：制作日
Ｅ−１．年
Ｅ−２．月
Ｅ−３．日
【０２６６】
上記項目は、ユーザがＩＣカードをシステムに設置されたＩＣカード・リーダに挿入してシステムをアクセスするときにシステムのユーザによりキーボード又は電子ペンのような他のタイプの入力装置を用いて入力することができる。ユーザは、この手続によって識別される。同時に、ＩＣカード及び／又は装置の不正使用を防ぐためにユーザがシステムにログインする装置を識別するように構成することもできる。
【０２６７】
「検索画面」の適用項目を入力することにより、即ち、楽曲の属性を入力することにより、そのＩＳＲＣが特定される。一度ＩＳＲＣが特定されたならば、「許諾ファイル」及び「料率及び料金ファイル」（以下に両方を詳述する）は、特定されたＩＳＲＣに従って自動的にリンクされる。
【０２６８】
次いで、ディスプレイのメニューは、ＩＣカードのメモリに記憶される情報を介して上記処理によって識別されるユーザのタイプにより、図５７ａ、５７ｂ、または５７ｃに示すような「初期メニュー」に変わる。
識別されたユーザがラジオ放送局のようなビジネス・ユーザである場合には、画面のメニューは、図５７ａに示すようなビジネス・ユーザ用初期メニューに変わる。このメニューは、以下に示す項目を含む：
１．楽曲検索
２．放送使用申込み
３．楽譜購入
４．演奏申込み
５．シンクロナイゼーション申込み
６．改変申込み
【０２６９】
識別されたユーザが大学生のような一般ユーザである場合には、画面のメニューは、図５７ｂに示すような一般ユーザ用初期メニューに変わる。このメニューは、以下に示す項目を含む：
１．楽曲検索
２．楽曲購入
３．楽譜購入
４．ＭＩＤＩデータ購入
【０２７０】
識別されたユーザが音楽出版社のような権利者である場合には、画面のメニューは、図５７ｃに示すような権利者用初期メニューに変わる。このメニューは、以下に示す項目を含む：
１．許諾内容変更
２．料率及び料金内容変更
３．権利内容変更
４．新規作品申込み
【０２７１】
図５８は、本発明のシステムに用いられる許諾ファイルの内容を示す。
【０２７２】
図５９は、また、本発明のシステムに用いられる料率及び料金ファイルの内容を示す。
以下、許諾ファイルの各項目、並びに料率及び料金ファイルの各項目を詳細の説明と共にリストする。
【０２７３】
許諾ファイル：
１．キーコード：曲コード　（＝ＩＳＲＣコード）
２．ジャンルＡ：視聴
楽曲を検索する場合、または楽曲を購入する場合、視聴がフルコーラス、１コーラス、又は特定の秒数で実施できるかどうかのフラグを立てる。
Ａ１　　業務用
Ａ１−１　　フルコーラス
Ａ１−２　　１コーラス
Ａ１−３　　４５秒
Ａ１−４　　６０秒
（他の時間のバリエーション）
Ａ２　　個人用
Ａ２−１　　フルコーラス
Ａ２−２　　１コーラス
Ａ２−３　　４５秒
Ａ２−４　　６０秒
（他の時間のバリエーション）
【０２７４】
３．ジャンルＢ：楽曲（視聴）の購入
将来発生するであろう種々のサービスに対応するフラグ領域を準備する。
Ｂ１　　業務用
以下に示すジャンルＦの放送使用に接続している地方ＦＭラジオ放送局に音源を分配する。
Ｂ２　　個人用
（顧客、アーティスト等の希望に応じて）将来の更なるセグメントに細分される
［既存の録音許諾］
Ｂ２−１　　ジュークボックス（Ｊｕｋｅ　ｂｏｘ）
一度だけ聴く＝貯込み／録音を行なうことができる（無料であるＡの視聴の観点からそれを区別）
Ｂ２−２　　ＣＤ
家庭でインターネットを用いて好きな楽曲のグループを申込むことにより、好きな楽曲が録音されたＣＤが家に配送されるか、又は近くのレコード店に配送される。
Ｂ２−３　　ＭＤ
家庭でインターネットを用いて好きな楽曲のグループを申込むことにより、好きな楽曲が録音されたＭＤが家に配送されるか、又は近くのレコード店に配送される。
Ｂ２−４　　ＣＤ−Ｒ
家庭でインターネットを用いて好きな楽曲のグループを申込むことにより、曲ソースがダウンロードされ、家庭でＣＤに録音／確定される。
Ｂ２−５　　ＭＤ−Ｒ
家庭でインターネットを用いて好きな楽曲のグループを申込むことにより、曲ソースがダウンロードされ、家庭でＭＤに録音／確定される。
Ｂ２−６　　ＤＶＤ−Ｒ
家庭でインターネットを用いて好きな楽曲のグループを申込むことにより、曲ソースがダウンロードされ、家庭でＤＶＤに録音／確定される。
Ｂ２−７　　ＰＣ
【０２７５】
４．ジャンルＣ：楽譜購入
Ｃ１　　業務用
Ｃ１−１　　ネットワーク上でデータとして楽譜を購入する。
Ｃ１−２　　ネットワーク上で申込むことにより、紙に書かれた楽譜として購入する。
Ｃ２　　個人用
Ｃ２−１　　ネットワーク上でデータとして楽譜を購入する。
Ｃ２−２　　ネットワーク上で申込むことにより、紙に書かれた楽譜として購入する。
【０２７６】
５．ジャンルＤ：ＭＩＤＩデータ購入
オリジナル音源を制作するときにＭＩＤＩデータを制作する場合に新しいビジネスになりうる。
Ｄ１　　業務用
カラオケ・ビジネスに売ること
Ｄ１−１　　ネットワーク上でデータとしてＭＩＤＩデータを購入する。
Ｄ２　　個人用
Ｄ２−１　　ネットワーク上でデータとしてＭＩＤＩデータを購入する。
【０２７７】
６．ジャンルＥ：演奏申込み
Ｅ１　　業務用
コンサート、ライブハウス等でのプロフェッショナル・アーティストまたはミュージシャンによる演奏時に申込み。
Ｅ２　　個人用
コンサート、ライブハウス等でのアマチュア・アーティストまたはミュージシャンによる演奏時に申込み。演奏に対して料金は取らないが、使用される楽曲の調査だけを行なう。
【０２７８】
７．ジャンルＦ：楽曲の放送使用
原則として、全ての楽曲は、放送に用いることができる。
Ｆ１　　業務用
Ｆ１−１　　ラジオ局用放送プログラム
Ｆ１−２　　テレビ局用放送プログラム
【０２７９】
８．ジャンルＧ：シンクロナイゼーション
バックグラウンド・ミュージックとしてテレビ映像、映画映像、及びコマーシャル（ＣＭ）映像に使用する。
Ｇ１　　業務用
Ｇ１−１　　映画映像用シンクロナイゼーション
Ｇ１−２　　テレビ映像用シンクロナイゼーション
Ｇ１−３　　ビデオゲーム映像用シンクロナイゼーション
Ｇ１−４　　ゲームソフト映像用シンクロナイゼーション
Ｇ１−５　　ＣＭ映像用シンクロナイゼーション
【０２８０】
９．ジャンルＨ：改変申込み
既存の楽曲［音源、楽譜］を改変して新しい曲を制作するために、既存楽曲のカバー曲を制作すること、及び／又は現在人気があるダンスの曲等を制作するときに既存音源をサンプリングすることにより全く異なる楽曲を制作することが望ましい。
Ｈ１　　業務用
Ｈ１−１　　既存音源サンプリングの使用許諾
Ｈ１−２　　［洋楽の日本カバー曲版のような］既存楽曲のカバー曲を制作する場合
【０２８１】
料率及び料金ファイル
2004046794.tif 000042
【０２８２】
以下、上記ファイルを説明するための例を詳細に述べる。
ここで、ユーザが、本発明のシステムを用いることによって、ラジオで放送される音楽プログラムに対する曲を選択することを担当する業者（以下、ユーザと称する）であるということを想定する。そこで、ユーザは、フェーシング機器を起動しかつ登録ユーザのＩＤカードとしても機能するＩＣカードを挿入する。パスワードを入力することにより（またはＩＣカードが識別番号の情報を含み、同様に機能するのでこの処理を省略しうる）、モニタ機器の表示装置は、図５７ａに示すような業者用の初期画面を表示する。
ここで、ＩＤ番号及び使用中の装置番号は、ユーザ・データとして構成される。　⇒　［ユーザ・データＡ］
【０２８３】
まず、楽曲を特定する動作が実行される。候補楽曲の情報は、図５６に示すような表示装置の画面に表示される「検索メニュー」の対応する項目を適切に満たすことによって予め入力されている。
【０２８４】
候補楽曲を特定した後、画面のメニューは、図５７ａに示すような業者用「初期メニュー」に変わり、かつデフォルトとして
１．楽曲検索
の項目がカラーで強調され、かつ候補楽曲の検索は、これらの候補楽曲がシステムに既に登録されているか否かとして実行される。そして、検索の結果、それぞれの候補楽曲がシステムに既に登録されているか否かの表示と共に候補楽曲のリストは、画面に示される。「ＯＫ」マークを伴う候補楽曲は、これらの候補楽曲が既に登録されているということを示しており、それゆえにこれらの候補楽曲が次のステップに進むことができる。　⇒　［楽曲リストＢ］
【０２８５】
ここで、候補楽曲がシステムに登録されている場合にこれらの候補楽曲に対応する「許諾ファイル」及び「料率及び料金ファイル」も予め登録されているということを想定する。それゆえに、図５８及び図５９に示すようなそれぞれのファイルの項目は、正しい権利者による選好に従って対応する楽曲の著作権者により予めフラグが立てられている（適用されない場合にはフラグが立てられていない）か或いは満たされている（適用されない場合には空にされている）。
次いで、ユーザは、タッチペンでメニューの項目またはそれぞれの項目に対応している数字をタッチすることにより「初期メニュー」の項目を選択する。
【０２８６】
本実施例では、ユーザは、「初期メニュー」の項目から
２．放送使用申込み
を選択するものと想定されている。ユーザがタッチペンで項目をタッチすることによって項目２を選択した場合には、画面は、「放送属性入力メニュー」に変わる。次いで、ユーズは、放送データ、ネット局名、及びネット局の数等を「放送属性入力メニュー」に入力する。　⇒　［放送属性データＣ］
【０２８７】
上記処理を終了した後、候補楽曲のそれぞれに対する各「許諾ファイル」及び「料率及び料金ファイル」が参照され（例えば、図６０を参照）、かつ候補楽曲に関する許可内容の情報、原盤及び著作権が上述したデータＡ，Ｂ，及びＣの形で得られる。そこで、ウェーブ・パケットは、これらのデータＡ，Ｂ，及びＣによって構成され、かつウェーブ・パケットは、原盤及び著作権の状況又は状態、並びに項目の許諾内容に関する候補楽曲の評価に対して本発明の通称「音楽グローバル・アクセス・システム（ＭＧＡＳ）」において図５３に示したようなホスト・コンピュータ５３０２に送信される。
【０２８８】
本実施例では、候補楽曲に対する許諾ファイルにおける参照項目は、「放送使用」の項目であり、かつその内容は、Ｆ１−１「ラジオ局用放送プログラム」及びＦ１−２「テレビ局用放送プログラム」から構成されている。従って、Ｆ１−１の内容はフラグが立っているが、Ｆ１−２の内容は候補楽曲の一つに対してフラグが立っていない場合には、その候補楽曲は、ラジオ局用放送プログラムの使用だけに許諾される。そこで、この候補楽曲に対する「料率及び料金ファイル」の情報と一緒に、その内容の情報は、「許諾ファイル」及び「料率及び料金ファイル」の更新された種々の権利及び内容に基づいて著作権及びオリジナル録音権をディスクリミネートするためにＭＧＡＳに送信されと同時に、ユーザは、候補楽曲の一つがラジオ放送に対してだけ許諾されそれゆえに表示画面を介してその候補楽曲に制限が適用されないということが知らされる。
【０２８９】
以下、例として、１９９８年３月２４日の２２：００に放送されたラジオ音楽番組「Ｊ−ＷＡＶＥセレクション」において、次に示す楽曲：
2004046794.tif 000043
を用いたＦＭラジオ放送Ｊ−ＷＡＶＥに対する処理を詳細に説明する。上記楽曲が放送リストと共にスケジュールされた放送データで正確に放送されたかどうかを評価するためのトラッキングの作業がある。ここで、ラジオ放送局の送出部に蓄積された送出済楽曲データ群と判別部（図示省略）の放送リストとの間でマッチングが行われる。放送事故、放送スケジュールの突然の変更、等の場合には、放送装置のＬＯＧＩＮシステムの送出済楽曲データ群の正しいデータは、判別部の使用データとして書き換えられる。
【０２９０】
毎日書き換えられた判別部の使用データは、放送局とＭＧＡＳとの間の契約形態によって、１週間毎、１ヶ月毎等で、ＭＧＡＳに送信される。
【０２９１】
以下、上記例を参照して出版権処理を説明する。
現在、日本では、ＪＡＳＲＡＣとテレビ／ラジオ局との間の著作権放送使用料の支払は、年間のブランケット契約に基づいて行われている。
例えば、ラジオ局の年間売上高が１０，０００，０００，０００円（１００億円）だとすると、その２％、即ち、２００，０００，０００円（２億円）がＪＡＳＲＡＣに支払われる。その後の分配は、前述したように行われる。
【０２９２】
ここで、上述したものと同様な処理を本発明のＭＧＡＳを用いて説明する。
上記二つの楽曲が年間１００回放送されたと想定し、Ｊ−ＷＡＶＥにおける楽曲の使用総数が１００，０００回（１０万回）であると更に想定すると、各楽曲に対して円を得ることができる。次いで、この２００，０００円は、ＪＡＳＲＡＣの手数料が差し引かれた後、松田聖子の楽曲に対応する各「料率及び料金ファイル」に示される配分比率に従って作詞者、（１００／１００，０００）×２００，０００，０００円＝２００，０００の放送料、作曲者、編曲者、及び音楽出版社に分配される。Ｂｏｎ　Ｊｏｖｉの場合には、ＪＡＳＲＡＣのコミッションが差し引かれた後、放送料の残りの額は、Ｂｏｎ　Ｊｏｖｉの楽曲に対応する各「料率及び料金ファイル」に示される配分比率に従ってＡＳＣＡＰ、作詞者、作曲者、編曲者、及び音楽出版社に分配分される。
【０２９３】
ここで、原盤権の処理を詳細に説明する。
１．レコーディング・プロデューサ：
現在、日本レコード協会（ＲＩＡＪ）とテレビ局／ラジオ局の上位団体である民放連（ＮＡＣＢＪ）との間で原盤権の放送料に対する取り決めがある。
民放局の年間売上高の１％が原盤権使用料としてＲＩＡＪに支払われる。
例えば、全民放の年間売上高が１，０００，０００，０００，０００円（１兆円）であるならば、その１％（＝１，０００，０００，０００（１０億円））がＲＩＡＪに支払われる。現在、原盤権の放送使用料は、サンプリング方式よりも劣った方式を用いてそれぞれのレコード会社に分配される。しかしながら、本発明のＭＧＡＳを用いることにより、例えば、Ｊ−ＷＡＶＥによる年間総売上の１％、即ち、１０，０００，０００，０００円×１％＝１００，０００，０００円が原盤の放送使用料としてＲＩＡＪに支払われることになる。次いで、前述の出版権の処理と同様の処理が「料率及び料金ファイル」を参照してなされる。
上記２つの曲が年間１００回放送されたと仮定し、Ｊ−ＷＡＶＥでの年間の総楽曲使用回数が１００，０００回であると更に想定すると、各楽曲について（１００／１００，０００）×１００，０００，０００円＝１００，０００円の放送使用料を得ることができる。次いで、この１００，０００円は、ＲＩＡＪの手数料が差し引かれた後、松田聖子の楽曲に対応している各「料率及び料金ファイル」に示された原盤出費比率に従ってレコード会社、芸能プロダクション、等に分配される。Ｂｏｎ　Ｊｏｖｉの場合には、ＲＩＡＪの手数料が差し引かれた後、放送使用料の残高は、Ｂｏｎ　Ｊｏｖｉの楽曲に対応している各「料率及び料金ファイル」に示された比率に従ってライセンスレコード会社を経由して外国のレコード会社に分配される。
【０２９４】
２．対実演家
同時に、原盤権の２次使用料の支払いが民放連（ＮＡＣＢＪ）から実演家になされる。例えば、全民放の年間売上高が１，０００，０００，０００，０００円（１兆円）であるならば、その１％（＝１，０００，０００，０００（１０億円））が芸団協（ＪＣＰＯ）に支払われる。そこから先は、各団体に振り分けられる。
【０２９５】
ここで、本発明のＭＧＡＳを用いることによる支払の流れを説明する。
上記２つの曲が年間１００回放送されたと仮定し、Ｊ−ＷＡＶＥでの年間の総楽曲使用回数が１００，０００回であると更に想定すると、各楽曲について（１００／１００，０００）×１００，０００，０００円＝１００，０００円の放送使用料を得ることができる。次いで、この１００，０００円は、ＪＣＰＯの手数料が差し引かれた後、松田聖子の楽曲に対応している各「料率及び料金ファイル」に示された契約配分比率に従って実演家、実演家が所属する芸能プロダクション、芸能プロダクションが所属する業界団体等に分配される。Ｂｏｎ　Ｊｏｖｉの場合には、ＪＣＰＯの手数料が差し引かれた後、放送使用料の残高は、ＢｏｎＪｏｖｉの楽曲に対応している各「料率及び料金ファイル」に示された比率に従って実演家、実演家が所属する芸能プロダクション、芸能プロダクションが所属するＡＦＭ，ＡＦＴＲＡ等の業界団体等に分配される。
上記処理の要点を図６０に示す。上記説明から分かるように、上述と同様な処理が異なるタイプのユーザに対してなされる。
【０２９６】
図６１を参照して、上記処理を詳細に説明する。
本発明のＭＧＡＳシステムは、ＩＣカード・リーダにＩＣカードを挿入することによって起動される（ステップＳＴ１）。次いで、ＭＧＡＳシステムを起動したユーザのタイプがＩＣカードのメモリに記憶されている情報から識別される（ステップＳＴ２）。次に、「検索」メニューが表示装置の画面に表示され（ステップＳＴ３）、かつ候補楽曲に対する「検索」メニューの適用項目を満たす（ステップＳＴ４）。ＤＢ（音楽データベース）は、識別されたユーザのタイプ並びに満たされた「検索」メニューの項目の情報に従って検索される（ステップＳＴ５）。候補楽曲がＭＧＡＳシステムの起動の前にシステムに既に登録されているか否かが判断される（ステップＳＴ６）、判断の結果は、候補楽曲がＭＧＡＳシステムに既に登録されているか否かを示すために画面に表示されかつ同時に適当な「初期」メニューが上記で識別されたユーザのタイプの情報に従って画面に表示される（ステップＳＴ７）。候補楽曲がＭＧＡＳシステムに既に登録されているならば（ステップＳＴ８）、「初期」メニューの適格な項目が上記で識別されたユーザのタイプに従って選択される（ステップＳＴ９）。上記ステップＳＴ９でプロフェッショナル・ユーザ又は一般ユーザのいずれかが選択された場合には、「許諾ファイル」の対応する項目が適格な「初期」メニューの選択された項目に基づいて検索され（ステップＳＴ１０）、検索の結果は、選択された項目が許諾される項目であるか否かを示すために画面に表示される（ステップＳＴ１１）。選択された項目がステップＳＴ１１で許諾可能でない場合には、ステップＳＴ９に戻る。他方、選択された項目が許諾可能であれば、ＤＢは、「料率及び料金ファイル」の情報に従って検索され（ステップＳＴ１２）、かつ適用される著作権及び権利料がＤＢの検索の結果に従って処理される（ステップＳＴ１３）。次いで、結果が適当であるか否かが確認され（ステップＳＴ１４）、結果が確認されたならば、処理は、終了する（ステップＳＴ１５）。
【０２９７】
ステップＳＴ９でユーザのタイプが著作権者／音楽出版社等のような正当な権利者である場合には、項目に対する適格な情報が「許諾ファイル」及び／又は「料率及び料金ファイル」で変更／入力される（ステップＳＴ１６）。次いで、変更／入力された情報は、ＤＢの内容を更新するために処理され（ステップＳＴ１７）、そして、変更された／入力された項目のような処理の結果が画面に表示され（ステップＳＴ１８）かつ上記したようにステップＳＴ１４に進む。
【０２９８】
上述した本発明の実施例は、主に音楽について述べたが、本発明は、音楽だけに限定されるものではない。
本発明は、インターネット及び／又は他の通信ネットワーク・システムを介して、ディジタル形式（電子形式）で処理することができるか又は　アナログ形式からディジタル形式に変換することができる、書籍、雑誌、新聞、あらゆる種類のジャーナルを含む印刷物、並びに写真、ゲーム・ソフトウェア・プログラム、映画、スチール写真、ビデオ等のような他の形式のマルチメディアにも適用することができる。
【０２９９】
特に、本発明による許諾コード及びコンテンツをコード化する関連方法は、音楽について用いた概念から逸脱することなく、音楽についての上述した実施例で説明したものと同様な方法で上記マルチメディアの全てに対しても適用することができる。
楽曲情報の許諾された潜在的使用のセットは、演奏、複製、送信、及び分配を含むがそれらには限定されず、送信の可能なフォームは、地表、ケーブル、インターネット又は衛星を含むがそれらには限定されず、かつ複製に対する媒体の可能なフォームは、ストリーム、ローカルＨＤＤ、フラッシュ・メモリ、スティック・メモリ又はＭＤを含むが、他の形式の媒体を用いることもできる。
【０３００】
本発明は、その精神又は主要な特性から逸脱することなく他の特定な形式で実施されうる。従って、本実施例は、全ての形態において説明のためであって、本発明を限定するものではなく、上述した説明ではなく特許請求の範囲によって示されている本発明の範疇、及び特許請求の範囲と同等な意味及び範囲内にある全ての変更は、従ってここに含まれることを意図している。
【図面の簡単な説明】
【図１】本発明のパーソナル記録媒体購入システムにおける第１の実施例の概略図である。
【図２】図１に示す本発明のパーソナル記録媒体購入システムの動作の一部の説明図である。
【図３】図１に示す本発明のパーソナル記録媒体購入システムの動作の一部の説明図である。
【図４】図１に示す本発明のパーソナル記録媒体購入システムの動作の一部の説明図である。
【図５】図１に示す本発明のパーソナル記録媒体購入システムの動作の一部の説明図である。
【図６】図１に示す本発明のパーソナル記録媒体購入システムの動作の一部の説明図である。
【図７】図１に示す本発明のパーソナル記録媒体購入システムの動作の一部の説明図である。
【図８】図１に示す本発明のパーソナル記録媒体購入システムの動作の一部の説明図である。
【図９】図１に示す本発明のパーソナル記録媒体購入システムの動作の一部の説明図である。
【図１０】図１に示す本発明のパーソナル記録媒体購入システムの動作の一部の説明図である。
【図１１】本発明のパーソナル記録媒体購入システムの主要構成部分の一つである音楽データベースのスペックの一例を示す図である。
【図１２】図１１に示す本発明のパーソナル記録媒体購入システムの音楽データベースの一部を構成するインデックス・データベースの一例を示す図である。
【図１３】図１１に示す本発明のパーソナル記録媒体購入システムの音楽データベースの一部を構成するインデックス・データベースの他の一例を示す図である。
【図１４】本発明のパーソナル記録媒体購入システムにおける第２の実施例の概略図である。
【図１５】図１４に示す本発明のパーソナル記録媒体購入システムの動作の一部の説明図である。
【図１６】図１４に示す本発明のパーソナル記録媒体購入システムの動作の一部の説明図である。
【図１７】図１４に示す本発明のパーソナル記録媒体購入システムの動作の一部の説明図である。
【図１８】図１４に示す本発明のパーソナル記録媒体購入システムの動作の一部の説明図である。
【図１９】図１４に示す本発明のパーソナル記録媒体購入システムの動作の一部の説明図である。
【図２０】図１４に示す本発明のパーソナル記録媒体購入システムの動作の一部の説明図である。
【図２１】図１４に示す本発明のパーソナル記録媒体購入システムの動作の一部の説明図である。
【図２２】図１４に示す本発明のパーソナル記録媒体購入システムの動作の一部の説明図である。
【図２３】図１４に示す本発明のパーソナル記録媒体購入システムの動作の一部の説明図である。
【図２４】本発明のパーソナル記録媒体購入システムにおける第３の実施例の概略図である。
【図２５】図２４に示す本発明のパーソナル記録媒体購入システムの動作の一部の説明図である。
【図２６】図２４に示す本発明のパーソナル記録媒体購入システムの動作の一部の説明図である。
【図２７】図２４に示す本発明のパーソナル記録媒体購入システムの動作の一部の説明図である。
【図２８】図２４に示す本発明のパーソナル記録媒体購入システムの動作の一部の説明図である。
【図２９】図２４に示す本発明のパーソナル記録媒体購入システムの動作の一部の説明図である。
【図３０】図２４に示す本発明のパーソナル記録媒体購入システムの動作の一部の説明図である。
【図３１】図２４に示す本発明のパーソナル記録媒体購入システムの動作の一部の説明図である。
【図３２】本発明のパーソナル記録媒体購入システムにおける第４の実施例の概略図である。
【図３３】図３２に示す本発明のパーソナル記録媒体購入システムの動作の一部の説明図である。
【図３４】図３２に示す本発明のパーソナル記録媒体購入システムの動作の一部の説明図である。
【図３５】図３２に示す本発明のパーソナル記録媒体購入システムの動作の一部の説明図である。
【図３６】図３２に示す本発明のパーソナル記録媒体購入システムの動作の一部の説明図である。
【図３７】図３２に示す本発明のパーソナル記録媒体購入システムの動作の一部の説明図である。
【図３８】図３２に示す本発明のパーソナル記録媒体購入システムの動作の一部の説明図である。
【図３９】本発明の購入システムの第５の実施例の概略図である。
【図４０】図３９に示す購入システムの動作の説明図である。
【図４１】図３９に示す購入システムの他の動作の説明図である。
【図４２】図３９に示す購入システムの他の動作の説明図である。
【図４３】図３９に示す購入システムの他の動作の説明図である。
【図４４】図３９に示す購入システムの他の動作の説明図である。
【図４５】図３９に示す購入システムの他の動作の説明図である。
【図４６】図３９に示す購入システムの他の動作の説明図である。
【図４７】図３９に示す購入システムの他の動作の説明図である。
【図４８】図３９に示す購入システムのモニター画面上の確認項目の説明図である。
【図４９】図３９に示す購入システムによるＩＣカード方式の電子マネー支払い処理を説明するためのフロー図である。
【図５０】図３９に示す購入システムにおける各データ及び各コードの処理のフローの説明図である。
【図５１】図３９に示す購入システムにおける各データ及び各コードの処理のフローの他の説明図である。
【図５２】図３９に示す購入システムにおける全処理の総括的な説明図である。
【図５３】本発明の購入システムに係わるバックチャネルカンパニーの一部を構成しているサーバクライアントシステムの構成を示す図である。
【図５４】本発明の購入システムの第６の実施例の概略図である。
【図５５】本発明による音楽データベースの別の実施例を示す図である。
【図５６】図５４に示したシステムのディスプレイ・モニタ上のディスプレイ・メニューを示す図である。
【図５７】図５７ａ、図５７ｂ及び図５７ｃで構成されており、それぞれの図は、ディスプレイ画面に表示される、異なる種類の初期メニューを示す図である。
【図５８】本システムのシステムに用いられる許諾ファイルの内容の一例を示す図である。
【図５９】本システムのシステムに用いられる料率及び料金ファイルの内容の一例を示す図である。
【図６０】本発明による図５８に示した「許諾ファイル」及び図５９に示した「料率及び料金ファイル」を用いている処理全体を示す概略図である。
【図６１】図６１Ａ、図６１Ｂ、及び図６１Ｃで構成されていることを示す図である。
【図６１Ａ】図６０に示した処理を説明するための図である。
【図６１Ｂ】図６１Ａに示した処理に続く処理を説明するための図である。
【図６１Ｃ】図６１Ｂに示した処理に続く処理を説明するための図である。
【符号の説明】
１　　　　購入システム
１０　　店舗
１１　　ＭＤ制作申込み受付システム
１２　　楽曲リスト・データベース
１３　　店舗機器管理システム
１４　　通信システム
２０　　バックチャネルカンパニー
２１　　通信システム
２２　　サーバクライアントシステム（ホストコンピュータ）
２３　　楽曲リスト・データベース
２４　　楽曲データ・データベース
２５　　インデックス・データベース
２６　　著作権データベース
２７　　音楽データベース２７
２８　　ＭＤライター
２９　　プリンター
３０　　顧客データベース
３１　　課金決済データベース
３２　　カンパニー側データベース３２
４０　　インターネット（専用回線）
【図１】
2004046794.tif 000044
【図２】
2004046794.tif 000045
【図３】
2004046794.tif 000046
【図４】
2004046794.tif 000047
【図５】
2004046794.tif 000048
【図６】
2004046794.tif 000049
【図７】
2004046794.tif 000050
【図８】
2004046794.tif 000051
【図９】
2004046794.tif 000052
【図１０】
2004046794.tif 000053
【図１１】
2004046794.tif 000054
【図１２】
2004046794.tif 000055
【図１３】
2004046794.tif 000056
【図１４】
2004046794.tif 000057
【図１５】
2004046794.tif 000058
【図１６】
2004046794.tif 000059
【図１７】
2004046794.tif 000060
【図１８】
2004046794.tif 000061
【図１９】
2004046794.tif 000062
【図２０】
2004046794.tif 000063
【図２１】
2004046794.tif 000064
【図２２】
2004046794.tif 000065
【図２３】
2004046794.tif 000066
【図２４】
2004046794.tif 000067
【図２５】
2004046794.tif 000068
【図２６】
2004046794.tif 000069
【図２７】
2004046794.tif 000070
【図２８】
2004046794.tif 000071
【図２９】
2004046794.tif 000072
【図３０】
2004046794.tif 000073
【図３１】
2004046794.tif 000074
【図３２】
2004046794.tif 000075
【図３３】
2004046794.tif 000076
【図３４】
2004046794.tif 000077
【図３５】
2004046794.tif 000078
【図３６】
2004046794.tif 000079
【図３７】
2004046794.tif 000080
【図３８】
2004046794.tif 000081
【図３９】
2004046794.tif 000082
【図４０】
2004046794.tif 000083
【図４１】
2004046794.tif 000084
【図４２】
2004046794.tif 000085
【図４３】
2004046794.tif 000086
【図４４】
2004046794.tif 000087
【図４５】
2004046794.tif 000088
【図４６】
2004046794.tif 000089
【図４７】
2004046794.tif 000090
【図４８】
2004046794.tif 000091
【図４９】
2004046794.tif 000092
【図５０】
2004046794.tif 000093
【図５１】
2004046794.tif 000094
【図５２】
2004046794.tif 000095
【図５３】
2004046794.tif 000096
【図５４】
2004046794.tif 000097
【図５５】
2004046794.tif 000098
【図５６】
2004046794.tif 000099
【図５７】
2004046794.tif 000100
【図５８】
2004046794.tif 000101
【図５９】
2004046794.tif 000102
【図６０】
2004046794.tif 000103
【図６１】
2004046794.tif 000104
【図６１Ａ】
2004046794.tif 000105
【図６１Ｂ】
2004046794.tif 000106
【図６１Ｃ】
2004046794.tif 000107